(57)【要約】  識別タグが取り付けられるかタグが埋め込まれることができるオブジェクトを識別するための識別タグ、並びに識別されるように構成されるオブジェクト。本発明は、識別タグに配置される識別機能を読み取るための読み取りデバイスに関する。タグとオブジェクトは、係合トラックや適応凹所よりなることができ、そこでは、係合トラックや適応凹所は、それがタグやオブジェクトに含まれる識別機能の読み取りを可能とするように設計され、且つ係合トラックや適応凹所は、それが読み取りデバイスの係合要素に対して形状が実質的に相補的であるように設計され、更に、係合要素は、識別タグやオブジェクトに配置される識別機能を読み取るように構成される読み取り要素を備える。また、識別タグは、適応凹所を備える適応層を備えることができる。
2009537030.tif 000002
【特許請求の範囲】
【請求項１】
オブジェクトを識別するための識別タグであって、前記オブジェクトへ前記識別タグが取り付けられることができ、
前記識別タグは、適応層を備え、
前記適応層は、少なくとも一つの適応凹所を備え、
前記適応凹所は、少なくとも部分的にランダムに分布された材料を備え、前記少なくとも部分的にランダムに分布された材料は、前記オブジェクトを識別するための読み取り可能識別機能を形成することを特徴とする識別タグ。
【請求項２】
前記タグは、それが識別されるべきオブジェクトへ取り付け可能であるように構成されることを特徴とする請求項１に記載の識別タグ。
【請求項３】
前記適応層の少なくとも一つ表面は、少なくとも部分的に接着性があるか又は熱接合を受けるのに少なくとも部分的に適することを特徴とする請求項２に記載の識別タグ。
【請求項４】
前記適応層は、ポリマー材料、金属、セラミック又は自然発生有機材料からなる群から選択された材料よりなることを特徴とする請求項１乃至３のいずれか一項に記載の識別タグ。
【請求項５】
前記ポリマー材料は、ポリスチレン、ポリエチレン、ポリプロピレン、ポリエチレンテレフタレート、ポリカーボネート、ポリエーテルスルホン、エポキシ樹脂、ポリスチレン、ポリウレタン、ポリアクリレート、ポリイミド、及びポリシリコンからなる群から選択されることを特徴とする請求項４に記載の識別タグ。
【請求項６】
前記ランダムに分布された材料は、複数のランダムに分布された粒子よりなることを特徴とする請求項１乃至５項のいずれか一項に記載の識別タグ。
【請求項７】
前記ランダムに分布された粒子は、複数のランダムに分布された磁性又は磁化可能粒子、複数に分布された導電性及び／又は半導電性粒子、複数のランダムに分布された光活性粒子又は光学的に区別可能な粒子又は前記粒子の混合物からなることを特徴とする請求項６に記載の識別タグ。
【請求項８】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項７に記載の識別タグ。
【請求項９】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物、及びそれらの組み合わせからなる群から選択されることを特徴とする請求項８に記載の識別タグ。
【請求項１０】
前記光活性粒子は、染料粒子、染料コーティング粒子、発光粒子、量子ドット粒子、光輝性粒子、偏光クリスタル、キラル分子、液晶、複屈折粒子、及びそれらの混合物よりなる群から選択される粒子よりなることを特徴とする請求項７乃至９のいずれか一項に記載の識別タグ。
【請求項１１】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択される粒子よりなることを特徴とする請求項７乃至１０のいずれか一項に記載の識別タグ。
【請求項１２】
前記導電性粒子は、金属粒子、カーボンブラック粒子、グラファイト粒子、金属コーティング粒子、ボイド又はバブル及び連続する材料内の変化する導電性のドメイン及びそれらの混合物から選択される材料よりなることを特徴とする請求項７乃至１１のいずれか一項に記載の識別タグ。
【請求項１３】
前記導電性粒子は、（ポリ）シリコン、ガリウム砒素、窒化ガリウム、白金シリサイド、窒化珪素、及びシリコンクロム（ＳｉＣｒ）よりなることを特徴とする請求項７乃至１２のいずれか一項に記載の識別タグ。
【請求項１４】
平均粒子は、約１０ナノメートルと約５００マイクロメートルとの間の最も大きな寸法を有することを特徴とする請求項７乃至１３のいずれか一項に記載の識別タグ。
【請求項１５】
前記タグは、前記適応層の頂部に配置されるカバー層を備えることを特徴とする請求項１乃至１４のいずれか一項に記載の識別タグ。
【請求項１６】
前記少なくとも一つの適応凹所は、本質的に適応層の長手方向へ配置されることを特徴とする請求項１乃至１５のいずれか一項に記載の識別タグ。
【請求項１７】
前記少なくとも一つの適応凹所は、本質的に適応層の横断面方向へ配置されることを特徴とする請求項１乃至１５のいずれか一項に記載の識別タグ。
【請求項１８】
前記少なくとも一つの適応凹所は連続することを特徴とする請求項１乃至１７の一項に記載の識別タグ。
【請求項１９】
前記少なくとも一つの適応凹所は穿孔されることを特徴とする請求項１乃至１７のいずれか一項に記載の識別タグ。
【請求項２０】
請求項１乃至１９のいずれか一項で定義される識別タグが取り付けられたことを特徴とするオブジェクト。
【請求項２１】
前記識別タグは、オブジェクト（の外表面）に、前記タグが前記オブジェクト上に係合トラックを形成するように取り付けられ、前記係合トラックは、識別層に配置される識別機能を読み取る読み取りデバイスの一部と形状が本質的に相補的であり、それによって、係合トラックは、識別機能に関して前記読み取りデバイスの容易な位置合わせを可能とすることを特徴とする請求項２０に記載のオブジェクト。
【請求項２２】
オブジェクトを識別するための識別タグであって、前記オブジェクトへ前記識別タグが取り付けられることができ、前記識別タグは、キャビティを備え、
読み取り可能識別機能は、前記タグ内に、識別機能を読み取るためのキャビティ内に挿入される読み取りデバイスの一部によって前記識別機能が読み取られることができるように配置され、
前記キャビティは、係合トラックが前記タグ内に形成されるように設計され、
前記係合トラックは、前記タグ内に配置される前記識別機能を読み取る読み取りデバイスの一部に対して形状が本質的に相補的であり、前記係合トラックによって、前記識別機能に対して前記読み取りデバイスの前記一部の容易な位置合わせが可能となることを特徴とする識別タグ。
【請求項２３】
前記識別機能は、チップ、磁気ストリップ、シリアル番号、又は光学マーキングに配置されることを特徴とする請求項２２に記載の識別タグ。
【請求項２４】
前記チップは、高周波タグ識別（ＲＦＩＤ）チップ又は接触ベースのチップであることを特徴とする請求項２３に記載の識別タグ。
【請求項２５】
前記光学マーキングは、バーコード又はホログラムであることを特徴とする請求項２２に記載の識別タグ。
【請求項２６】
ベース層を備え、前記チップは、前記ベース層中に配置されるか又はその上に取り付けられるか、又は前記光学マーキングは、前記ベース層中に又は上に配置されることを特徴とする請求項２２乃至２５のいずれか一項に記載の識別タグ。
【請求項２７】
頂部層を更に備えることを特徴とする請求項２６に記載の識別タグ。
【請求項２８】
前記頂部層又は前記ベース層は、前記頂部層を前記底部層に取り付けることによって前記キャビティが形成されるように設計されることを特徴とする請求項２７に記載の識別タグ。
【請求項２９】
前記タグは、識別層を備え、
前記読み取り可能識別機能は、前記識別層に配置され、
前記識別機能は、前記識別層に含まれる少なくとも部分的にランダムに分布された材料によって形成され、
前記識別層は、前記タグ内に、前記識別機能を読み取るために前記キャビティ内に挿入される読み取りデバイスの一部によって前記識別機能が読み取られることができるように配置され、前記係合トラックによって、前記識別機能に対して前記読み取りデバイスの読み取りヘッドの前記一部の容易な位置合わせが可能となることを特徴とする請求項２２乃至２８のいずれか一項に記載の識別タグ。
【請求項３０】
前記ランダムに分布された材料は、複数のランダムに分布された粒子よりなることを特徴とする請求項２９に記載の識別タグ。
【請求項３１】
前記ランダムに分布された粒子は、複数のランダムに分布された磁性又は磁化可能粒子、複数のランダムに分布された導電性及び／又は半導電性粒子、複数のランダムに分布された光活性粒子又は光学的に区別可能な粒子又は前記粒子の混合物からなることを特徴とする請求項３０に記載の識別タグ。
【請求項３２】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項３１に記載の識別タグ。
【請求項３３】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物及びそれらの組み合わせからなる群から選択されることを特徴とする請求項３２に記載の識別タグ。
【請求項３４】
前記光活性粒子は、染料粒子、染料コーティング粒子、発光粒子、量子ドット粒子、光輝性粒子、偏光クリスタル、キラル分子、液晶、複屈折粒子、ボイド又はバブル及び連続する材料内の変化する光学特性及びそれらの混合物よりなる群から選択される粒子よりなることを特徴とする請求項３１乃至３３のいずれか一項に記載の識別タグ。
【請求項３５】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択された粒子よりなることを特徴とする請求項３１乃至３４のいずれか一項に記載の識別タグ。
【請求項３６】
前記導電性粒子は、金属粒子、カーボンブラック粒子、グラファイト粒子、金属コーティング粒子、ボイド又はバブル及び連続する材料内の変化する導電性のドメイン及びそれらの混合物から選択される材料よりなることを特徴とする請求項３１乃至３５のいずれか一項に記載の識別タグ。
【請求項３７】
前記導電性粒子は、（ポリ）シリコン、ガリウム砒素、窒化ガリウム、白金シリサイド、窒化珪素、シリコンクロム（ＳｉＣｒ）及びそれらの混合物よりなることを特徴とする請求項３１乃至３６のいずれか一項に記載の識別タグ。
【請求項３８】
平均粒子は、約１０ナノメートルと約５００マイクロメートルとの間の最も大きな寸法を有することを特徴とする請求項３１乃至３７のいずれか一項に記載の識別タグ。
【請求項３９】
前記タグは、層構造体よりなり、前記識別層は、ベース層と頂部層との間に配置されることを特徴とする請求項２９乃至３８のいずれか一項に記載の識別タグ。
【請求項４０】
前記キャビティは、前記識別層の少なくとも一部が、前記識別機能を読み取るために露出されるように形成されることを特徴とする請求項３９に記載の識別タグ。
【請求項４１】
前記キャビティは、規則正しい形状を有することを特徴とする請求項２２乃至４０のいずれか一項に記載の識別タグ。
【請求項４２】
前記キャビティは、実質的に円形横断形状又は多角形横断形状を有することを特徴とする請求項４１に記載の識別タグ。
【請求項４３】
前記実質的に円形状は、円形又は楕円形であることを特徴とする請求項４３に記載の識別タグ。
【請求項４４】
前記多角形は、実質的に三角形、四角形、矩形、五角形、六角形、又は八角形であることを特徴とする請求項４３に記載の識別タグ。
【請求項４５】
前記キャビティは、一つの開口又は二つの開口よりなることを特徴とする請求項２２乃至４４のいずれか一項に記載の識別タグ。
【請求項４６】
前記層構造体は、前記ベース層と前記頂部層との間に配置される少なくとも一つの更なる識別層を備えることを特徴とする請求項２９乃至４５のいずれか一項に記載の識別タグ。
【請求項４７】
前記層構造体は、前記識別層と前記更なる識別層との間に配置される少なくとも一つの中間層を備えることを特徴とする請求項４６に記載の識別タグ。
【請求項４８】
前記タグは、それが識別されるべきオブジェクトに取り付け可能であるように構成されることを特徴とする請求項２２乃至４７のいずれか一項に記載の識別タグ。
【請求項４９】
前記識別されるべきオブジェクトに取り付け可能であるために、前記タグの少なくとも一つの外表面が少なくとも部分的に接着性であるか又は熱接合を受けるのに少なくとも部分的に適することを特徴とする請求項４８に記載の識別タグ。
【請求項５０】
前記ベース層は、ポリマー材料、金属、セラミック、又は自然に生じる有機材料からなる群から選択される材料よりなることを特徴とする請求項２２乃至４９のいずれか一項に記載の識別タグ。
【請求項５１】
請求項２２乃至５０のいずれか一項で定義される識別タグが取り付けられたことを特徴とするオブジェクト。
【請求項５２】
識別されるように構成されるオブジェクトであって、前記オブジェクトは、キャビティを備え、
読み取り可能識別機能は、前記オブジェクト内に、識別機能を読み取るためのキャビティ内に挿入される読み取りデバイスの一部によって前記識別機能が読み取られることができるように配置され、
前記キャビティは、係合トラックが前記オブジェクト内に形成されるように設計され、
前記係合トラックは、前記オブジェクトに配置される前記識別機能を読み取る読み取りデバイスの前記一部に対して形状が本質的に相補的であり、前記係合トラックによって、前記識別機能に対して前記読み取りデバイスの前記一部の容易な位置合わせが可能となることを特徴とするオブジェクト。
【請求項５３】
前記識別機能は、チップ、磁気ストリップ、シリアル番号、又は光学マーキングに配置されることを特徴とする請求項５２に記載のオブジェクト。
【請求項５４】
前記チップは、高周波タグ識別（ＲＦＩＤ）チップ又は接触ベースのチップであることを特徴とする請求項５３に記載のオブジェクト。
【請求項５５】
前記光学マーキングは、バーコード又はホログラムであることを特徴とする請求項５３に記載のオブジェクト。
【請求項５６】
ベース層を備え、前記チップは、前記ベース層中に配置されるか又はその上に取り付けられるか、又は前記光学マーキングは、前記ベース層中に又は上に配置されることを特徴とする請求項５２乃至５５のいずれか一項に記載のオブジェクト。
【請求項５７】
頂部層を更に備えることを特徴とする請求項５６に記載のオブジェクト。
【請求項５８】
前記頂部層又は前記ベース層は、前記頂部層を前記底部層に取り付けることによって前記キャビティが形成されるように設計されることを特徴とする請求項５７に記載のオブジェクト。
【請求項５９】
前記オブジェクトは、識別層を備え、
前記読み取り可能識別機能は、前記識別層内に配置され、
前記識別機能は、前記識別層に含まれる少なくとも部分的にランダムに分布された材料によって形成され、
前記識別層は、前記タグ内に、前記識別機能を読み取るために前記キャビティ内に挿入される読み取りデバイスの前記一部によって前記識別機能が読み取られることができるように配置されることを特徴とする請求項５２乃至５８のいずれか一項に記載のオブジェクト。
【請求項６０】
前記ランダムに分布された材料は、複数のランダムに分布された粒子よりなることを特徴とする請求項５９に記載のオブジェクト。
【請求項６１】
前記ランダムに分布された粒子は、複数のランダムに分布された磁性又は磁化可能粒子、複数に分布された導電性及び／又は半導電性粒子、複数のランダムに分布された光活性又は光学的に区別可能な粒子又は前記粒子の混合物からなることを特徴とする請求項６０に記載のオブジェクト。
【請求項６２】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項６１に記載のオブジェクト。
【請求項６３】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物及びそれらの組み合わせからなる群から選択されることを特徴とする請求項６２に記載のオブジェクト。
【請求項６４】
前記光活性粒子は、染料粒子、染料コーティング粒子、発光粒子、量子ドット粒子、光輝性粒子、偏光クリスタル、キラル分子、液晶、複屈折粒子、ボイド又はバブル、及び連続する材料内の変化する光学特性のドメイン及びそれらの混合物よりなる群から選択される粒子よりなることを特徴とする請求項６１乃至６３のいずれか一項に記載のオブジェクト。
【請求項６５】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択された粒子よりなることを特徴とする請求項６１乃至６４の一項に記載のオブジェクト。
【請求項６６】
前記導電性粒子は、金属粒子、カーボンブラック粒子、グラファイト粒子、金属コーティング粒子、ボイド又はバブル及び連続する材料内の変化する導電性のドメイン及びそれらの混合物から選択される材料よりなることを特徴とする請求項６１乃至６５のいずれか一項に記載のオブジェクト。
【請求項６７】
前記導電性粒子は、（ポリ）シリコン、ガリウム砒素、窒化ガリウム、白金シリサイド、窒化珪素、シリコンクロム（ＳｉＣｒ）、及びそれらの混合物から選択された材料よりなることを特徴とする請求項６１乃至６７のいずれか一項に記載のオブジェクト。
【請求項６８】
平均粒子は、約１０ナノメートルと約５００マイクロメートルとの間の最も大きな寸法を有することを特徴とする請求項６１乃至６７のいずれか一項に記載のオブジェクト。
【請求項６９】
前記キャビティは、前記識別層の少なくとも一部が前記識別機能を読み取るために露出されるように形成されることを特徴とする請求項５９乃至６８のいずれか一項に記載のオブジェクト。
【請求項７０】
前記キャビティは、規則正しい形状を有することを特徴とする請求項５２乃至６９のいずれか一項に記載のオブジェクト。
【請求項７１】
前記キャビティは、実質的に円形横断形状又は多角形横断形状を有することを特徴とする請求項７０に記載のオブジェクト。
【請求項７２】
前記実質的に円形状は、円形又は楕円形であることを特徴とする請求項７１に記載のオブジェクト。
【請求項７３】
前記多角形は、実質的に三角形、四角形、矩形、五角形、六角形、又は八角形であることを特徴とする請求項７２に記載のオブジェクト。
【請求項７４】
前記キャビティは、一つの開口又は二つの開口よりなることを特徴とする請求項５２乃至７３のいずれか一項に記載のオブジェクト。
【請求項７５】
前記オブジェクトは、エンジニアリングコンポーネントであることを特徴とする請求項５２乃至７５のいずれか一項に記載のオブジェクト。
【請求項７６】
前記エンジニアリングコンポーネントは、金属、金属合金、セラミック、ポリマー材料、ファイバーグラス又はカーボンファイバーから作られる請求項７５に記載のオブジェクト。
【請求項７７】
オブジェクトを識別するための識別タグであって、前記オブジェクトへ前記識別タグが取り付けられることができ、前記識別タグは、識別層を備え、
読み取り可能識別機能が前記識別層に配置され、前記識別機能は、前記識別層に含まれるランダムに分布された材料によって少なくとも部分的に形成され、
前記識別層は、前記識別タグに、係合トラックが前記タグ内に形成されるように配置され、前記係合トラックは、前記識別層に配置される前記識別機能を読み取るように読み取りデバイスの一部に形状が実質的に相補的であり、前記係合トラックによって、前記識別機能に対して前記読み取りデバイスの前記一部の容易な位置合わせが可能となることを特徴とする識別タグ。
【請求項７８】
前記係合トラックは、前記タグ中に凹所として形成され、前記識別層は、前記凹所内に配置されることを特徴とする請求項７７に記載の識別タグ。
【請求項７９】
前記識別層は、前記凹所の頂部又は底部壁内に又はその上に配置されることを特徴とする請求項７８に記載の識別タグ。
【請求項８０】
前記識別層は、前記凹所の横壁に又は内に配置されることを特徴とする請求項７８に記載の識別タグ。
【請求項８１】
前記係合トラックは、少なくとも５０マイクロメートルの、少なくとも１５０マイクロメートルの、少なくとも２００マイクロメートルの、又は少なくとも２５０マイクロメートルの深さを有することを特徴とする請求項７８乃至８０のいずれか一項に記載の識別タグ。
【請求項８２】
前記係合トラックは、前記タグの突起として形成され、前記識別層は、前記タグの前記突起内に配置されることを特徴とする請求項７７に記載の識別タグ。
【請求項８３】
前記識別層は、前記突起の頂壁内に又は上に配置されることを特徴とする請求項８２に記載の識別タグ。
【請求項８４】
前記識別層は、前記突起の横壁内に又は上に配置されることを特徴とする請求項８３に記載の識別タグ。
【請求項８５】
前記係合トラックは、少なくとも５０マイクロメートルの、少なくとも１５０マイクロメートルの、少なくとも２００マイクロメートルの、又は少なくとも２５０マイクロメートルの高さを有することを特徴とする請求項８２乃至８４のいずれか一項に記載の識別タグ。
【請求項８６】
前記識別層は、前記凹所又は前記突起に対して横方向に位置される領域中の前記タグに配置されることを特徴とする請求項７８乃至８６のいずれか一項に記載の識別タグ。
【請求項８７】
前記識別層の主表面は、前記識別機能を読み取るために露出されることを特徴とする請求項７７乃至８６のいずれか一項に記載の識別タグ。
【請求項８８】
前記識別層の最も薄い寸法は、前記識別機能を読み取るために露出されることを特徴とする請求項７７乃至８６のいずれか一項に記載の識別タグ。
【請求項８９】
前記係合トラックは、規則的な形状を有することを特徴とする請求項７７乃至８６のいずれか一項に記載の識別タグ。
【請求項９０】
前記係合トラックは、実質的に円形横断形状又は多角形横断形状を有することを特徴とする請求項８９に記載の識別タグ。
【請求項９１】
前記実質的に円形状は、円形又は楕円形であることを特徴とする請求項９０に記載の識別タグ。
【請求項９２】
前記多角形は、実質的に三角形、四角形、矩形、五角形、六角形、又は八角形であることを特徴とする請求項９０に記載の識別タグ。
【請求項９３】
前記タグは、前記識別機能を読み取るプロセス中に前記リーダの読み取り部分の位置合わせを更に容易にする位置合わせマーキングを備えることを特徴とする請求項７７乃至９２のいずれか一項に記載の識別タグ。
【請求項９４】
前記ランダムに分布された材料は、複数のランダムに分布された粒子よりなる請求項７７乃至９３のいずれか一項に記載の識別タグ。
【請求項９５】
前記ランダムに分布された粒子は、複数のランダムに分布された磁性又は磁化可能粒子、複数に分布された導電性及び／又は半導電性粒子、複数のランダムに分布された光活性粒子又は光学的に区別可能な粒子又は前記粒子の混合物からなることを特徴とする請求項９４に記載の識別タグ。
【請求項９６】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項９５に記載の識別タグ。
【請求項９７】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物及びそれらの組み合わせからなる群から選択されることを特徴とする請求項９６に記載の識別タグ。
【請求項９８】
前記光活性粒子は、染料粒子、染料コーティング粒子、発光粒子、量子ドット粒子、光輝性粒子、偏光クリスタル、キラル分子、液晶、複屈折粒子、ボイド又はバブル、及び連続する材料内の変化する光学特性のドメイン及びそれらの混合物よりなる群から選択される粒子よりなることを特徴とする請求項９５乃至９７のいずれか一項に記載の識別タグ。
【請求項９９】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択される粒子よりなることを特徴とする請求項９５乃至９８のいずれか一項に記載の識別タグ。
【請求項１００】
前記導電性粒子は、金属粒子、カーボンブラック粒子、グラファイト粒子、金属コーティング粒子、ボイド又はバブル及び連続する材料内の変化する導電性のドメイン及びそれらの混合物よりなる群から選択される材料よりなることを特徴とする請求項９５乃至９９のいずれか一項に記載の識別タグ。
【請求項１０１】
前記導電性粒子は、（ポリ）シリコン、ガリウム砒素、窒化ガリウム、白金シリサイド、窒化珪素、及びシリコンクロム（ＳｉＣｒ）よりなることを特徴とする請求項９５乃至１００のいずれか一項に記載の識別タグ。
【請求項１０２】
平均粒子は、約１０ナノメートルと約５００マイクロメートルとの間の最も大きな寸法を有することを特徴とする請求項９５乃至１０１のいずれか一項に記載の識別タグ。
【請求項１０３】
請求項７７乃至１０２のいずれか一項に記載の識別タグを取り付けたオブジェクト。
【請求項１０４】
識別されるように構成されたオブジェクトであって、前記オブジェクトは、識別層を備え、
読み取り可能識別機能が前記識別層に配置され、前記識別機能は、前記識別層に含まれるランダムに分布された材料によって少なくとも部分的に形成され、
前記識別層は、前記オブジェクトに、係合トラックが前記オブジェクト内に形成されるように配置され、前記係合トラックは、前記識別層に配置される前記識別機能を読み取る読み取りデバイスの一部に形状が実質的に相補的であり、前記係合トラックによって、前記識別機能に対して前記読み取りデバイスの前記一部の容易な位置合わせが可能となることを特徴とするオブジェクト。
【請求項１０５】
前記係合トラックは、前記タグ中に凹所として形成され、前記識別層は、前記凹所内に配置されることを特徴とする請求項１０４に記載のオブジェクト。
【請求項１０６】
前記識別層は、前記オブジェクトの前記凹所内又は前記凹所の底壁上に配置されることを特徴とする請求項１０５に記載のオブジェクト。
【請求項１０７】
前記識別層は、前記凹所に又は前記凹所の横壁内に配置されることを特徴とする請求項１０６に記載のオブジェクト。
【請求項１０８】
前記係合トラックは、少なくとも５０マイクロメートルの、少なくとも１５０マイクロメートルの、少なくとも２００マイクロメートルの、又は少なくとも２５０マイクロメートルの深さを有することを特徴とする請求項１０５乃至１０７のいずれか一項に記載のオブジェクト。
【請求項１０９】
前記係合トラックは、前記オブジェクトの突起として形成され、前記識別層は、前記オブジェクトの前記突起内に配置されることを特徴とする請求項１０４に記載のオブジェクト。
【請求項１１０】
前記識別層は、前記突起の頂壁内に又は上に配置されることを特徴とする請求項１０９に記載のオブジェクト。
【請求項１１１】
前記識別層は、前記突起の横壁内に又は上に配置されることを特徴とする請求項１１０に記載のオブジェクト。
【請求項１１２】
前記係合トラックは、少なくとも５０マイクロメートルの、少なくとも１５０マイクロメートルの、少なくとも２００マイクロメートルの、又は少なくとも２５０マイクロメートルの高さを有することを特徴とする請求項１０９乃至１１２のいずれか一項に記載のオブジェクト。
【請求項１１３】
前記識別層は、前記凹所又は前記突起に対して横方向に位置される領域中の前記タグに配置されることを特徴とする請求項１０５乃至１１２のいずれか一項に記載のオブジェクト。
【請求項１１４】
前記識別層の主表面は、前記識別機能を読み取るために露出されることを特徴とする請求項１０４乃至１１３のいずれか一項に記載のオブジェクト。
【請求項１１５】
前記識別層の最も薄い寸法は、前記識別機能を読み取るために露出されることを特徴とする請求項１０４乃至１１３のいずれか一項に記載のオブジェクト。
【請求項１１６】
前記係合トラックは、規則的な形状を有することを特徴とする請求項１０４乃至１１５のいずれか一項に記載のオブジェクト。
【請求項１１７】
前記係合トラックは、実質的に円形横断形状又は多角形横断形状を有することを特徴とする請求項１１６に記載のオブジェクト。
【請求項１１８】
前記実質的に円形状は、円形又は楕円形であることを特徴とする請求項１１７に記載のオブジェクト。
【請求項１１９】
前記多角形は、実質的に三角形、四角形、矩形、五角形、六角形、又は八角形であることを特徴とする請求項１１８に記載のオブジェクト。
【請求項１２０】
前記オブジェクトは、前記識別機能を読み取るプロセス中に前記リーダの読み取り部分の位置合わせを更に容易にする位置合わせマーキングを備えることを特徴とする請求項１０４乃至１１９のいずれか一項に記載のオブジェクト。
【請求項１２１】
前記ランダムに分布された材料は、複数のランダムに分布された粒子よりなることを特徴とする請求項１０４乃至１２０のいずれか一項に記載のオブジェクト。
【請求項１２２】
前記ランダムに分布された粒子は、複数のランダムに分布された磁性又は磁化可能粒子、複数に分布された導電性及び／又は半導電性粒子、複数のランダムに分布された光活性粒子又は光学的に区別可能な粒子又は前記粒子の混合物からなることを特徴とする請求項１２１に記載のオブジェクト。
【請求項１２３】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項１２２に記載のオブジェクト。
【請求項１２４】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物及びそれらの組み合わせからなる群から選択されることを特徴とする請求項１２３に記載のオブジェクト。
【請求項１２５】
前記光活性粒子は、染料粒子、染料コーティング粒子、発光粒子、量子ドット粒子、光輝性粒子、偏光クリスタル、キラル分子、液晶、複屈折粒子、ボイド又はバブル、及び連続する材料内の変化する光学特性のドメイン及びそれらの混合物よりなる群から選択される粒子よりなることを特徴とする請求項１２２乃至１２４のいずれか一項に記載のオブジェクト。
【請求項１２６】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択される粒子よりなることを特徴とする請求項１２２乃至１２５のいずれか一項に記載の識別タグ。
【請求項１２７】
前記導電性粒子は、金属粒子、カーボンブラック粒子、グラファイト粒子、金属コーティング粒子、ボイド又はバブル及び連続する材料内の変化する導電性のドメイン及びそれらの混合物よりなる群から選択される材料よりなることを特徴とする請求項１２２乃至１２６１の一項に記載のオブジェクト。
【請求項１２８】
前記導電性粒子は、（ポリ）シリコン、ガリウム砒素、窒化ガリウム、白金シリサイド、窒化珪素、及びシリコンクロム（ＳｉＣｒ）よりなることを特徴とする請求項１２２乃至１２７のいずれか一項に記載のオブジェクト。
【請求項１２９】
平均粒子は、約１０ナノメートルと約５００マイクロメートルとの間の最も大きな寸法を有することを特徴とする請求項１２２乃至１２８のいずれか一項に記載のオブジェクト。
【請求項１３０】
識別タグを備えるオブジェクトであって、前記識別タグオブジェクトは、識別層を備え、
読み取り可能識別機能が前記識別タグの前記識別層に配置され、前記識別機能は、前記識別層に含まれるランダムに分布された材料によって少なくとも部分的に形成され、
前記識別タグは、前記オブジェクトに、係合トラックが前記オブジェクトと前記識別タグによって形成されるように配置され、前記係合トラックは、前記読み取りトラックを介して前記識別層に配置される前記識別機能を読み取る読み取りデバイスの一部に対して形状が実質的に相補的であり、前記係合トラックによって、前記識別機能に対して前記読み取りデバイスの前記一部の容易な位置合わせが可能となることを特徴とするオブジェクト。
【請求項１３１】
前記係合トラックは、前記オブジェクトの凹所として形成され、前記識別タグは、前記凹所内に配置され、且つ前記タグは、前記係合トラックの少なくとも一表面を形成すること特徴とする請求項１３０に記載のオブジェクト。
【請求項１３２】
前記識別タグは、前記オブジェクトの前記凹所の底壁上に配置されること特徴とする請求項１３１に記載のオブジェクト。
【請求項１３３】
前記識別タグは、前記凹所の横壁上に配置されること特徴とする請求項１３２に記載のオブジェクト。
【請求項１３４】
前記係合トラックは、少なくとも５０マイクロメートルの、少なくとも１５０マイクロメートルの、少なくとも２００マイクロメートルの、又は少なくとも２５０マイクロメートルの深さを有することを特徴とする請求項１３０乃至１３３のいずれか一項に記載のオブジェクト。
【請求項１３５】
前記係合トラックは、前記オブジェクトの突起として形成され、前記識別タグは、前記オブジェクトの前記突起内に配置され、前記識別タグは、前記係合トラックの少なくとも一表面を形成すること特徴とする請求項１３０に記載のオブジェクト。
【請求項１３６】
前記識別層は、前記突起の頂壁上に配置されること特徴とする請求項１３５に記載のオブジェクト。
【請求項１３７】
前記識別層は、前記突起の横壁上に配置されること特徴とする請求項１３６に記載のオブジェクト。
【請求項１３８】
前記係合トラックは、少なくとも５０マイクロメートルの、少なくとも１５０マイクロメートルの、少なくとも２００マイクロメートルの、又は少なくとも２５０マイクロメートルの高さを有することを特徴とする請求項１３５乃至１３７のいずれか一項に記載のオブジェクト。
【請求項１３９】
前記識別層は、前記凹所又は前記突起に対して横方向に位置される領域中のオブジェクトに配置されることを特徴とする請求項１３０乃至１３８のいずれか一項に記載のオブジェクト。
【請求項１４０】
前記識別層の主表面は、前記識別機能を読み取るために露出されることを特徴とする請求項１３０乃至１３９のいずれか一項に記載のオブジェクト。
【請求項１４１】
前記識別層の最も薄い寸法は、前記識別機能を読み取るために露出されることを特徴とする請求項１３０乃至１３９のいずれか一項に記載のオブジェクト。
【請求項１４２】
前記係合トラックは、規則的な形状を有することを特徴とする請求項１３０乃至１４１のいずれか一項に記載のオブジェクト。
【請求項１４３】
前記係合トラックは、実質的に円形横断形状又は多角形横断形状を有することを特徴とする請求項１４２に記載のオブジェクト。
【請求項１４４】
前記実質的に円形状は、円形又は楕円形であることを特徴とする請求項１４３に記載のオブジェクト。
【請求項１４５】
前記多角形は、実質的に三角形、四角形、矩形、五角形、六角形、又は八角形であることを特徴とする請求項１４３に記載のオブジェクト。
【請求項１４６】
前記オブジェクトは、前記識別機能を読み取るプロセス中に前記リーダの読み取り部分の位置合わせ又はその読み取り部分の相対位置の測定を更に容易にする位置合わせマーキングを備えることを特徴とする請求項１３０乃至１４５のいずれか一項に記載のオブジェクト。
【請求項１４７】
前記識別層は、ランダムに分布された材料よりなることを特徴とする請求項１３０乃至１４６のいずれか一項に記載のオブジェクト。
【請求項１４８】
前記ランダムに分布された材料は、複数のランダムに分布された粒子よりなることを特徴とする請求項１４７に記載のオブジェクト。
【請求項１４９】
前記ランダムに分布された粒子は、複数のランダムに分布された磁性又は磁化可能粒子、複数に分布された導電性及び／又は半導電性粒子、複数のランダムに分布された光活性粒子又は光学的に区別可能な粒子又は前記粒子の混合物からなることを特徴とする請求項１４８に記載のオブジェクト。
【請求項１５０】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項１４９に記載のオブジェクト。
【請求項１５１】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物及びそれらの組み合わせからなる群から選択されるなることを特徴とする請求項１５０に記載のオブジェクト。
【請求項１５２】
前記光活性粒子は、染料粒子、染料コーティング粒子、発光粒子、量子ドット粒子、光輝性粒子、偏光クリスタル、キラル分子、液晶、複屈折粒子、ボイド又はバブル、及び連続する材料内の変化する光学特性のドメイン及びそれらの混合物よりなる群から選択される粒子よりなることを特徴とする請求項１４９乃至１５１のいずれか一項に記載のオブジェクト。
【請求項１５３】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択された粒子よりなることを特徴とする請求項１４９乃至１５２のいずれか一項に記載のオブジェクト。
【請求項１５４】
前記導電性粒子は、金属粒子、カーボンブラック粒子、グラファイト粒子、金属コーティング粒子、ボイド又はバブル及び連続する材料内の変化する導電性のドメイン及びそれらの混合物よりなる群から選択される材料よりなることを特徴とする請求項１４９乃至１５３のいずれか一項に記載のオブジェクト。
【請求項１５５】
前記導電性粒子は、（ポリ）シリコン、ガリウム砒素、窒化ガリウム、白金シリサイド、窒化珪素、及びシリコンクロム（ＳｉＣｒ）よりなることを特徴とする請求項１４９乃至１５４のいずれか一項に記載のオブジェクト。
【請求項１５６】
平均粒子は、約１０ナノメートルと約５００マイクロメートルとの間の最も大きな寸法を有することを特徴とする請求項１４８乃至１５５のいずれか一項に記載のオブジェクト。
【請求項１５７】
識別タグを取り付けたオブジェクトであって、前記識別タグオブジェクトは、識別層を備え、
読み取り可能識別機能は、前記識別層に配置され、前記識別機能は、前記識別層に含まれるランダムに分布された材料によって少なくとも部分的に形成され、
前記識別層は、前記読み取り可能識別機能の少なくとも幾つかが前記識別層の最も薄い寸法から有意に読み取られるに過ぎないように露出されないという条件で、
前記識別タグは、前記オブジェクトの外表面に、前記タグが前記オブジェクト上に係合トラックを形成するように配置され、前記係合トラックは、前記読み取りトラックを介して前記識別層に配置される前記識別機能を読み取る読み取りデバイスの一部に対して形状が実質的に相補的であり、前記係合トラックによって、前記識別機能に関して前記読み取りデバイスの前記一部の容易な位置合わせが可能となることを特徴とするオブジェクト。
【請求項１５８】
前記オブジェクトは、前記識別層の主表面が前記識別機能を読み取るために露出されるように配置されることを特徴とする請求項１５７に記載のオブジェクト。
【請求項１５９】
前記オブジェクトは、前記オブジェクト上に突起として配置され、それによって、前記係合トラックを形成することを特徴とする請求項１５７又は１５８に記載のオブジェクト。
【請求項１６０】
前記係合トラックは、少なくとも５０マイクロメートルの、少なくとも１５０マイクロメートルの、少なくとも２００マイクロメートルの、又は少なくとも２５０マイクロメートルの高さを有することを特徴とする請求項１５７乃至１５９のいずれか一項に記載のオブジェクト。
【請求項１６１】
前記ランダムに分布された材料は、複数のランダムに分布された粒子よりなることを特徴とする請求項１５９乃至１６０のいずれか一項に記載のオブジェクト。
【請求項１６２】
前記ランダムに分布された粒子は、複数のランダムに分布された磁性又は磁化可能粒子、複数に分布された導電性及び／又は半導電性粒子、複数のランダムに分布された光活性粒子又は前記粒子の混合物からなることを特徴とする請求項１６１に記載のオブジェクト。
【請求項１６３】
オブジェクトを識別するための識別タグを生成するための方法であって、前記オブジェクトへ前記識別タグが取り付けられることができ、前記方法は、
適切な材料の適応層を提供し、前記適応層は、少なくとも一つの適応凹所を備え、
少なくとも部分的に材料で前記少なくとも一つの適応凹所を充填し、充填後に、前記材料が前記適応凹所内にランダムに分布され、それによって、前記オブジェクトを識別するための読み取り可能識別機能を形成することを特徴とする方法。
【請求項１６４】
前記適応層は、前記少なくとも一つの適応凹所を前記適切な材料のフィルム内に形成することによって生成されることを特徴とする請求項１６３に記載の方法。
【請求項１６５】
前記適応層は、機械的手段又はレーザーを使用することによって、前記適切な材料のフィルム内に形成されることを特徴とする請求項１６４に記載の方法。
【請求項１６６】
前記機械的手段は、ナイフ、ブレード又はパンチャーであることを特徴とする請求項１６５に記載の方法。
【請求項１６７】
前記識別機能を形成する材料で前記適応層を充填するために、前記材料は、液体組成物に分散されることを特徴とする請求項１６３乃至１６７のいずれか一項に記載の方法。
【請求項１６８】
前記材料が粒子よりなることを特徴とする請求項１６３乃至１６７のいずれか一項に記載の方法。
【請求項１６９】
前記粒子は、複数の磁性又は磁化可能粒子、複数の導電性及び／又は半導電性粒子、複数の光活性粒子及び／又は光学的に区別可能粒子又は前記粒子の混合物よりなることを特徴とする請求項１６８に記載の方法。
【請求項１７０】
前記液体組成物は、赤外（ＩＲ）又は紫外（ＵＶ）光手段によって硬化可能なポリマー前駆体コンパウンドよりなることを特徴とする請求項１６７乃至１６９のいずれか一項に記載の方法。
【請求項１７１】
前記ポリマー前駆体コンパウンドは、ポリスチレン、エポキシ樹脂、ポリアルキレン、ポリイミド、ポリベンゾオキサゾール（polybenzoxazoles）、ポリアクリレート、ポリエーテル、ポリベンゾオキサヨール（polybenzoxayoles）、ポリチオアヨール（polythioayoles）、エポシキド、（メタ）アクリレート、及びポリシロキサンよりなる群から選択されることを特徴とする請求項１７０に記載の方法。
【請求項１７２】
前記液体組成物は、プリンティング、スクイージング、又はスプレーイングによって前記適応凹所内に分散されることを特徴とする請求項１６７乃至１７１のいずれか一項に記載の方法。
【請求項１７３】
前記液体組成物は、前記組成物を前記適応凹所内に分散した後固化され、それによって、前記粒子をマトリックス内にランダム分布方法で埋め込むことを特徴とする請求項１７２に記載の方法。
【請求項１７４】
前記適応凹所は、カバー層又は支持層を前記適応層に取り付ける前に生成されることを特徴とする請求項１６３乃至１７３のいずれか一項に記載の方法。
【請求項１７５】
オブジェクトを識別するための識別タグを生成するための方法であって、前記オブジェクトへ前記識別タグが取り付けられることができ、前記識別タグは、キャビティを備え、
前記方法は、読み取り可能識別機能を前記識別機能が前記キャビティ内に挿入されるべき読み取りデバイスの一部によって読み取られることができるように前記タグ内に配置し、
係合トラックが前記タグ内の前記キャビティによって形成されるように前記キャビティを形成し、前記係合トラックは、前記タグ内に配置される前記識別機能を読み取る読み取りデバイスの前記一部に対して形状が実質的に相補的であることを特徴とする方法。
【請求項１７６】
オブジェクトを識別するための識別タグを生成するための方法であって、前記オブジェクトへ前記識別タグが取り付けられることができ、前記識別タグは、識別層を備え、読み取り可能識別機能が前記識別層に配置され、前記識別機能は、前記識別層に含まれるランダムに分布された材料によって少なくとも部分的に形成され、
前記方法は、係合トラックが前記タグ内に形成されるように且つ前記係合トラックが前記識別層に配置される識別機能を読み取る読み取りデバイスの一部に対して形状が実質的に相補的であるように前記識別タグ内に前記識別層を配置することよりなることを特徴とする方法。
【請求項１７７】
識別されるように構成されるオブジェクトを生成する方法であって、前記オブジェクトは、キャビティを備え、
前記方法は、読み取り可能識別機能を前記識別機能が前記キャビティ内に挿入されるべき読み取りデバイスの一部によって読み取られるように前記オブジェクト内に配置し、且つ
係合トラックが前記オブジェクト内の前記キャビティによって形成されるように前記キャビティを形成し、前記係合トラックは、前記オブジェクト内に配置される前記識別機能を読み取る読み取りデバイスの前記一部に対して形状が実質的に相補的であることを特徴とする方法。
【請求項１７８】
識別されるように構成されるオブジェクトを生成する方法であって、前記オブジェクトは、識別層を備え、読み取り可能識別機能が前記識別層内に配置され、前記識別機能は、前記識別層に含まれるランダムに分布された材料によって少なくとも部分的に形成され、
前記方法は、係合トラックが前記オブジェクト内に形成されるように且つ前記係合トラックが前記識別層に配置される識別機能を読み取る読み取りデバイスの一部に対して形状が実質的に相補的であるように前記識別オブジェクト内に前記識別層を配置することよりなることを特徴とする方法。
【請求項１７９】
識別されるように構成される識別機能又はオブジェクトに配置される識別機能（複数）を読み取るための読み取りデバイスであって、前記識別タグ又はオブジェクトは、前記タグ又は前記オブジェクト内にキャビティ又は凹所として形成される係合トラックを備え、前記係合トラックは、前記識別機能を読み取るために使用され、
前記読み取りデバイスは、
識別されるように構成される前記識別タグ又はオブジェクト内に配置される前記識別機能を読み取るため構成される読み取り要素を備え、前記読み取り要素は、前記読み取りデバイスの係合要素内に配置され、前記係合要素は、前記識別タグ又はオブジェクトの前記係合トラックに対して形状が実質的に相補的であることを特徴とする読み取りデバイス。
【請求項１８０】
前記係合要素は、前記係合トラックと係合するための突起を備え、この突起は、規則正しい形状を有することを特徴とする請求項１７９に記載の読み取りデバイス。
【請求項１８１】
前記突起は、半円形横断面形状又は多角形横断面形状を有することを特徴とする請求項１８０に記載の読み取りデバイス。
【請求項１８２】
前記多角形は、実質的に三角形、四角形、矩形、五角形、六角形、又は八角形であることを特徴とする請求項１８１に記載の読み取りデバイス。
【請求項１８３】
前記突起は、少なくとも５０マイクロメートルの、少なくとも１５０マイクロメートルの、少なくとも２００マイクロメートルの、又は少なくとも２５０マイクロメートルの高さを有することを特徴とする請求項１８０乃至１８２のいずれか一項に記載の読み取りデバイス。
【請求項１８４】
識別されるように構成される識別機能又はオブジェクトに配置される識別機能（複数）を読み取るための読み取りデバイスであって、前記識別タグ又はオブジェクトは、前記タグ又は前記オブジェクト内に突起として形成される係合トラックを備え、前記係合トラックは、前記識別機能を読み取るために使用され、
前記読み取りデバイスは、
前記タグ又はオブジェクト内に配置される前記識別機能を読み取るため構成される読み取り要素を備え、前記読み取り要素は、前記識別タグ又はオブジェクトの前記係合トラックに対して形状が実質的に相補的である非Ｕ字形状係合要素内に配置されることを特徴とする読み取りデバイス。
【請求項１８５】
前記係合要素は、前記係合トラックと係合するための凹所よりなり、この凹所は、断面が実質的に三角形、四角形、台形、半円形、五角形、六角形、八角形、又は曲線形であることを特徴とする請求項１８４に記載の読み取りデバイス。
【請求項１８６】
識別されるように構成される識別機能又はオブジェクトに配置される識別機能（複数）を読み取るための読み取りデバイスであって、前記識別タグ又はオブジェクトは、前記タグ又は前記オブジェクト内に突起として形成される係合トラックよりなり、前記係合トラックは、前記識別機能を読み取るために使用され、
前記読み取りデバイスは、
前記識別タグ又はオブジェクトの前記係合トラックに対して形状が実質的に相補的である凹所を有する係合要素を備え、前記係合要素は、前記凹所の横領域に、前記識別タグ内に配置される前記識別機能を読み取るために構成される読み取り要素を備えることを特徴とする読み取りデバイス。
【請求項１８７】
前記係合要素は、前記係合トラックと係合するための凹所を備えると共に、この凹所は、実質的にＵ形状、三角形、四角形、台形、半円形、五角形、六角形、八角形、又は曲線形であることを特徴とする請求項１８４に記載の読み取りデバイス。
【請求項１８８】
前記凹所は、少なくとも５０マイクロメートルの、少なくとも１５０マイクロメートルの、少なくとも２００マイクロメートルの、又は少なくとも２５０マイクロメートルの深さを有することを特徴とする請求項１８６又は１８７に記載の読み取りデバイス。
【請求項１８９】
前記読み取り要素は、前記タグ又はオブジェクトに前記識別機能を形成するランダムに分布された材料から情報を読み取るように構成されることを特徴とする請求項１７９乃至１８８のいずれか一項に記載の読み取りデバイス。
【請求項１９０】
前記読み取り要素は、前記タグ又はオブジェクトに前記識別機能を形成する複数のランダムに分布された粒子から情報を読み取るように構成されることを特徴とする請求項１８９に記載の読み取りデバイス。
【請求項１９１】
前記読み取り要素は、前記タグ又はオブジェクトの識別層に含まれる複数のランダムに分布された磁性粒子から情報を読み取るように構成されることを特徴とする請求項１９０に記載の読み取りデバイス。
【請求項１９２】
前記読み取り要素は、前記タグ又はオブジェクトの識別層に含まれる複数のランダムに分布された導電性及び／又は半導電性粒子から電気又は電磁情報を読み取るように構成されることを特徴とする請求項１９０又は１９１に記載の読み取りデバイス。
【請求項１９３】
前記読み取り要素は、前記タグ又はオブジェクトの識別層に含まれる複数のランダムに分布された光活性粒子から発される光子を検出するように構成されることを特徴とする請求項１９０乃至１９２のいずれか一項に記載の読み取りデバイス。
【請求項１９４】
前記読み取り要素は、前記タグ又はオブジェクトの識別層に含まれる複数のランダムに分布された光学的に区別可能な粒子から反射される又はそれによって偏向される光子を検出するように構成されることを特徴とする請求項１９０乃至１９３のいずれか一項に記載の読み取りデバイス。
【請求項１９５】
トラッキング要素を更に備え、前記トラッキング要素は、前記識別機能を読み取るプロセス中に読み取られるべき前記識別機能に相対する前記読み取り要素の位置合わせや運動を容易にする又は測定するように構成されることを特徴とする請求項１７９乃至１９４のいずれか一項に記載の読み取りデバイス。
【請求項１９６】
前記トラッキング要素は、前記読み取り要素を光学的に位置決めするために構成されることを特徴とする請求項１９５に記載の読み取りデバイス。
【請求項１９７】
前記トラッキング要素は、読み取られるべき識別機能に対して、前記読み取り要素の相対位置を光学的に測定するために構成されることを特徴とする請求項１９６に記載の読み取りデバイス。
【請求項１９８】
前記トラッキング要素は、前記読み取り要素を電磁的に位置決めするために構成されることを特徴とする請求項１９５又は１９６に記載の読み取りデバイス。
【請求項１９９】
前記トラッキング要素は、読み取られるべき前記識別機能に対して、前記読み取り要素の相対位置を電磁的に測定するために構成されることを特徴とする請求項１９８に記載の読み取りデバイス。
【請求項２００】
前記読み取り要素によって読み取られる前記機能からフィンガープリント及び／又はシグネチャを処理するように構成される処理手段を有することを特徴とする請求項１７９乃至１９９のいずれか一項に記載の読み取りデバイス。
【請求項２０１】
前記処理手段は、
−前記読み取り要素によって読み取られた機能からの前記フィンガープリント及び／又はシグネチャを事前格納された基準シグネチャと比較し、
−もし識別タグ又はオブジェクトから読み取られた前記フィンガープリント及び／又はシグネチャが前記事前格納された基準シグネチャから予め決定された閾値未満だけ異なる場合、前記識別タグ又は前記オブジェクトを有効であると識別するように構成されることを特徴とする請求項２００に記載の読み取りデバイス。
【請求項２０２】
前記読み取りデバイスは、前記読み取りデバイスに対して遠くのデータ記憶媒体に配置される事前格納された基準シグネチャを受信するように構成されることを特徴とする請求項２０１に記載の読み取りデバイス。
【請求項２０３】
前記読み取りデバイスは、前記タグ又は前記タグが取り付けられる前記オブジェクトに配置される事前格納された基準シグネチャを受信するように構成されることを特徴とする請求項２０１に記載の読み取りデバイス。
【請求項２０４】
前記処理手段は、最近読み取られたフィンガープリント／シグネチャからの情報を使用して、前記事前格納された基準シグネチャを再書き込み又は付加することによって前記事前格納された基準シグネチャを更新するように更に構成されることを特徴とする請求項２０１乃至２０３のいずれか一項に記載の読み取りデバイス。
【請求項２０５】
オブジェクトを識別するための識別システムであって、識別タグが取り付けられることができるオブジェクトを識別するための請求項１乃至１９、請求項２２乃至５０、又は請求項７７乃至１０２のいずれか一項に従う識別タグと、
前記識別タグにコード化された情報を読み取るための請求項１７９乃至２０４のいずれか一項に記載の読み取りデバイスと、を備えることを特徴とする識別システム。
【請求項２０６】
前記識別タグの基準読み取りから得られる基準シグネチャが格納されるデータ記憶媒体を更に備えることを特徴とする請求項２０５に記載の識別システム。
【請求項２０７】
オブジェクトを識別するための識別システムであって、
請求項５２乃至７６、又は請求項１０３乃至１６２のいずれか一項に従う識別されるように構成されるオブジェクトと、
前記識別タグに配置される識別情報を読み取るための請求項１７９乃至２０４のいずれか一項に従う読み取りデバイスと、を備えることを特徴とする識別システム。
【請求項２０８】
識別されるように構成されるオブジェクトの基準読み取りから得られる基準シグネチャが格納されるデータ記憶媒体を更に備えることを特徴とする請求項２０７に記載の識別システム。
【請求項２０９】
前記事前格納された基準シグネチャのための前記データ記憶媒体は、前記読み取りデバイスに関して遠くにあるデータ記憶媒体であることを特徴とする請求項２０５又は請求項２０７に記載の識別システム。
【請求項２１０】
前記読み取りに関して遠くにあるデータ処理デバイスを更に備え、前記デバイスは、前記事前格納された基準シグネチャに前記読み取られたシグネチャをマッチングするために前記データ処理を実行するように構成されることを特徴とする請求項２０５又は請求項２０７に記載の識別システム。
【請求項２１１】
前記事前格納された基準シグネチャのための前記データ記憶媒体は、前記オブジェクトに取り付けられる前記タグに配置されることを特徴とする請求項２１０に記載の識別システム。
【請求項２１２】
前記事前格納された基準シグネチャのための前記データ記憶媒体は、前記オブジェクトに配置されることを特徴とする請求項２１０に記載の識別システム。
【請求項２１３】
前記データ記憶媒体は、磁気ストリップ、メモリチップ、メディアディスク、ハードディスク、スマートカード、ＲＡＭモジュール、磁気テープ、又は２Ｄバーコードやビットマップのような従来の光学手段であることを特徴とする請求項２１１又は請求項２１２に記載の識別システム。
【請求項２１４】
請求項２２乃至５０、又は請求項７７乃至１０２のいずれか一項に定義される識別タグにおける識別機能を読み取るための方法であって、読み取り可能識別機能が前記識別タグ中に配置され、前記識別タグは、係合トラックを有し、前記方法は、
前記タグを読み取るデバイスに接触させ、前記読み取りデバイスは、前記識別タグに配置される前記識別機能を読み取るために構成される読み取り要素を備え、前記読み取り要素は、前記読み取りデバイスの係合要素内に配置され、前記係合要素は、前記識別タグの前記係合トラックに対して形状が実質的に相補的であることを特徴とする方法。
【請求項２１５】
請求項２１、５２乃至７６、又は請求項１０３乃至１６２のいずれか一項に定義される識別されるべきオブジェクトにおける識別機能を読み取るための方法であって、読み取り可能識別機能が前記オブジェクトに又は前記オブジェクトへ取り付けられる又はそれに含まれる識別タグに配置され、前記オブジェクトは、係合トラックを有し、前記方法は、
前記オブジェクトを読み取りデバイスに接触させ、前記読み取りデバイスは、前記オブジェクト又は前記識別タグに配置される前記識別機能を読み取りために構成される読み取り要素を備え、前記読み取り要素は、前記読み取りデバイスの係合要素内に配置され、前記係合要素は、前記オブジェクトの前記係合トラックに対して形状が実質的に相補的であることを特徴とする方法。
【請求項２１６】
前記読み取りデバイスの前記係合要素が前記タグ又は前記オブジェクトの前記係合トラックと係合するように前記タグ又は前記オブジェクトを前記読み取りデバイスに接触させ、それによって、前記識別機能を配置し、前記識別機能に対して前記読み取りデバイスを位置合わせすることを備えることを特徴とする請求項２１４又は請求項２１５に記載の方法。
【請求項２１７】
前記係合要素に関して前記係合要素を移動し、それによって、前記識別機能を読み取ることを更に備えることを特徴とする請求項２１６に記載の方法。
【請求項２１８】
前記識別機能は、チップ内、磁気ストリップ内、シリアル番号、光学マーキング及び／又はランダムに分布された材料内に配置されることを特徴とする請求項２１４乃至２１７のいずれか一項に記載の方法。
【請求項２１９】
前記ランダムに分布された材料は、複数のファイバー又は粒子よりなることを特徴とする請求項２１８に記載の方法。
【請求項２２０】
読み取りは、前記識別機能から少なくとも一つの信号を読み取ることよりなることを特徴とする請求項２１４乃至２１８のいずれか一項に記載の方法。
【請求項２２１】
少なくとも一つのシグネチャは、前記読み取られた信号から引き出されることを特徴とする請求項２２０に記載の方法。
【請求項２２２】
前記シグネチャは格納され、それによって、事前格納基準シグネチャとなることを特徴とする請求項２２１に記載の方法。
【請求項２２３】
一つより多くの基準シグネチャが前記オブジェクトに対して格納されることを特徴とする請求項２２２に記載の方法。
【請求項２２４】
前記一つより多くの事前格納された基準シグネチャは、少なくとも二つの異なる読み取りデバイスを使用して前記オブジェクトを読み取ることから引き出されることを特徴とする請求項２２３に記載の方法。
【請求項２２５】
前記読み取りデバイス（複数）は、それらの間に固有の又は意図的に設計された違いを有し、前記違いは、前記読み取りに、従って関連するシグネチャに影響を及ぼすことを特徴とする請求項２２４に記載の方法。
【請求項２２６】
引き続いて読み取られたシグネチャは、前記オブジェクトに関連する又は複数のオブジェクトの集まりに関連する事前格納された基準シグネチャの全てと比較されることを特徴とする請求項２２２乃至２２５のいずれか一項に記載の方法。
【請求項２２７】
引き続いて読み取られたシグネチャは、データベースに存在する事前格納された基準シグネチャの全てと比較されることを特徴とする請求項２２２乃至２２５のいずれか一項に記載の方法。
【請求項２２８】
シリアル化された識別情報は、前記少なくとも二セットの識別機能の内の一つのセットとして使用され、処理ユニットは、前記読み取りデバイスが前記シリアル化された識別情報を十分に、完全に、又は正確に読み取らなかった場合、前記読み取られた信号の一部（単数又は複数）から欠落したデータ又はコンポーネントを再生するように構成されることを特徴とする請求項２１５乃至２２７のいずれか一項に記載の方法。
【請求項２２９】
前記読み取られた信号の一部（単数又は複数）の欠落したデータやコンポーネントは、別個にキー入力された又は走査された補充情報に基づいて再生又は推定され、前記補充情報は、十分ではない又は正確ではない機能情報に関連することを特徴とする請求項２２８に記載の方法。
【請求項２３０】
前記再生されたデータ又はコンポーネントは、前記オブジェクトを識別するためにシグネチャを形成するために使用されることを特徴とする請求項２２９に記載の方法。
【請求項２３１】
シリアル化された識別情報は、前記少なくとも二セットの識別機能の内の一つのセットとして使用され、前記シリアル化された識別情報は、前記データベースに事前格納された基準シグネチャを格納する及びそれから検索するための主キーとして使用されることを特徴とする請求項２１５乃至２３０のいずれか一項に記載の方法。
【請求項２３２】
前記シリアル化された情報は、前記オブジェクトに割り当てられるバーコード、シリアル番号、２進又は１６進情報、又は英数字コードであることを特徴とする請求項２３１に記載の方法。
【発明の詳細な説明】
【技術分野】
【０００１】
本発明は、オブジェクトを識別するための識別タグ及び識別されるように構成されるオブジェクトに関し、オブジェクトへは、識別タグが取り付けられることができる又は識別タグが埋め込まれることができる。また、本発明は、夫々の識別システムに対して本発明の識別タグやオブジェクトに配置される識別機能を読み取る読み取りデバイス並びにここで述べられる識別タグやオブジェクトに配置される識別機能を読み取るための方法に関する。
【背景技術】
【０００２】
識別テクノロジーは、長年にわたって広範な関心と開発の対象となっている。識別の共通な方法は、読み取り可能タグの使用に依存している。このようなタグは、可視スケールにおけるシリアル番号、ホログラム及び機械読み取り可能タグ（バーコード、磁気ストリップ及び高周波識別（ＲＦＩＤ）チップのような）から顕微鏡スケールでの蛍光インク及びミクロンスケールの散乱粒子までの範囲にわたる。
【０００３】
識別テクノロジーにおける引き続く興味の主な理由の一つは、安全でない方法で実行された商取引に大きく起因する詐欺の発生率である。商取引のより安全なシステムの必要性は明白である。例えば、パスポート、証明書、労働許可証、ビザ及び運転免許証のような個人ドキュメント、並びにＡＴＭカード、クレジットカード、通貨、チェック、及び商取引における商取引の他の証券等の商業証書を確実に認証する必要性がある。他の例では、コンパクトディスク（ＣＤ）及びデジタル多用途ディスク（ＤＶＤ）のようなアイテムを独自に指紋採取して著作権侵害コピーの使用を防止できることは、ソフトウエア及びエンターテインメント産業にとって非常に有益である。宝石、芸術品及び骨董品のような商品価値の高い品物が取引される更に他の例では、そのような商品を受け取った当事者がクレジットを発行する前に、その商品の同一性を突き止めることは極めて重要である。より一般的なレベルでは、その同一性がその後に検証されることが必要である物理的オブジェクトに対する安価で信頼できる認証システムの必要性がある。商業的には、これは、“ブランド保護”を容易にする。
【０００４】
認証の幾つかの方法が知られており、以下に記述される。
【０００５】
周知の識別方法は、クレジットカードに見られるように、磁気バーコードとしても知られる磁気ストライプに符号化された情報に依存している。磁気ストライプは、典型的には、樹脂に設定された小さな磁気粒子よりなる。これらの粒子は、直接にカードに付着されるか又はそのカードに付着されるプラスチックバッキングにストライプに作られる。このストライプは、これらの粒子（例えば、鉄粒子）の領域を特定の方向へ磁化させることによって符号化される、即ち、ストライプの磁性粒子の極性が局部的に変更されて情報のビットを定義する。ストライプの長さ方向に沿う符号化の方向を変化することによって、情報が書き込まれ、ストライプの中に記憶される。このように、ユーザのアカウント番号のような識別情報が書き込みヘッドによって最初に磁気ストライプにプログラムされ、次に、読み取りヘッドで磁気ストライプを読み取ることによって検証される。次に、ユーザは、例えば、ユーザにドキュメントにサインやメモさせて個人識別番号を入力しユーザの同一性を検証することによって検証される。
【０００６】
このようなシステムは、磁気ストライプ内に符号化されたシグネチャとデータが容易に偽造されることができるので、本質的に安全ではない。更に、磁気媒体は、磁気ストライプが磁界に近接されると、破損される傾向がる。
【０００７】
以下では、識別デバイスの分野の従来の技術が述べられる。
【０００８】
欧州特許出願ＥＰ０８２４２４２Ａ２は、ランダムな磁気ロッド、ファイバー又はフィラメントが品物の表面にあり、それらの位置が独自のシグネチャを提供するために読み取られて使用されることを記述している。
【０００９】
米国特許第４，６８２，７９４号は、カードに挟まれた多数の光ファイバーで作られるクレジットカードを開示している。このファイバーは、ランダムにカードの反対側エッジと交差し、光が一方のエッジに向けられてファイバーを通過しカードの反対側のエッジに向けられると、カードの独自のシグネチャを提供する。国際特許出願ＷＯ８７／０６０４１号は、連続する光ファイバーが組み込まれる紙幣のようなオブジェクトを開示するのと実質的に同じアプローチを記述しており、そこでは、これらの光ファイバーがそのオブジェクトのエッジに配される二つの端表面を有する。そのオブジェクトの同一性の検証のために、ＷＯ８７／０６０４１のオブジェクトは、ファイバーの一端ポイントから照明され、光ファイバーを通過する光が第２の端表面から読み取られる。英国特許出願ＧＢ２０９９７５６号は、光ファイバーが絶縁プラスチック材料に埋め込まれた電話デビットカードを記述している。光ファイバーは、例えば、ファイバーを伝達される光がカードの検証に使用されるように、カードの二つのエッジ間に延出している。
【００１０】
米国特許出願第２００１／００１０３３３号は、クレジットカード及び他の平坦な／ラミネート構造を通過するように案内される光の影響を測定すること及びアイテムのエッジで現れる独自のパターンを検出することを記述している。この文献は、このようなファイバーの予め決定されたパターンとランダムなパターンの使用及び識別目的でパターンを発生するための不透明及び透明な領域から散乱する光の効果を考察している。
【００１１】
米国特許第４，２１８，６７４号は、オブジェクトを識別する手段として材料のランダムな表面欠陥の測定を記述している。
【００１２】
ＰＣＴ出願ＷＯ２００４／０１３７３５号は、例えば、磁気トナーを使用して印刷される識別手段を記述している。これは、２Ｄバーコードパターンに類似しており、ビットマップのように、画素化形態においてセキュリティ情報をオブジェクトに書き込む手段である。
【００１３】
ＰＣＴ出願ＷＯ８７／０１８４５号及び欧州特許ＥＰ０２３６３６５Ｂ１号は、認証のための信号を生成する手段として、ランダムなファイバーのマイクロ波インタロゲーションの使用を開示している。
【００１４】
欧州特許ＥＰ０６９６７７９Ａ１号は、クレジットカードのようなオブジェクトの表面に印刷された磁気インクのランダムパターンの使用を開示している。
【００１５】
欧州特許ＥＰ０５８３７０９Ｂ１号は、カード上の粒子のランダムな分布が電磁走査によって表面上で測定され、次にシグネチャがカード上のメモリチップにリンクされることが開示される。
【００１６】
欧州特許ＥＰ０８２００３１Ｂ１号は、クレジットカード上のストリップを全エリアが磁気材料を含むカードへ交換することを開示する。
【００１７】
ＰＣＴ出願ＷＯ０３／０１７１９２号は、誘導読み取りヘッドを使用して問い合わせが行われるオブジェクトの表面上の磁気ファイバーやフィラメントに関する。
【００１８】
米国特許出願第２００２／０１４５０５０号は、データをカードの磁気ストライプに関し、そのマイクロ構造及びそれをバイオメトリックデータにリンクすることに関する。
【００１９】
欧州特許第１０３１１１５Ｂ１号は、ドキュメントの表面への磁気粒子フィンガープリントの取り付け及びシグネチャの読み取りとそれを他の取り付けラベルとの相互参照することを開示している。
【００２０】
米国特許第５，４３０，２７９号は、磁気ストライプ中に磁気ジッターを検出して認証する（チェックサムアプローチを使用して）ための方法と回路を開示している。
【００２１】
米国特許第４，３９５，６２８号は、セキュリティシステムの一部としてカードへ書き込まれる（例えば、レーザビームを使用して）独自のパターンとしての磁性材料のマイクロドットの使用を開示する。
【００２２】
米国特許第４，５５７，５５０号は、カードのセキュリティを改良するために一方が記録可能で他方が永久的な二つのストライプの使用を開示している。
【００２３】
米国特許第６，２５４，００２Ｂ１号は、磁気的に読み取り可能な情報源を形成するためにカジノチップの表面及び／又はエッジに取り付けられるランダムに分布された粒子を有するカジノチップの分野における偽造防止セキュリティシステムを開示している。
【００２４】
最後に、米国特許出願第２００５０１７０８２Ａ１号及び国際特許出願ＷＯ２００５／００８２８４号は、セキュリティ用途のために独自の識別子として磁性材料が充填された無秩序の多孔性材料を使用することを記述している。
【００２５】
しかしながら、容易に且つ効率的な方法で読み取られることができ、製造が安価で、且つ検証の十分なセキュリティを提供する、即ち、識別の信頼性が十分に高い、識別されるように構成される識別タグやオブジェクトの必要性が依然ある。
【発明の概要】
【発明が解決しようとする課題および課題を解決するための手段】
【００２６】
本発明の目的は、このようなタグ及びオブジェクトを提供することである。この目的及び他の目的は、夫々の独立の請求項によって定義されるタグ、オブジェクト及びシステムによって解決される。
一実施の形態では、このようなタグは、識別タグが取り付けられることができるオブジェクトを識別するための識別タグであり、
前記識別タグは、適応層を備え、
前記適応凹所は、少なくとも部分的にランダムに分布された材料を備え、前記少なくとも部分的にランダムに分布された材料は、前記オブジェクトを識別するための読み取り可能識別機能を形成することを特徴とする識別タグ。
関連する実施の形態において、本発明は、そのような識別タグが取り付けられたオブジェクトに関する。その識別タグは、タグがオブジェクトの係合トラックを形成するようにオブジェクト（の外表面）に取り付けられることができ、前記係合トラックは、識別層に配置される識別機能を読み取る読み取りデバイスの一部に対して形状が実質的に相補的である。この構成によって、係合トラックによって、識別機能との読み取りデバイスの容易な位置合わせ、従って、タグが取り付けられるオブジェクトを識別するための単純で信頼できる方法が可能となる。
【００２７】
他の実施の形態において、本発明のタグは、識別タグが取り付けられることができるオブジェクトを識別するための識別タグであって、この識別タグは、キャビティを備え、
読み取り可能識別機能は、タグ内に、識別機能が識別機能を読み取るためのキャビティ内に挿入される読み取りデバイスの一部によって読み取られることができるように配置され、
前記キャビティは、係合トラックが前記タグ内に形成されるように設計され、
前記係合トラックは、前記タグ内に配置される前記識別機能を読み取る読み取りデバイスの一部と形状が本質的に相補的であり、前記係合トラックによって、前記識別機能に対する前記読み取りデバイスの前記部分の容易な位置合わせが可能となることを特徴とする識別タグ。
【００２８】
更に他の実施の形態において、本発明のタグは、識別タグが取り付けられることができるオブジェクトを識別するための識別タグであって、前記識別タグは、識別層を備え、
読み取り可能識別機能が前記識別層に配置され、前記識別機能は、前記識別層に含まれるランダムに分布された材料によって少なくとも部分的に形成され、
前記識別層は、前記識別タグに、係合トラックが前記タグ内に形成されるように配置され、前記係合トラックは、前記識別層に配置される前記識別機能を読み取るように読み取りデバイスの一部に対して形状が実質的に相補的であり、前記係合トラックによって、前記識別機能に対して前記読み取りデバイスの前記一部の容易な位置合わせが可能となることを特徴とする識別タグ。タグに形成される係合は、突起又は凹所の形態である。係合トラックが突起として形成される実施の形態において、タグが排除され、そこでは、識別層の最も薄い寸法が、読み取り可能識別機能の少なくとも幾つかが識別層の最も薄い寸法から有意に読み取られるに過ぎないように露出される。
【００２９】
また、本発明は、識別されるように構成されるオブジェクトに関する。
【００３０】
一実施の形態において、そのようなオブジェクトは、キャビティを備えるオブジェクトであって、
読み取り可能識別機能は、前記オブジェクト内に、前記識別機能が識別機能を読み取るためのキャビティ内に挿入される読み取りデバイスの一部によって読み取られることができるように配置され、
前記キャビティは、係合トラックが前記オブジェクト内に形成されるように設計され、
前記係合トラックは、前記オブジェクト内に配置される前記識別機能を読み取る読み取りデバイスの一部に対して形状が本質的に相補的であることを特徴とするオブジェクト。それによって、前記係合トラックは、前記識別機能に対して前記読み取りデバイスの前記部分の容易な位置合わせを可能とする。
【００３１】
他の実施の形態は、識別されるように構成されるオブジェクトに関し、このオブジェクトは、識別層を備え、
読み取り可能識別機能が前記識別層に配置され、前記識別機能は、前記識別層に含まれるランダムに分布された材料によって少なくとも部分的に形成され、
前記識別層は、前記オブジェクトに、係合トラックが前記オブジェクト内に形成されるように配置され、前記係合トラックは、前記識別層に配置される前記識別機能を読み取る読み取りデバイスの一部に対して形状が実質的に相補的であることを特徴とするオブジェクト。また、この実施の形態において、前記係合トラックによって、前記識別機能に対して前記読み取りデバイスの前記一部の容易な位置合わせが可能となる。
【００３２】
関連する実施の形態では、本発明は、識別タグを取り付けたオブジェクト（ここでは、“識別タグオブジェクト”と呼ばれる）に関し、前記識別タグオブジェクトは、識別層を備え、
読み取り可能識別機能が前記識別層に配置され、前記識別機能は、前記識別層に含まれるランダムに分布された材料によって少なくとも部分的に形成され、
前記識別層は、前記読み取り可能識別機能の少なくとも幾つかが前記識別層の最も薄い寸法から有意に読み取られるに過ぎないように露出されないという条件で、
前記識別タグは、前記オブジェクトの外表面に、前記タグが前記オブジェクト上に係合トラックを形成するように配置され、前記係合トラックは、前記読み取りトラックを介して前記識別層に配置される前記識別機能を読み取る読み取りデバイスの一部に対して形状が実質的に相補的であり、前記係合トラックによって、前記識別機能に対して前記読み取りデバイスの前記一部の容易な位置合わせが可能となることを特徴とするオブジェクトである。
【００３３】
更に他の実施の形態において、本発明は、識別タグを備えるオブジェクトであって、前記識別タグオブジェクトは、識別層を備え、
読み取り可能識別機能が前記識別タグの前記識別層に配置され、前記識別機能は、前記識別層に含まれるランダムに分布された材料によって少なくとも部分的に形成され、
前記識別タグは、前記オブジェクトに、係合トラックが前記オブジェクトと前記識別タグによって前記オブジェクトに形成されるように配置され、前記係合トラックは、前記読み取りトラックを介して前記識別層に配置される前記識別機能を読み取る読み取りデバイスの一部に対して形状が実質的に相補的であり、前記係合トラックによって、前記識別機能に対して前記読み取りデバイスの前記一部の容易な位置合わせが可能となることを特徴とするオブジェクトである。
上記から理解されるように、本発明の基礎となる概念は、識別機能が配置される識別タグ又は識別機能が配置されるオブジェクトの一部（従って、識別されるように構成されるそれ自体によって）と識別機能を読み取る読み取りデバイスの一部との間での形状の相補性を提供することである。識別機能へのリーダのアクセスを可能とするオブジェクトやタグの一部（その部分は、ここでは”係合トラック"と呼ばれる）と識別機能を読み取るように構成される読み取り要素よりなる読み取りデバイスの一部（その部分は、ここでは”係合要素“と呼ばれる）との間の相補性は、係合トラックと係合要素との間の近接的物理的／機械的トランザクションを提供し、読み取り要素が容易且つ確実に識別機能と位置合わせされることができる。
【００３４】
上記に従って、本発明は、対応する設計を有する種々の読み取りデバイスを提供する。
【００３５】
一つのこのような実施の形態は、識別されるように構成される識別タグ又はオブジェクトに配置される識別機能を読み取りための読み取りデバイスであって、
識別タグ又はオブジェクトは、タグ又はオブジェクト内にキャビティ又は凹所として形成される係合トラックを備え、前記係合トラックは、前記識別機能を（正確に検出し且つ）読み取るために使用され、前記読み取りデバイスは、識別されるように構成される識別タグやオブジェクトに配置される識別機能を読み取るために構成される読み取り要素を備え、
前記読み取り要素は、前記読み取りデバイスの係合トラック内に配置され、前記係合要素は、前記識別タグやオブジェクトの係合トラックに対して形状が実質的に相補的であることを特徴とする読み取りデバイスである。
【００３６】
他の実施の形態は、識別されるように構成される識別機能又はオブジェクトに配置される識別機能（複数）を読み取るための読み取りデバイスであって、前記識別タグ又はオブジェクトは、前記タグ又は前記オブジェクト内に突起として形成される係合トラックよりなり、前記係合トラックは、前記識別機能を読み取るために使用され、
前記読み取りデバイスは、
前記タグ又はオブジェクト内に配置される前記識別機能を読み取るために構成される読み取り要素を備え、前記読み取り要素は、前記識別タグ又はオブジェクトの前記係合トラックに対して形状が実質的に相補的である非Ｕ字形状係合要素内に配置されることを特徴とする読み取りデバイスである。
【００３７】
読み取りデバイスの第３の実施の形態は、識別されるように構成される識別機能又はオブジェクトに配置される識別機能（複数）を読み取るための読み取りデバイスであって、前記識別タグ又はオブジェクトは、前記タグ又は前記オブジェクト内に突起として形成される係合トラックよりなり、前記係合トラックは、前記識別機能を読み取るために使用され、
前記読み取りデバイスは、
前記識別タグ又はオブジェクトの前記係合トラックに対して形状が実質的に相補的である凹所を有する係合要素を備え、前記係合要素は、前記凹所の横領域に、前記識別タグ内に配置される前記識別機能を読み取るために構成される読み取り要素を備えることを特徴とする読み取りデバイスである。
【００３８】
更に、本発明は、対象となるオブジェクトを識別するための識別システムを含む。このシステムは、ここで記述される識別タグやオブジェクトとここで記述される読み取りデバイスを備える。識別システムは、更に、識別タグやオブジェクトの基準読み取りから得られる"事前格納される基準シグネチャ"が格納さえるデータ記憶媒体を備える。
【００３９】
本発明で使用される識別機能は、対象となるオブジェクトの信憑性を後で識別する又は検証するための手段としてセキュリティシステムで現在使用されている任意の公知の機能であることができる。例えば、識別機能は、高周波タグ識別（ＲＦＩＤ）チップや接触ベースのチップのようなチップに格納される／配置される情報である。また、この情報機能は、シリアル番号や磁気ストリップに配置されるか又は、従来のバーコード、一次元バーコードや二次元バーコード、或いは、ホログラムやロゴのような他の光学マーキング（として配置される。）また、識別機能は、ランダムに分布された材料、例えば、ランダムに分布された粒子を含む材料によって形成されることができる。ランダムに分布された粒子は、複数のランダムに分布された磁性又は磁化可能粒子、複数のランダムに分布された導電性及び／半導電性粒子、複数のランダムに分布された光学的に分布された光学的に読み取り可能又は光学的に活性粒子、又は前記粒子の混合物よりなることができる。適切なランダムな材料又は粒子の例は、制限されるわけではないが、米国特許出願第２００５０１７０８２Ａ１号又は国際特許出願ＷＯ２００５／００８２８４号に記述される磁性又は導電性材料が充填された多孔性材料や現在係属中のＰＣＴ出願ＰＣＴ／ＳＧ２００５／０００１２号に記述される粒子を含み、これらの特許の全体が参照によってここに組み込まれる。識別機能を形成でできるランダムに分布された材料は、ファイバーや、例えば、米国特許出願第２００３００１４６４７号に記述されるような一枚のシート内のランダムに分布されたファイバーやバブルを含む。他の例は、ＰＣＴ出願第ＷＯ８７／００６０４号や米国特許第４，６８２，７９４号に記述されるような層の一又はそれより多くのエッジに配置された二つの端を有する連続光パイプ（複数）を含む。
【００４０】
バーコードやランダムに分布された粒子のような識別機能を使用する場合において、識別機能は、層中に又は層状構造体（一次元バーコードは、表面上に印刷され、それによって、層に似ていると考えられる）に配置されることができる。他の実施の形態（例えば、図６及び図７を参照のこと）において、識別機能は、より糸のような又は髪の毛のような構成に配置される。この文脈において、ここで使用される用語は、図１Ａと図１Ｂを参照して以下のように明確にされる。以下での議論は、識別層が粒子のようなランダムに分布された材料よりなる実施の形態を記述する。図１Ａに示されるように、本発明のタグやオブジェクトは、例えば、２又は３層のような一つ又はそれより多くの層を含む層構造体よりなることができる。
層１は、読取可能識別機能が配置される識別層であり、そこでは、この識別層は、ａｘｂｘｃの寸法を有する。この識別層１は、典型的には、その少なくとも一部に、読取可能識別機能を形成する複数のランダムに分布された粒子を備える。典型的には、識別層１の厚み“ａ”は、"ｂ"又は"ｃ"未満であり、好ましくは、それらよりもはるかに少ない。識別層１は矩形である必要ななく、その場合、ｂとｃは、面内形状の範囲の最も大きな寸法である。これに関して、"層“によって二つの次元に実質的に長く又は長くされ、残りの第３の次元で薄い構造を意味される。
以下に説明されるように、識別層１は、自立できる−例えば、シート状のポリマー又は“適応層”タグに分散された粒子（図６に示されるように）であることができ、従って、層２及び／又は３は、ランダムに分布された材料を使用する本発明の実施の形態において存在しなくてもよい。
識別層１は、不連続であることができる−即ち、個々に散乱された粒子であることができ、そこでは、粒子は、主に全てが平面内にあり、その場合、少なくとも層２又は層３が、支持し且つ接着するために存在することができる。
層２と３は、それらが存在する場合、層１に対して且つ互に対して異なる寸法にあることができる。これは本発明のタグやオブジェクトの幾つかの実施の形態において選択的であるが、ａ＜ｆもａ＜ｉの要件もない。
識別機能を読み取るために、読み取り要素（図１Ａの参照符号６を参照のこと）は、層構造体の”主表面“をこのような表面に沿って移動することによって読み取ることができる。”主表面”は、ここでは、識別層のより大きな又は隆起表面の一つであるように定義される。例えば、図１Ａにおいて、ｂ−ｃ平面にある表面は、”主表面”であり、そこでは、ａ−ｃ平面の表面が狭いエッジであり、ここで使用される定義下での”主表面”を構成しない。或いは、図１Ａに示されるように、通常、識別されるべきオブジェクト又は識別タグの”主表面”エリアよりもかなり小さな表面エリアを有する表面は、識別機能を読み取るために使用されることができる。このようなより小さな表面を有する表面が、識別機能を読み取るために使用される場合、識別層の最も薄い寸法が、一般的に使用される。読み取り可能識別層を露出するために、このように、読み取りトラック４は、そのトラックが識別層の最も薄い寸法（図１Ａにおいて寸法”ａ”）を露出するように層１のエッジの一つ又はそれより多くから形成されることができる。識別機能の少なくとも幾つかは、このトラックから有意に読み取られるだけである。ここで使用される”有意に読み取り可能“は、読み取り（主表面から又は読み取りトラックから）において識別目的で使用される独自の信号が得られることを意味する。
主表面又は読み取りトラック４における読み取りに関して、ここで、”フィンガープリント”と呼ばれる磁気／電気／光信号のような独自の信号を得る。このフィンガープリントは、”シグネチャ“として読み取られ且つ格納される（幾つかの例を挙げると、エンコーディング、デジタル処理、暗号化、圧縮、もし必要ならフィルタ処理、のような適切な処理方法で）。勿論、このフィンガープリントは、識別機能がランダムに分布された材料によって形成されない場合に得られるが、代わりに、例えば、ＲＦＩＤチップに符号化された独自の識別子であるか又は独自のバーコードによって形成される。
フィンガープリントは、読み取り要素を使用して、識別機能の一部又は全体を読み取ることから得られる。読み取り要素は、オブジェクトやタグに沿って、好ましくは、識別機能を露出する表面に対して平行に又は”実質的に平行“（以下に定義されるように）に移動されることができ、そこでは、係合手段（係合トラックと係合要素）の相互作用は、読み取り可能識別機能（例えば、読み取り可能識別層に含まれる）に関して読み取り要素の相対方位が適切な相互関係に維持されそれによって識別機能が正確且つ精密に読み出されることができることを保障する。
露出表面（即ち、例えば、主表面又はトラック）が使用される場合、フィンガープリントは、表面の一部又は全表面を読み取ることから得られることができる。この文脈において、複数のエッジの内の少なくとも一つから典型的に形成されるトラックのみが識別層をサンプリングするために使用される時、識別層（層構造体の一部であることができる）内に埋め込まれる識別層の材料は、フィンガープリントと読み出されると共にオブジェクトやタグの同一性を検証するための識別情報を提供するシグネチャに寄与することができる。従って、識別層の最も薄い寸法のみを露出することは、本発明のオブジェクトやタグを偽造することをより一層困難にする。
識別機能を読み取ることは、適切な読み取り要素で実行される。読み取り要素（又は構成要素）（”読み取り要素”が主表面やトラックに沿うフィンガープリントを検出するセンサ（単数又は複数））の寸法（図１Ｂにおいて高さ＝ｊ）は、表面トラック幅と等しく（又はそれより大きく）、トラックを横切る全てのフィンガープリント情報を感知する。読み取り要素が表面幅（主要面又はトラックの幅）よりも狭い場合、読み取り要素は、移動されることができ、それによって読み取り要素は、幅が表面幅よりも大きい又はそれに等しいエリアを走査する。エリアを走査する例示の方法は、図１Ｃに示され、この場合、走査幅は、“ｊ”として定義される。図１Ｃにおいて、識別機能を含むトラック１５０を走査する読み取り要素１２０が示される。更に、読み取りデバイスが、磁気光学読み取りのような遠隔読み取り技術に基づく場合、上述のような”読み取り要素”と関連する寸法“ｊ”は、例えば、物理的要素の寸法に向かい合うように光ビームによって走査されるエリアの幅を意味すると理解されるべきである。図１Ｃは、“実質的に平行な”即ち、そこでは、走査は、トラックに正確に平行ではないが、読み取り要素がフィンガープリントの読み取り全体を通して、トラックをまたぐに略十分に平行である走査を示す。その結果、用語”実質的に平行な“は、それが、使用されるべき読み取り要素の幅、トラックの幅及びフィンガープリント読み取りの長さに依存するために、相対的語である。
図１Ａを参照すると、層１は、オブジェクトそれ自体の一部として含まれることができ（層２及び／又は３のような更なる層は、そのオブジェクトの一部として存在できる）。或いは、本発明のタグにおいて、層１、２及び３は、他のオブジェクトへ取り付けられることができるオブジェクト自体（タグ）である。
【００４１】
以下の記述及び添付の図面に詳細に描かれているように、本発明で使用される係合トラックと係合要素は、これらの係合トラックと係合要素の係合時に、読み取り可能識別機能に対して読み取り要素の相対的方位が適切な相互関係に維持されて識別機能が正確且つ精密に読み出されることができるように、それらの形状が互いに実質的に相補的である限り、あらゆる可能な形状を採用できる。このように、係合トラックと係合要素の両方は、任意の相補的な規則的又は不規則的形状のものであることができる。例えば、係合トラックは、凹所（例えば、溝やスロット）として、突起として、キャビティとして、又は係合要素と物理的に／機械的に係合できる他の構造として設計されることができる。例えば、スロットや溝のような凹所は、三角形、四角形、矩形、五角形、六角形、又は八角形のような多角形（横断面に見られる）を有することができる。同様に、横断面で見ると、突起は、三角形、矩形、五角形、六角形、又は八角形を意味する多角形を有することができる。係合トラックは、オブジェクトやタグにおけるキャビティとして形成される場合、勿論、それは、係合要素の形状に対して相補的な規則的又は不規則な形状を採用できる。係合トラックは、実質的に円形又は多角形、キャビティを上から見ると、例えば、円形、半円形、又は楕円形断面を有することができる。或いは、上から見ると、キャビティ形状の係合トラックは、三角形、四角形、台形、半円形、五角形、六角形、又は八角形のような多角形のものであることができる。
【００４２】
本発明の典型的な実施の形態において、本発明のオブジェクトやタグの係合トラックは、少なくとも５０マイクロメートルの、少なくとも１５０マイクロメートルの、少なくとも２００マイクロメートルの、又は少なくとも２５０マイクロメートルからミリメートル（例えば、１又は２ミリメートル）及びセンチメートルの範囲の延長（凹所として形成される場合は、深さ、又は突起として形成される場合は、高さ）を有する。従って、読み取りデバイスの係合要素は、タグやオブジェクトの表面エリアとリーダの他の部分が接触して読み取り処理を妨害することを回避するために同じ対応する高さや深さ又はそれより大きな高さや深さを有する。キャビティとして形成される場合、係合トラックは、少なくとも５０マイクロメートルの深さを有するが、より好ましくは、ミリメートルやセンチメートル、例えば、制限されるわけではないが、約１から約１０ｃｍを含む数百マイクロメートルの深さを有する。
【００４３】
この文脈において、ここで記述されるように、本発明において、識別されるように構成される識別タグやオブジェクトの両方は、それら自体、認証を可能とするシグネチャを得るために読み取られることができる識別機能よりなることに留意すべきである。従って、幾つかの実施の形態において、識別されるべき識別タグとオブジェクトは、原則として、同じ物理的構造を有する。識別されるように構成されるオブジェクトに加えて、本発明は、ここで記述されるように、識別タグを取り付ける又は中に組み込むことによって識別可能にされるオブジェクトに関する。原則として、対象となるオブジェクトはタグ付けされる／ここで記述される識別タグを備えるか、又は識別されるように構成されるオブジェクトにされる。
【００４４】
この文脈において、用語“個々にタグ付けする”、及び"識別すること”及びそれらの派生語は、互いから独自に区別可能であるように特にアイテムをマーキングすることを意味するために同じ意味で使用される。“透かし”のような用語は、この文脈において時々使用されることができるが、これらの用語は、一般的には、一つのグループのアイテムを他のグループのアイテムから区別すること、例えば、紙幣の透かしは、それを偽造の紙幣から区別するが、それは、紙幣を他の個々の本物の紙幣から区別しないことを指す。用語“偽造品”、“贋物”、偽造“、及び”コピー“は、同じ意味で使用される。
【００４５】
本発明に従ってタグ付けされることができるオブジェクトの実例は、偽造に対して確実にタグ付けしたりマークしたりすることが困難な金属コンポーネントのようなエンジニアリングコンポーネントを含む。金属コンポーネントは、例えば、ＲＦＩＤを使用してタグ付けすることが困難である。理由は、金属は、ＲＦＩＤタグからの信号と干渉するからである。従って、このような実施の形態において、識別機能は、典型的には、（限るわけではないが）読み取りが金属と干渉しない識別機能によって形成される。このような識別機能の例は、磁性（金属のある形態に対して）、半導体的、光活性、又は光学的に区別可能な粒子である。エンジニアリングコンポーネントの例は、幾つかの例を挙げれば、ブレーキディスク、オイルフィルタ、ドライブシャフトのようなドライブトレイン、エンジンブロック、シャーシー、エアコンディションハウジング、ストラット及びショックアブソーバのようなサスペンションコンポーネントのような自動車のコンポーネントを含む。他のエンジニアリングコンポーネントは、航空機製造、発電、建築、インフラ（例えば、水管理）ミリタリー又はリクリエーション目的のコンポーネントであってもよい。エンジニアリングコンポーネントは、金属、金属合金、ポリマー材料、カーボンファイバー又は複合材料のような典型的な材料から作られることができる。本発明に従ってタグ付けされる或いは識別層が一体化されることができる他のオブジェクトは、リードフレームのような電子コンポーネントやパッキング材料（例えば、医薬品、電子デバイス、タバコ製品、及び農製品）である。商品の他の例は、クレジットカード、証明書、紙幣、セキュリティアクセスカード、車両のキーカード、パスポート、ＩＤカード、メディアディスク（例えば、ＣＤ、ＤＶＤ）、又はハンドバッグ、レーザー商品、メガネフレームのような高級アイテムである。
【００４６】
以下において、本発明の識別タグ及びオブジェクトの幾つかの現在の好適な実施の形態が記述される。これらの実施の形態は、読み取りデバイス、識別構成、識別システム、識別タグの形成方法及び識別情報の読み取り方法に対して適用可能である。
【００４７】
幾つかの実施の形態では、本発明のタグやオブジェクトは、上に識別層が配置される支持層を備えることができる。
【００４８】
適応層を備えるタグの実施の形態において、この適応層は、少なくとも一つの適応凹所を備える（図６を参照のこと）。一方、この適応凹所は、オブジェクトを識別するための読み取り可能識別機能を形成する少なくとも部分的にランダムに分布された材料を備える。この適応凹所は、実質的に、適応層の長手方向に配置されることができ、或いは実質的に適応層の横断面方向へ配置されることができ、或いは、それは、例えば、長手方向に対して３０又は４０度の角度のような他の方向へ配置されることができる。適応凹所は、連続的でも穿孔されてもよい。ここで使用される用語“適応凹所”は、適応層内に配置されかつランダムに分布された材料を含むように構成された任意の種類の部分を含む。適応凹所は、適応層内に配置されるカット又はカットマーク、穴、溝、トレンチ、凹エリア、又は貫通孔であることができる。適応凹所は、オブジェクトやタグの最終形態でカバーされてもよい。ここで使用される用語”ランダムに分布された材料”は、表面上又は平面内又は適応凹所内にランダムに分布された材料並びに粒子やファイバーのようなランダムに分布された機能よりなる材料やコンポジットを指す。ランダムに分布された粒子を指す時の用語”粒子”は、物理的粒子、ボイド、バブル、ドメイン（例えば、磁気ドメインを含む材料）及び連続する材料内のバリエーション（変動）、例えば、粗さ及び色のバリエーションのような識別目的のために使用されることができる機能を意味しまた指す。識別機能としてのバブルの使用は、例えば、米国特許出願第２００３００１４６４７号に記述される。
【００４９】
ランダムに分布された材料は、例えば、粒子がランダムに分散された又は乳化された硬化可能（前駆体）液体ポリマー組成物を使用して適応凹所全体の一部内に含まれることができる。この液体組成物は、例えば、液体組成物の中に分散された材料の混合物を凹所上に又は内に印刷、スクイージー、又は噴霧することによって凹所に接触されることができる。例えば、赤外（ＩＲ）又は紫外（ＵＶ）光によってポリマー前駆体を硬化することによって、前駆体の固化の後、このような組成物は、識別機能が安全に中に埋め込まれることを確実とする機械的に安定で且つ化学的に不活性マトリックスをもたらす。更に、一旦固化された組成物は、適応層が自立すること、従って、必要ならば、適応層がこの適応層を支持する更なる層を必要とすることなく使用されることができることを助ける。この文脈において、組成物（（硬化された）マトリクス材料と識別機能を形成する粒子によって形成される）は、通常適応凹所全体の少なくとも一部内にランダムに分布されるが、識別機能を形成する粒子は、マトリックス材料内にランダムに分布される（埋め込まれる）ことに留意すべきである。
【００５０】
適切な組成物の例は、ポリマー接着剤やインクを含む。適切な接着剤やインクの組成の図示の例は、例えば、米国特許出願第２００４００８２０９８号に記述される、ポリスチレン、エポキシ樹脂、ポリアルキレン、ポリイミド、ポリベンゾオキサゾール（polybenzoxazoles）、ポリアクリレート、ポリエーテル、ポリベンゾオキサヨール（polybenzoxayoles）、ポリチオアヨール（polythioayoles）、エポシキド、（メタ）アクリレート、又はポリシロキサンのようなＩＲ及び／又はＵＶ硬化可能な従来の（誘電）有機ポリマー／樹脂を含む。他の適切な組成物は、米国特許出願第２００５０２４５６３３号及び米国特許出願第２００５０２４５６３４号に記述されるものを含む。ランダムに分布された粒子を含む印刷可能組成物は、溶融可能マトリックス材料及び中に分散された識別機能を形成する粒子から（もっぱら）なることができる。このタイプの適切な溶融可能なマトリックス材料の例は、ポリスチレンのようなサーモプラスチックス、金属（特に低融点金属と半田のような金属合金）のような無機マトリックス材料、グリーンセラミックスであり、これらは、それらの低融点によって区別される。このように、組成物と識別機能を形成する粒子の混合物は、固体形態で適応凹所内に配置されることができ、溶融可能なマトリックス材料の融点近くに加熱し、その後溶融物を固化させることによって、組成物材料に変換される。印刷可能組成物は、水性液体、有機液体、少なくともと二つの液体の混合物、有機水性液体混合物に基づくことができる。この液体は、溶剤として機能でき、その結果、マトリックス材料の前駆体並びに識別機能を形成する粒子は、その組成物に分散又は溶解される。セラミックスのような無機マトリックス材料は、典型的には、分散形態でインク中に存在するが、それらは、水性又は有機溶液に溶解されてもよい。溶解された無機マトリックス材料の一例は、（オルソ）ケイ酸ナトリウムであり、それは、酸の添加によって固化され、次に調節ステップで焼結されて水を放出する。
【００５１】
マトリックスに埋め込まれる必要のない適応凹所内に識別機能を形成する材料を使用することも可能である。このような材料は、凹所への堆積後に、永続的に（少なくとも識別タグが使用される期間中は）凹所内の同じ位置に残ることができる任意の材料である。適切な材料の例は、例えば、蛍光、磁性、又は放射性ラテックス又はラテックスコーティングビーズのような接着性粒子やファイバーを含む。例えば、このようなビーズは、液体に分散され、適応凹所に印刷され、次に、同時に粒子に印刷のために使用される液体を気化することができる熱処理によって中に不動化される。或いは、材料は、それ自体、識別機能、例えば、ドメイン（例えば、磁気ドメインや反射率が変化するドメイン等）を含む連続材料を含むことができる。
【００５２】
適応層よりなる識別タグは、ここで述べられる他のタグと同様に、それが識別されるべきオブジェクトに取り付け可能であるように構成される。この目的で、適応層の少なくとも一表面は、少なくとも部分的に接着性である又は少なくとも部分的に熱接合を受けうるのに適する。適応層は、自立するので（上を参照のこと）、このようなタグは、更なる支持層を必要とすることなく使用されることができる。しかしながら、もし必要ならば、支持層上に適応層を配置することもできる。支持層が使用される場合、適応層に接触する表面とは反対の支持層の表面は、少なくとも部分的に接着性である又は少なくとも部分的に熱接合を受けうるのに適する。従って、適応層や支持層（もし後者が存在するならば）は、熱的に接合されることができる又は、例えば、タグ、特に、識別機能を備える識別層、の一体性に影響を及ぼすことのないようにオブジェクトに粘着される材料をよりなる又は構成される。適切な材料は、ポリマー材料（有機と無機ポリマーの両方）、金属、セラミックス及びレザーのような自然有機材料とコットンテキスタイルのような処理済自然有機材料を含む。ポリマー材料の実例は、幾つかの例を挙げれば、ポリスチレン、ポリエチレン、ポリプロピレン、ポリエチレンテレフタレート、ポリエーテル、ポリカーボネート、ポリエーテルスルホン、エポキシ樹脂、ポリスチレン、ポリウレタン、ポリアクリレート、ポリイミド、及びポリシリコンからなる群から選択される。
【００５３】
本発明の前述のタグ並びに他のタグやオブジェクトは、カバー層を備える。その場合、ランダムに分布された材料は、自立するマトリックス内に埋め込まれず、例えば、カバー層又は支持層が適応凹所と接触している支持又はカバー層のエリア内でランダムに分布された材料を不動化することによって凹所内のランダムに分布された材料を支持するために使用されることができる。支持層が存在する場合、識別層は、支持層とカバー（頂部）層との間に配置されることができる。原則として、識別層と互換性のある材料が支持及び／又はカバー層の両方として使用されることができる。適切な材料の例は、制限されるわけではないが、プラスチックス、金属、セラミックス、テキスタイル、レザーやウッドのような自然有機材料、ガラス及びそれらの組み合わせを含む。適切なプラスチックスの例は、バッグ、クレジットカード、パッキング材料、シート等のようなプラスチック物品の製造のために一般的に使用される、ポリエチレン、ポリプロピレン、ポリエステル、ポリエーテル、ポリスチレン、ポリカーボネート、ポリ（メタ）アクリレートのようなポリマー材料を含む。適切なガラス及びセラミックスは、制限されるわけではないが、アルミナ、シリカ、ボーンチャイナ、エナメル及びガラスフリッツを含む。
【００５４】
カバー層や支持層（二層構造の場合）又はサンドイッチ構造（三層構造の場合)の使用によって、識別層は、（更に）構造的に支持され且つ下から及び上から（サンドイッチ構造の場合）電磁的にシールドされることができる。このような層構造体は、これが必要ならば、更に識別層の（エッジから）最小寸法の露出を可能とする。識別層の最小寸法は、単純に切断し、識別層や層構造体の平面（又は幾つかの実施の形態では、平面に対して実質的に垂直である）に対して１０度よりも大きな角度で識別層（又は支持及び／又はカバー層が使用される場合の層構造）を研磨又は磨耗させることによって容易に露出されることができる（それによって、トラックは、識別層のエッジの一つ又はそれより多くから得られる）。
【００５５】
識別タグの層構造体は、前記底層と前記頂層との間に配置された少なくとも一つの更なる識別層を備える。
【００５６】
一つ又はそれより多くの追加の識別層を提供することによって、識別機能は、複数の識別層に分割されることができ、更に、セキュリティを増加する。理由は、識別層に含まれる情報を模倣するために必要な努力が顕著に増加されるからである。更に、この対策は、識別タグの信頼性を更に増加するシステムにおける冗長性を導入できる。
【００５７】
層構造体は、前記識別層と前記更なる識別層との間に配置される少なくとも一つの中間層を備えることができる。
【００５８】
識別層の少なくとも最も薄い寸法が読み取りに使用される場合、複数の異なる識別層が、この対策と取ることによって、互いから空間的に分離されることができる。これによって、前記識別層（単数又は複数）に位置される情報の個別の及び／又は同時の読み取りが可能となる。このように、本発明の識別タグやオブジェクトの信頼性を改良する更なる冗長性が含まれることができる。
【００５９】
本発明のタグやオブジェクトは、前記識別機能を読み取るプロセス中にリーダの読み取り部の位置合わせを更に促進する位置合わせマーキングを備えることができる。
【００６０】
識別層（単数又は複数）は、層（単数又は複数）の少なくとも一部において、複数のランダムに分布された粒子よりなることができる。幾つかの実施の形態において、識別層は、米国特許出願第２００５０１７０８２Ａ１号又は国際特許出願ＷＯ２００５／００８２８４号に記述されるように、孔を有するホスト材料よりなり、そこでは、孔の少なくとも幾つかは、粒子を含む。粒子は、磁性又は磁化可能材料や実質的に電気導電性材料よりなることができる。他の実施の形態において、粒子は、マトリックス内にランダムに分布されることができ、或いは粒子は、スパッタリング／イオン注入によって提供されることができる。
【００６１】
粒子でこのような（高く）無秩序化された構造を提供して識別機能を識別層に画定することによって、情報は、極端に高い努力で及び／又はコストで模倣されるに過ぎず、それによって、識別システムのセキュリティを改良する。
【００６２】
識別層は、複数の磁性（又は磁化可能）粒子よりなることができる。磁性（又は磁化可能）粒子をランダムに分布された及び／又は配向された粒子として実施することによって、磁気読み取りヘッドは、識別層を露出するトラックに沿って移動する読み取り要素として使用されることができ、従って、磁性（又は磁化可能）粒子によって引き起こされる磁界分布から形成される識別機能のフィンガープリントを読み取り、従って、安価で且つ高い信頼性の識別構造を提供する。磁性を現す任意の材料が、制限されるわけではないが、フェリ磁性体、反強磁性体、及び強磁性体のような磁性材料を含む識別層に使用されることができる。使用される磁性材料は、制限されるわけではないが、Ｆｅ、Ｎｉ、Ｃｏ、Ｇｄ、Ｄｙ、対応する合金、酸化物のような強磁性体及びそれらの混合物、及びＭｎＢｉ、ＣｒＴｅ、ＥｕＯ、ＣｒＯ２、及びＭｎＡｓのような他のコンパウンドを含む。磁力によって影響を及ぼされる他の材料も考えられる。このような材料の例は、フェリ磁性体、例えば、スピネル、ガーネット、マグネタイトのようなフェライトを含む。他の材料は、Ｃｅ、Ｃｒ、Ｐｔ、Ｂ、Ｎｄ（例えば、Ｎｄ−Ｆｅ−Ｂ、Ｎｄ−Ｆｅ−Ｃｏ−Ｂ、Ｎｄ−Ｐｒ−Ｆｅ−Ｃｏ−Ｔｉ−Ｚｒ−Ｂ）の合金、Ｓｍ（例えば、ＳｍＣｏ５）、及びＡｌＮｉＣｏのような合金、パーマロイのような磁性メディアで一般的に使用される他の材料も考えられる。識別情報は、可変磁気特性を引き起こす材料中にボイドを含む連続材料内に変化する磁気特性のドメインによって形成されることができる。このように、変化する磁気特性のこのようなどメインは、用語“磁性又は磁化可能粒子”に含まれる。
【００６３】
多孔性材料であって少なくとも部分的に孔が充填されているものが使用される場合、ホスト材料は、実質的に非磁性材料である。一般的に、少なくとも実質的に非磁性（磁気的に不活性）又は実質的に絶縁性である多孔性ホスト材料が、本発明において使用されることができる。通常、このホスト材料は、孔内の材料のホスト材料の他の領域への移動が防止される又は無視できるように良好な機械的、熱的且つ化学的安定性を有する。更に、ホスト材料の安定性は、孔内の材料の酸化や望ましくない化学的変更を最小にする。このような特性は、タグから得られる磁気的、電気的又は電磁的信号を独自に識別可能に維持する。例えば、適切なホスト材料は、米国特許第５，１３９，８８４号、第５，０３５，９６０号、又はＮｉｅｌｓｃｈ等、Ｊｏｕｒｎａｌ  ｏｆ  Ｍａｇｎｅｔｉｓｍ  ａｎｄ  Ｍａｇｎｅｔｉｃ  Ｍａｔｅｒｉａｌｓ  ２４９（２００２）２３４−２４０に記述されるように、アルミニウムフィルムの陽極酸化によって準備される多孔性アルマイトよりなることができる。このように、タグのホスト材料は、アルミナであることができる。
【００６４】
他の適切なホスト材料は、多孔性ポリマーフィルム（通常、２分割ブロック又は３分割ブロック共重合体であり、そこでは、一つのコンポーネントが選択的に除去されている）又は多孔性シリコンや多孔性ＩＩＩ−Ｖ材料（例えば、Ａｄｖａｎｃｅｄ  Ｍａｔｅｒｉａｌｓ，１５，１８３−１９８（２００３））のような多孔性半導電性材料を含む。本発明において多孔性ホスト材料としての使用に適するＩＩＩ−Ｖ材料の例は、ＧａＡｓ、ＩｎＰ及びＡｌＡを含む。他の適切なホスト材料は、ゼオライトである。適切なゼオライトの例は、ゼオライト群のメンバーの一つを含み、例えば、クリノプチロライト、菱沸石、フィリップサイト、モルデナイトを含む。他の適切な多孔性材料は、シリコンオキサイド、酸化亜鉛及び酸化スズのような無機酸化物を含む。
【００６５】
加えて又は或いは、本発明の識別タグやオブジェクトは、複数の導電性又は半導電性粒子を備えることができる。また、導電性又は半導電性粒子の場合、識別情報は、可変性導電性特性を引き起こす材料中のボイドを含む連続材料内の変化する導電性のドメインによって形成されることができる。このように、変化する磁気特性のこのようなドメインは、用語”導電性又は半導電性粒子”に含まれる。導電性材料は、制限されるわけではないが、Ｃｕ、Ｓｎ、Ｆｅ、Ｎｉ又はそれらの合金のような金属を含む。半導電性材料の例は、幾つかの例を挙げれば、（ポリ）シリコン、ガリウム砒素、窒化ガリウム、白金シリサイド、窒化珪素、又はシリコンクロム（sichrome, ＳｉＣｒ）を含む。本実施の形態に従って、磁気読み取りヘッドは、前記粒子の少なくとも幾つかに電流を流すことによって引き起こされる電磁界分布から形成される識別機能を読み取るために識別層をサンプリングするために読み取り要素として使用されることができる。同様に、識別層内の位置の関数としてランダムに分布された導電性又は半導電性粒子の抵抗率、導電性、インピーダンス等のような電気パラメータは、適切な読み取りデバイス（導電性センサのような）を使用して検出されることができる。多孔性ホスト材料の場合、材料の孔は、電気導電性粒子で充填されることができ、磁性粒子に関連して上述された同じホスト材料が使用されることができる。
【００６６】
加えて又は或いは、識別タグやオブジェクトは、複数の光反射性、光吸収性，又は光活性粒子よりなる識別層を備えることができる。”光活性“は、本出願において、通過される又は反射される光の波長及び／又は偏光面を変化する粒子を意味している。本実施の形態に従って、光検出器は、識別機能を読み取るために識別層から形成されるトラックをサンプリングするために読み取り要素として使用されることができる。幾つかの例を挙げれば、これらの識別機能は、例えば、特定の波長で蛍光する粒子、偏光面を変化するキラル（ｃｈｉｒａｌ）粒子、又は異なる波長で蛍光する及び／又は相互作用光の偏光面を変化する粒子の混合物から形成されることができる。また、識別機能として光学的に区別可能な粒子を使用することができる。光学的に区別可能な粒子の例は、金属粒子、セラミック粒子、ポリマー粒子、紙内のファイバーのような自然発生粒子、ボイド又はバブル、及び連続材料内の変化する光学特性のドメイン及びそれらの混合物及び組み合わせを含む。
【００６７】
また、本発明は、システムの信頼性とセキュリティを更に改良するために、磁性及び／又は磁化可能及び／又は導電性及び／又は半導電性及び／又は光活性及び／又は光学的に区別可能な粒子の組み合わせを含むことができる。一つの場合、例えば、光検証及び磁気検証の組み合わせが実施されることができる。典型的には、識別層に存在するボイド及びドメインを含むフィンガープリントに対する顕著な効果を有する平均粒子は、約１０ナノメートルと約５００マイクロメートルの最も大きな寸法（制限するわけではない）を有することができる。
【００６８】
本発明の識別タグやオブジェクトにおいて、各々が識別機能を備える複数の識別層が考えられ、各識別層は、他の識別層から独立して読み取られることができる。
【００６９】
個々の層を読み取ることによって、異なる種類の情報が本発明の識別タグやオブジェクト内に配置されることができる（例えば、識別情報及びタグが付着されることができる製品のプライスやこのような製品に関する背景情報のような追加の情報）。
【００７０】
更なる実施の形態において、識別層（単数又は複数）を露出する表面（単数又は複数）は、保護コーティングによって被覆される。原則として、材料が識別機能の少なくとも幾つかがトラックから有意に読み取られることができることを防止しない限り、環境損傷（例えば、化学的及び／又は機械的劣化）から識別層を物理的に保護するために適する全ての材料が使用されることができる。保護層に含まれることができる適切な材料の例は、制限されるわけではないが、テフロンコーティングのようなポリマーコーティング、剛性ポリマー、ゾルゲル又は酸化物、窒化物のような蒸着材料、アモルファスダイアモンド、ダイアモンドのようなカーボンのようなダイアモンドのような材料（フィルム）、４面体アモルファスカーボン又はスパンコートラッカーを含む。この保護コーティング（層）は、“ハード”材料であってもよい。“ハード”材料は、ここでは、好ましくは、５０メガニュートンパースクエアメートル、即ち、５０ＭＮ／ｍ２以上のバルク降伏応力を有する材料として定義される。ハード材料として働く適切なポリマーの例は、タフで透明である利点を有するポリメチルメタクリレートである。ポリメチルメタクリレートの単一コーティング層は、単量体メチルメタクリレートの溶液でタグを浸漬又はスピンコーティングすることによって製造されることができる。モノマー溶液は、コーティング中又はその後に重合される。
【００７１】
以下において、本発明の読み取りデバイスの好適な実施の形態が記述される。これらの実施の形態は、識別タグ、識別されるように構成されるオブジェクト、識別システム、識別タグを形成する方法及び識別情報を読み取るための方法に提供されることができる。
【００７２】
読み取り要素は、識別層に含まれる複数のランダムに無秩序化された粒子から情報を読み取るために構成されることができる。
【００７３】
このように、読み取り要素は、独自のフィンガープリント（及びシグネチャ）を提供するランダムに配向された粒子の特徴構成からの信号を検出するように構成されることができる。
【００７４】
読み取り要素は、識別層に含まれる複数の磁性又は磁化可能粒子から情報を読み取るために構成されることができる。この場合、読み取り要素は、磁気読み取り要素である。
【００７５】
読み取り要素は、識別層に含まれる複数の導電性及び／又は半導電性粒子から情報を読み出すために構成されることができる。この実施の形態に従って、読み取り要素は、ランダムに無秩序化された粒子の配置に対して電気的パラメータ特徴を読み出す電気的又は電磁的又は磁気的読み取り要素である。
【００７６】
更に、読み取り要素は、識別構造体に含まれる複数の光活性又は光学的区別可能粒子から情報を読み取るために構成されることができる。この実施の形態に従って、読み取り要素は、反射率又は蛍光強度、光学異方性等の光学パラメータを読み出すことができる光リーダ又は検出器である。読み取り要素は、タグやオブジェクトの識別層に含まれる複数のランダムに分布された光学的区別可能粒子から反射された又はそれによって偏向された光子を検出するように構成されることができる。
【００７７】
少なくとも二つの異なるタイプの読み取り能力、例えば、磁気的に且つ光学的に、又は電気的に且つ磁気的に、を有する読み取り要素を使用することができる。そうすると、セキュリティが更に向上されることができる。
【００７８】
読み取りデバイスは、更にトラッキング要素を備えることができる。このトラッキング要素は、識別機能を読み出すプロセス中に読み出される識別機能に対して読み取り要素の位置合わせや運動を更に促進し又は測定するように構成される。
【００７９】
そうするために、トラッキング要素は、識別機能に対して読み取り要素を光学的に位置決めするために構成されることができる。トラッキング要素は、読み取られる識別機能に関して読み取り要素の相対的位置を光学的に測定するために構成されることができる。これらの実施の形態に従って、可視マークは、位置的基準マークとして又は識別層に配置される識別機能のエラーのない検出を更に促進するために読み取り要素がガイドされるべきパスを指すオブジェクト又は識別タグ上の位置合わせマークとして設けられることができる。一例として、光学センサと読み取り要素の起動機構にリンクされるフィードバックループがこれを達成することができる。
【００８０】
更に、読み取り要素は、トラッキング要素が識別機能を読み取るために使用される表面に沿って読み取り要素を電磁的に案内するために構成されるように設けられることができる。トラッキング要素は、読み取られる識別機能に対して読み取り要素の相対位置を電磁的に測定するために構成されることができる。これらの実施の形態に従って、読み取り可能電磁ガイド層や機能は、位置的基準マークとして又は位置合わせマークとして提供される。例えは、これは、強磁性体の構造体であり、これによって、トラッキング要素の補助感知要素をフィンガープリントが捕獲されるパスに従わせる。
【００８１】
更なる実施の形態に従って、読み取りデバイスは、読み取り要素によって読み取られたフィンガープリントのシグネチャを事前格納された基準シグネチャと比較し、識別タグから読み取られたシグネチャが閾値未満だけ事前格納された基準シグネチャから異なっている場合、識別タグは有効であると検証するように構成される処理ユニットを有することができる。
【００８２】
換言すれば、事前格納された基準シグネチャは、読み取りデバイスのデータ記憶媒体（読み取られたシグネチャを検証するためにアクセスされることができる遠くに配置された記憶媒体−この一例は、遠隔デバイスによって読み取られたシグネチャが検証されることができるようにインターネットに接続されたデータベースである）に一セットのパラメータとして格納されることができる。このセットのパラメータは、特定の場合に検出されるシグネチャに比較されることができ、そこでは、この測定されたシグネチャは、データ記憶媒体に格納された事前格納された基準シグネチャに対して比較される。測定されたシグネチャと事前格納基準シグネチャとの間の偏差値が閾値未満である場合、識別は実証されたと考えられる。一方、そのようなオブジェクトやタグが取り付けられるオブジェクトは、本物であると考えられる。しかしながら、事前格納された基準シグネチャは、読み取りデバイスのメモリに永続的に格納されることは必要ない。むしろ、読み取りデバイスは、それが、読み取りデバイスに関して遠くのデータ記憶媒体に格納される事前格納された基準シグネチャを受け取ることができるように設計されることができる。或いは、読み取りデバイスは、タグが取り付けられるオブジェクトや識別されるべきオブジェクトに格納される事前格納された基準シグネチャを受信できる。この文脈で、本発明のオブジェクトやタグは、更なる情報、例えば、オブジェクトのプライス、その製造者等格納してもよい。このような情報は、従来のバーコード、二次元バーコード、磁気ストリップやメモリチップに含まれることができる。このように、読み取りデバイスは、従来のバーコード、二次元バーコード、磁気ストリップ又はメモリチップからこのようなシグネチャを読み取るように構成されることができる。他の例は、読み取りデバイスが読み取った信号を（多分、インターネットに取り付けられたコンピュータのような通信デバイスを介して又はセルラー電話機のようなモバイル通信デバイスを介して）遠くに配置されるデバイス（サーバコンピュータのような）へ送信するように構成され、このデバイスには事前格納された基準シグネチャのデータベースが収容され、前記遠くに配置されたデバイスは、読み取られたシグネチャを事前格納された基準シグネチャ（単数又は複数）と比較することができる。読み取られたシグネチャを事前格納された基準シグネチャとマッチングすると、遠くに配置されたデバイスは、メッセージを読み取りデバイスへ（又は通信デバイスへ）送り返し、アイテムを検証し、ユーザにデータベースに格納された他の関連する情報を提供する。勿論、マッチングが見つけられない場合、遠くに配置されたデバイスは、マッチングが見つけられなかったことを示す信号及び他の情報（これらの状況においてユーザが取るべきステップが何かを提案するような）を戻すことができる。
【００８３】
更に、処理手段は、最近の読み取られたフィンガープリント／シグネチャからの情報を使用して、事前格納された基準シグネチャを再書き込みや付加し、読み取られたフィンガープリントからシグネチャを格納することによって事前格納された基準シグネチャを将来の検証チェックのための更新基準シグネチャとして更新するように構成されることができる。より長い期間、識別タグ又は識別されるように構成されるオブジェクトを使用して、トラックや全識別層の磨耗が、識別タグの激しい使用の結果として生じる。このような磨耗は、特徴シグネチャを変化させる。事前格納された基準シグネチャが常に一定のままである静的システムにおいて、このような磨耗の影響は、識別タグがシステムによって認識されないという結果となる。このように、本発明の一実施の形態において使用されるダイナミックシステムは、検出されたシグネチャにおける変化を更新しこの更新されたシグネチャを事前格納基準シグネチャとして格納する。このように、識別層の材料の磨耗に起因する時間経過に従う小さな変化が考慮され、それによって、システムの機能性を改良する。理由は、磨耗の結果として無効であるとのタグやオブジェクトの誤った分類が回避されるからである。
【００８４】
上記開示に従って、従来の読み取りヘッドは、識別されるように構成されるタグやオブジェクトの識別機能を表す特徴（シグネチャ）を決定するために使用されることができる。使用されることができる読み取りヘッドの例は、例えば、カセットテーププレイヤー、ビデオカセットレコーダ（ＶＣＲ）、磁気データ記憶テープ、ハードディスクドライブ、Ｚｉｐ（商標）ディスク、Ｊａｚ（商標）ディスク、及び磁気ストライプリーダにおいて使用されるものである。或いは、ＭＦＭとして一般的に知られている磁気フォース顕微鏡が使用されることができる。電気又は電磁界強度のような特徴を決定するために、任意の従来の高感度電界メータや適切な周波数へ較正されることができるＥＭＦガウスメータがこの目的で使用されることができる。光学特性を決定するために、例えば、必要な偏向フィルタ及び／又はカラーフィルタを備える光検出器や光ダイオードが使用されることができる。
【００８５】
一旦オブジェクトやタグからのシグネチャが決定されると、記憶に先立って処理（例えば、フィルタ、平滑、フーリエ変換を行う、又は他の数学的信号処理テクニック）及び／又は圧縮及び／又はシグネチャを暗号化するためそれは数学的手順を受ける。第１の測定シグネチャ（又はもし必要ならば、引き続く測定されたシグネチャ）は、タグの読み取りから得られる生の信号の形態で又はその処理された／圧縮された／暗号化された形態で、ハードディスク、スマートカード、ＲＡＭモジュール、テープ記録、磁気ストライプ又は他のデータ記憶媒体のような種々のデータ記憶媒体に格納されることができる（それによって、事前格納基準シグネチャとなる）。
【００８６】
本発明において、第１のシグネチャは、対象となるタグやオブジェクトに含まれる識別機能全体を含む表面エリアを走査することから得られる。しかしながら、表面の一部を読み取ることからのみこの第１のシグネチャを得てそれによって、識別機能の一部のみを読み取ることが可能である。例えば、認証のより低いレベルを必要とする用途において、（識別層の最も薄い寸法が露出される場合）、表面又はトラックの一部のみを読み取ることで十分であることができる。この“部分的”シグネチャは、事前格納シグネチャ（識別情報）となる。このように、新たなタグやオブジェクトのシグネチャを読み取り且つ記録するための処理時間が減少されることができる。
【００８７】
“部分的”シグネチャのみの要求は、偽造することをより複雑にする。理由は、使用される部分は、タグやオブジェクト単独の識別層に含まれる識別機能から識別可能であることは必要ないが、選択的に全体のシステム内に独立命令の一部を形成するからである。このことは、一般的に、偽造者が、情報の幾らかのみがオブジェクトを認証するために使用されるにも拘らず、識別層全体（タグやオブジェクト全体を意味する）生成することを強いられることを意味する。典型的には、未使用の部分を再生することは元の製造者や合法的なユーザにとってコストと努力を大きく増加することなくタグを偽造するのに必要なコストと努力を増加する。
【００８８】
上記で見られるように、事前格納基準シグネチャと識別目的の為に取られるシグネチャを得ることは、異なる時間と場所で発生する可能があり実施レベルで一般的である。例えば、製造されたタグは、最初に読み出されることができ、そこでは、シグネチャは、得られ、そしてタグがそのタグのユーザに（例えば、自動車産業では部品の供給者）に引き渡される前にデータ記憶媒体に格納される。次に、このタグのユーザは、タグをタグ付けされるべきオブジェクト、例えば、その顧客に配布される前に自動車のコンポーネントへ貼り付ける。或いは、タグは、タグユーザがタグをオブジェクトへ取り付けた又はタグをオブジェクトに含ませた後でのみタグユーザによって読み取られることができる。識別されるように構成されるオブジェクトの場合、シグネチャが、典型的に読み取られ、オブジェクトが製造され且つ事前格納基準シグネチャが、そうすることが望ましい場合、遠くの場所に送られてそこに記憶される。タグやオブジェクトの両方の使用の場合、自動車部品供給者や医薬製造者のようなユーザは、ここで記述されるような識別層を含むオブジェクトやタグに製品情報等のような更なる情報／コンテンツを格納できる。又は、本発明のこのような識別層を含むＣＤのようなデータ記憶メディアの場合、レコード会社のようなユーザは、音楽をＣＤに記憶し、それを顧客に配布できる。次に、この顧客は、第２のシグネチャを得、得たシグネチャを事前格納基準シグネチャ（これは、遠隔データ記憶媒体に記憶されることができる）と比較できる−オブジェクトの同一性を検証する為に。或いは、タグユーザは、タグを読み取る前にタグをオブジェクトに貼り付け、その後、シグネチャをデータ記憶媒体へ送信する（同様に、オブジェクトユーザは、最初に、対象となるコマーシャルアイテムを製造し、それを遠隔場所に送信し、そこで、基準シグネチャが読み取られ、データ記憶媒体に記憶される）。両方の場合、識別情報が対象となるタグやオブジェクトからシグネチャの形態で得られ、そのタグやオブジェクトの引き続く識別のためにデータ記憶媒体に格納される。
【００８９】
この文脈で、本発明のオブジェクト又はタグにおける識別機能を読み取るための方法の実施の形態が以下で議論される。
【００９０】
一実施の形態において、情報は、前記識別層の少なくとも一部に含まれる複数のランダムに分布された粒子から読みられる。複数のランダムに分布された粒子は、磁性又は磁化可能、導電性又は半導電性又は光活性又は光学的に区別可能な粒子であることができる。
【００９１】
磁性粒子が使用される場合、読み取りは、タグ又はオブジェクト識別層の少なくとも一部の磁界の少なくとも一つの特徴を決定することを含む。それによって、特定の磁気信号が得られる。この場合、識別層は、孔を有する非磁性ホスト材料よりなり、そこでは、孔の少なくとも幾つかは磁性材料を含む。
【００９２】
読み取りは、識別層の無秩序に高く依存する識別層の一部の磁界の少なくとも一つの特徴であることができる。より具体的には、無秩序は、識別層の特性の少なくとも一つ、例えば、識別層中における孔のサイズ、形状及び向き、孔同士間の距離、孔充填の割合及び磁性材料のクリスタルの配向に関連されることができる。例えば、多孔性ホスト材料が使用される場合、無秩序は、ホスト材料単独の特徴であることができる。これに対する例として、異なる孔サイズと孔同士間距離を有するホスト材料が使用されることができ、この材料の孔は、磁性材料で（等しく）充填される。無秩序が孔内への材料の充填度合いを変化することによって生成される秩序だった孔を有するホストを使用してもよい。勿論、無秩序構造を有する識別層を使用し、例えば、充填された孔の割合や（磁性材料の場合）タグ内の材料のクリスタルの配向を変化することも可能である。他の代替例は、多孔性ホスト材料が磁性で且つフィンガープリントが未充填孔（又は非磁性材料での孔の充填）のサイズと位置における無秩序から生じるものである。タグやオブジェクトの識別層における無秩序を生成するように操作され得る上記特性は、自由度と考えられることができる。
【００９３】
一実施の形態において、識別層は、識別層の前記部分の磁界（信号）の少なくとも一つの特徴の各決定に先立って、磁界を受ける。この実施の形態において、識別層内の磁性材料は、各読み取り前に、磁界下で再磁化されることができる。これは、読み取りを容易にするための磁界信号を増加する。このために、単純な棒磁石によって生成されるもの、ソレノイドや磁石の組み合わせから発生される磁界のような均一であるが異質な磁界が識別層を再磁化するために使用されることができる。
【００９４】
一実施の形態において、タグやオブジェクトの識別層における情報を更に記憶（記録）するための方法が考察される。この情報の記憶（記録）は、例えば、一グループの粒子に存在する磁性材料を分極ドメインへ磁化することによって又は磁性（又は電気導電性）材料を含むトラックの粒子のグループをパターン化することを介して決定することによって又はこれら二つのアプローチの組み合わせによって行われることができる。この記録ステップは、フィンガープリントの第１の決定に先立って又はこの第１の決定後になされることが好ましい。
【００９５】
本発明の更に他の実施の形態は、オブジェクトに対して二つの事前格納された基準シグネチャを記憶することを含む。オブジェクトのシグネチャが読み出されると、引き続いて、読み出されたシグネチャは、例えば、そのオブジェクトに対して全ての事前格納基準シグネチャに対して比較される或いはデータベースに記憶された全ての事前格納基準シグネチャに対して比較される。例えば、シグネチャを読み取って異なる読み取りデバイスでオブジェクトに対する事前格納基準シグネチャとして使用される場合、そのことは、少なくとも二つ（複数の）読み取りデバイスが使用されることができることを意味する。複数の読み取りデバイスは、それらの各々が異なるように読み取られるべき識別機能のエリア同士間の空間関係を定義するように構成されることができる。構成におけるこの違いは、本質的に又は意図的に導入される。例えば、種々の読み取りデバイスの読み取り要素は、互いに対して目的をもって僅かに位置ずれされる。これは、各読み取りデバイスに対する読み取りの空間関係が僅かに異なるように定義することを意味する。その結果、各読み取りデバイスからのシグネチャは、僅かに異なることになる。全てのこれらの事前格納シグネチャを格納し且つそれらをオブジェクトの引き続く検証のために使用することによって、検証がより頑強になる。例えば、識別機能のトラックを読み取ることを考察する。第１の読み取りデバイスの読み取り要素が完全に位置合わせされると、それは、”位置合わせされたシグネチャ“と呼ばれることができるシグネチャを提供する。第２の読み取りデバイスの読み取り要素が僅かに左側に誤位置合わせされる（例えば、約１マイクロメートル、１０マイクロメートル、５０マイクロメートル又は１００マイクロメートルだけ）と、そのことは、”左側シグネチャ”と呼ばれることができるシグネチャを提供する。第３の読み取りデバイスの読み取り要素が僅かに右側に誤位置合わせされる（例えば、約１マイクロメートル、１０マイクロメートル、５０マイクロメートル又は１００マイクロメートルだけ）と、そのことは、”右側シグネチャ”と呼ばれることができるシグネチャを提供する。位置合わせされたシグネチャ、左側シグネチャ及び右側シグネチャを事前格納された基準シグネチャとして記憶することによって、これは、以下で記述されるように方法とシステムの頑強さを増加する。多くの読み取りデバイスが商業的セールのために製造されている場合、各デバイス間に幾らかの許容誤差とバリエーションがある。製造プロセスにおける許容最大位置合わせ誤差が±５０マイクロメートルと仮定すれば、誤位置合わせ読み取り（少なくとも±５０マイクロメートルの誤位置合わせを含む）に対応して一つ又はそれより多くのセットの事前格納基準シグネチャを記憶することは、最大の誤位置合わせ製造リーダでさえ、読み取られたシグネチャと良好にマッチングする対応する事前格納基準を有することを意味する。一つより多くの事前格納基準信号を得るための複数の読み取りデバイスを使用する更なる例は、読み取り要素自体がそれらの特徴（例えば、磁気センサは、感度が変化する）における幾らかのばらつきを有することである。読み取り要素の範囲を有する一��ットの読み取りデバイスを使用することによって、可能であれば、一群の読み取り要素でシグネチャのスペクトルが記録されることができる。この実施の形態において、引き続いて読み取られたシグネチャが、特定のオブジェクト又は一群のオブジェクトに関連する事前格納されたシグネチャの少なくとも幾つか又は全てと比較されることができる。
【００９６】
オブジェクトへ割り当てられるバーコード、シリアル番号のような他のシリアル化識別情報、２進又は１６進情報、又は英数字コード（例えば、名前）が識別情報のセットの一つとして使用される本発明の更なる実施の形態において、及び読み取りデバイスが十分には、完全には又は正確には前記バーコードやシリアル化識別情報を読み取らない場合、処理ユニットは、別個に入力される又は走査される補充情報に基づいて読み取られた信号の部分から欠落しているデータやコンポーネント（例えば、基準ポイント）を再生できる。例えば、識別情報が、バーコードと関連番号である場合、バーコードは、代替装置で走査されることができ、関連する数字は、読み取られた信号の部分から欠落するデータやコンポーネント（例えば、基準ポイント）を再生するために補充情報として使用されることができる。次に、再生されたデータやコンポーネントは使用されて前記オブジェクトを識別するためのシグネチャを形成する。
【００９７】
更なる実施の形態において、バーコードや他のシリアル化識別情報は、事前格納基準シグネチャが記憶及び／又は検索される主キーとして使用される。
【００９８】
本発明の上記及び他のオブジェクト、特徴及び利点は、類似の部品や要素が類似の参照番号によって示される添付の図面に関連する、以下の記載及び添付の請求項から明らかになる。
【００９９】
本発明は、以下の非制限例及び図面を参照して更に記述される。
【図面の簡単な説明】
【０１００】
【図１ａ】本発明で使用される読み取り要素と組み合わせて且つ本発明に従うタグやオブジェクトに存在する識別層の頂部と底部上の任意のカバー層との組み合わせにおける本発明の識別層を示す。
【０１０１】
【図１ｂ】図１Ａの識別層の側面図である。
【０１０２】
【図１ｃ】識別機能を含むエリアを走査する例示の方法を示す。
【０１０３】
【図１ｄ−１ｅ】図１ｄは、本発明の一実施の形態に従うオブジェクトへ取り付けられるタグを示し、図１ｅは、本実施の形態に従うタグを読み取るように構成されるリーダを示す。
【０１０４】
【図２】図２ａと図２ｃは、本発明の一実施の形態に従うラベルへ取り付けられるタグを示し、図２ｂは、実施の形態に従うタグを読み取るように構成されるリーダを示す。
【０１０５】
【図３】図３ａは、本発明の他の実施の形態に従うタグを示し、図３ｂは、前記タグの平面図であり、図３ｃは、実施の形態に従うタグを読み取るように構成されるリーダを示す。
【０１０６】
【図４】本発明の更なる実施の形態に従うタグやオブジェクトを示す。
【０１０７】
【図５】本発明の実施の形態に従うタグを形成する方法を示す。
【０１０８】
【図６】図６ａは、本発明の更なる実施の形態に従うタグを製造する方法を示し、図６ｂは、本発明のこのようなタグのオブジェクトへの取り付けを示す。
【０１０９】
【図７】図７ａは、本発明の更なる実施の形態に従うタグを製造する方法を示し、図７ｂは、本発明のこのようなタグのオブジェクトへの取り付けを示し、図７ｃは、本発明において製造されたタグの関連の実施の形態を示す。
【０１１０】
【図８】図８ａと図８ｂは、本発明の更なる実施の形態に従うタグやオブジェクトを示し、図８ｃは、タグやオブジェクトを読み取るように構成される本発明のリーダを示す。
【０１１１】
【図９】図９ａと図９ｂは、本発明の更なる実施の形態に従うタグを示し、図９ｃは、タグを読み取るように構成される本発明のリーダを示す。
【０１１２】
【図１０】図１０ａと図１０ｂは、本発明の更なる実施の形態に従うタグを示し、図１０ｃは、タグを読み取るように構成される本発明のリーダを示す。
【０１１３】
【図１１】図１１ａと図１１ｂは、本発明の更なる実施の形態に従うタグを示し、図１１ｃは、タグを読み取るように構成される本発明のリーダを示す。
【０１１４】
【図１２】図１２ａと図１２ｂは、本発明の更なる実施の形態に従うタグを示し、図１２ｃは、タグを読み取るように構成される本発明のリーダを示す。
【０１１５】
【図１３】図１３ａと図１３ｂは、本発明の更なる実施の形態に従うタグやオブジェクトを示し、図１３ｃは、タグやオブジェクトを読み取るように構成される本発明のリーダを示す。
【０１１６】
【図１４】図１４ａと図１４ｂは、本発明の更なる実施の形態に従うタグやオブジェクトを示し、図１４ｃは、タグやオブジェクトを読み取るように構成される本発明のリーダを示す。
【０１１７】
【図１５】図１５ａと図１５ｂは、本発明の更なる実施の形態に従うタグやオブジェクトを示し、図１５ｃは、タグやオブジェクトを読み取るように構成される本発明のリーダを示す。
【０１１８】
【図１６】図１６ａ乃至１６ｄは、本発明の更なる実施の形態に従うタグやオブジェクトを示す。
【０１１９】
【図１７】図１７ａと図１７ｂは、本発明の更なる実施の形態に従うタグやオブジェクトを示し、図１７ｃは、タグやオブジェクトを読み取るように構成される本発明のリーダを示す。
【０１２０】
【図１８】図１８ａ乃至１８ｃは、本発明の更なる実施の形態に従うタグやオブジェクトを示す。
【０１２１】
【図１９】図１９ａ乃至１９ｃは、本発明の更なる実施の形態に従うタグやオブジェクトを示す。
【０１２２】
【図２０】本発明の更なる実施の形態に従うタグやオブジェクトを示す。
【０１２３】
【図２１】図２１ａと図２１ｂは、本発明の更なる実施の形態に従うオブジェクトを示し、図２１ｃは、オブジェクトを読み取るように構成される本発明のリーダを示す。
【０１２４】
【図２２】図２２ａと図２２ｂは、本発明の更なる実施の形態に従うオブジェクトを示し、図２２ｃは、オブジェクトを読み取るように構成される本発明のリーダを示す。
【０１２５】
【図２３】図２３ａと図２３ｂは、本発明の更なる実施の形態に従うオブジェクトを示し、図２３ｃは、オブジェクトを読み取るように構成される本発明のリーダを示す。
【０１２６】
【図２４】図２４ａと図２４ｂは、本発明の更なる実施の形態に従うオブジェクトを示し、図２４ｃは、オブジェクトを読み取るように構成される本発明のリーダを示す。
【０１２７】
【図２５】図２５ａと図２５ｂは、本発明の更なる実施の形態に従うオブジェクトを示し、図２５ｃは、オブジェクトを読み取るように構成される本発明のリーダを示す。
【０１２８】
【図２６】本発明の更なる実施の形態に従うオブジェクトを示す。
【０１２９】
【図２７】本発明の更なる実施の形態に従うオブジェクトを示す。
【０１３０】
【図２８】図２８ａは、本発明の更なる実施の形態に従うオブジェクトを示し、図２８ｂは、タグやオブジェクトを読み取るように構成される本発明のリーダを示す。
【０１３１】
【図２９】図２９ａは、本発明のタグやオブジェクトに使用されることができる識別層の形成を示し、図２９ｂは、前記識別層の斜視図を示す。
【０１３２】
【図３０】図３０Ａ乃至３０Ｈは、識別されるように構成される識別タグやオブジェクトの実施の形態を製造する方法中の図である。
【発明を実施するための形態】
【０１３３】
上記に従い、ここで提供される開示は、アイテムをトラッキングし、偽造を防止し、且つ改ざん防止を可能とするための識別システムは：ａ）”識別機能”を含むタグやオブジェクト（ここでは、”識別機能“は、例えば、制限されるわけではないが、本質的に無秩序化された材料や組成物よりなると理解され、そこでは、材料／組成物の無秩序の少なくとも一つの特徴信号（ここでは、”シグネチャ”と呼ばれる）が前記シグネチャを読み取るように構成されるリーダを使用して有意に読み取られることができる）を備え、このタグやオブジェクトは、リーダが、識別機能に容易に物理的／機械的に位置合わせされることができる少なくとも一つの“係合トラック”を更に備え、且つそこにおいて、タグやオブジェクトは、価値のあるアイテムに取り付けられるように構成され；ｂ）係合トラックと物理的／機械的に係合し、タグのシグネチャを読み取るように構成される読み取りデバイスを備え、それによって、前記シグネチャが識別機能から先に読み取られた無秩序の材料／組成物の対応する特徴信号（ここでは、“基準シグネチャ”や”事前格納基準シグネチャ”と呼ばれる）と比較されることができる；ｃ）任意ではあるが、データ記憶デバイスを備え、そこでは、基準シグネチャは、記憶される（ここでは、”データ記憶デバイス“は、データ読み取りの機械読み取り可能手段、例えば、ハードディスク、磁気テープドライブ、光記憶ディスク、メモリチップ、又は２Ｄバーコードやビットマップのような従来の光学手段を指す。）
【０１３４】
価値のあるアイテム、特に、平坦な及び／又は湾曲表面を備え、照会される容易に利用可能なエッジやコーナーを有さない価値のあるアイテムに容易に取り付けられるタグやオブジェクトが提供される。
【０１３５】
図１ｄは、本発明の一実施の形態に従うタグ１００を示す。このタグは、識別機能１０１のトラックや層を含む。タグは、例えば、接着剤層を有することによって、又は熱接合されることができることを介して、又は価値のあるアイテム内にタグのある部分を埋め込む物理的手段を提供する形状又はフォームファクタを有することによって価値のあるアイテム１０２へ取り付けられるように構成される。この場合、タグ自体は、係合トラックを形成する。理由は、タグは、良好に画定されたエッジを有する厚い矩形断面材料からできているからである。この係合トラックは、読み取りトラックを介して識別層に配置される識別機能を読み取る読み取りデバイスの一部に対して形状が実質的に相補的である。タグにおいて、複数の主表面の最も薄い寸法又は一つが識別機能の読み取りのために露出されることが出来る。
【０１３６】
図１ｅは、図１ｄに示されるタグの識別機能を読み取るように構成されるリーダ１１０の横断面図を示す。このリーダは、タグのシグネチャを読み取るのに適する少なくとも一つの読み取り要素１１１を備える（例えば、識別機能がランダムに分布された磁性粒子よりなる場合、読み取り要素は、例えば、磁気データ記憶テープ、ＶＣＲ、フロッピーディスク又はハードディスクで使用される磁気読み取りヘッドとしての磁気センサであることができ、もし識別機能がランダムに分布された発光粒子である場合、読み取り要素は、光センサや光検出器であることが出来る）。読み取り要素１１１は、オブジェクト上のタグ１００によって形成される係合トラックと係合するように設計される溝１１２の一つのエッジから既知の固定距離に位置される。読み取り要素１１１は、タグの識別機能と位置合わせし、それによってそのシグネチャを読み取るように係合要素のエッジから既知の固定距離に位置される。図示の実施の形態において、リーダは、タグに関して移動される事が出来る（反対に、例えば、リーダが手で保持され、リーダをタグに沿って移動することによって）、又は読み取り要素は、機械的アクチュエータを使用して識別機能を横切るように移動される、或いは読み取り要素が識別機能に関して移動されることなく読み取り要素が十分な情報を読み取ることが出来るようにされる（センサが線形に又はエリアアレイに配置されることによって、例えば、電荷結合デバイス（ＣＣＤ）アレイのような光撮像デバイスが表面を横切るように移動されることなくエリアを撮像することが出来る）。
【０１３７】
係合要素が溝である実施の形態において、その幅”Ｔ”は、係合トラック“Ｙ”の幅と等しく又はそれよりも僅かに大きいように設計され、それによって、係合要素が係合トラックと係合されることが出来る。幾つかのケースでは、幅“Ｙ”よりも小さい幅“Ｔ”を有することが有利である。これらの場合、係合トラックや係合要素は、弾性的に変形可能でありそれによって有意な機械的係合が起こり得る。必要ならば、リーダは、一つ又はそれより多くの位置トラッキング要素１１３を含むことが出来る。例えば、シグネチャを読み取り中、リーダは、タグに関して移動され（又はその逆）繰り返し読み取りを達成する場合、幾つかの状況では、タグとリーダとの間の相対的変位を正確にトラックすることが重要である。更に、タグ上に少なくとも一つのマーキングを有し、読み取りが始まり／終わる開始ポイント及び／又は終了ポイントを示すことが有利である。
【０１３８】
例えば、位置トラッキング要素は、コンピュータの光学マウスで使用されるもののような光学位置センサであってもよい。位置センサが読み取りの開始及び／終了ポイント（及び多分それらの間の位置マーキング）を識別するために使用される場合、光バーコードセンサが良好に働くことがわかった。位置を感知するための他のセンサが使用されることが出来る、例えば、センサは、位置を識別するように設計される磁気マーキング／機能をトラッキングする磁気センサであることができることが当業者には明確である。更に、二つ以上の位置センサの組み合わせ、例えば、読み取りの開始と終了ポイントを識別するバーコードセンサと光学位置センサ（コンピュータのマウスで使用されるような）を使用してマーキング同士間で移動される距離をトラックすることが有利である場合がある。
【０１３９】
一般的に、係合トラックの寸法は、本発明において、それらが、係合要素との良好な物理的／機械的係合と可能とするに十分であるように選択される。その結果、係合されると、係合トラックが係合要素に突出する（又は、逆に、後者の実施の形態で示されるように）距離、ここでは“係合距離”と呼ばれる、特定の要素では可能な限り大きいが、典型的には、少なくとも約５０マイクロメートルである。しかしながら、少なくとも１５０マイクロメートル以上であることが出来る。このことは、図１ａに示される実施の形態では、係合トラックの高さ“Ｚ”は、少なくとも５０マイクロメートルであり、対応して、係合トラック１１２の深さ“Ｄ”は、少なくとも５０マイクロメートルである。図１に示される実施の形態における構造的安定性のために、Ｚ≦１０Ｙであることが望ましく、より好ましくはＺ≦Ｙである。読み取られるべき識別機能の長さは、“Ｘ”でマークされる。
【０１４０】
図１ｄに示されるように、タグ１００は、その上に印刷された又はその中に埋め込まれた追加の情報を有することが出来る。例えば、磁気ストリップ（クレジットカードにおいて使用されるような）がタグに埋め込まれることが出来、会社のロゴや他のホログラムやバーコードのようなセキュリティ機能がタグの表面に印刷されてもよい。情報”書き込まれた“（例えば、磁気、光又は他の手段を使用して書き込まれた）は、タグのシグネチャについての情報を含むことが出来る。例えば、暗号化２Ｄバーコードは、タグの表面に書き込まれることができ、バーコード中の暗号化情報は、タグの基準シグネチャを含むことが出来る。次に、リーダは、タグのシグネチャとバーコードを同時に読み取ることが出来、シグネチャをバーコード中の基準シグネチャと比較できる。
【０１４１】
図２ａは、本発明の更なる実施の形態を示す。ここでは、識別機能２０１を含むタグ２００は、ラベル２０２に接合される。タグとラベルが接合されると、接合されたユニットは、本発明に従うオブジェクト２０３を形成する。また、識別機能を含むタグ２００は、ラベルの表面上に係合トラックを形成する。この係合トラックは、Ｙ幅とＺ高さを有し、読み取りデバイスの係合要素と係合するように構成される。
【０１４２】
図２ｂは、図２ａに示されるオブジェクトを読み取るように構成されるリーダの横断面図を示す。リーダ２１０は、図２ａに示される係合トラックと係合するように設計される少なくとも係合要素２１１と係合要素２１２を備える。係合要素は、図に示されるように寸法ＤとＴを有する。オリジナル位置トラッキング要素２１３が示される。寸法ＺとＤは、係合距離が少なくとも約５０ミクロンメートルであるという基準を満足するために少なくとも約５０ミクロンメートルである。寸法Ｔは、機械的係合を可能とするために寸法Ｙよりも大きいか又は等しい。
【０１４３】
図１ｄに示される場合に関して、図２ａに示されるタグ２００又はラベル２０２は、それらの上に印刷された又はそれらの中に埋め込まれた追加の情報を有する。これは、図２ｃの実施の形態によって示されており、そこでは、１Ｄバーコード２０４が、ラベル２０２に配置されるタグに実質的に平行に配置されている。これはまた、ここで述べられる全ての引き続く実施の形態に適用可能である。オブジェクト（ラベル）が取り付けられるべき価値のあるアイテムは、図２には示されていないことに留意すべきである。この文脈において、ラベル２００上のバーコード２０４は、リーダ２１０のトラッキング要素２１３に対する位置合わせ又は位置決めマーキングとして働くことが出来る。上述されたように、図１の実施の形態に関する文脈において、トラッキング要素２１３は、光センサであることが出来る。或いは、バーコード２０４の代わりに、磁気ストップや図７に示されるようにヘアのような形態のランダムに分布された磁性粒子が位置合わせ又は位置決めマーキングとして使用される場合、トラッキング要素２１３は、図１を参照して示されたように磁気センサであることができる。このように、本発明において、位置合わせマーキングは、一般的に、第２のセットの識別機能であることができる。
【０１４４】
図３は、オブジェクト３０３とリーダ３１０が湾曲表面を有する価値のあるアイテム３０４に関して使用されるように構成される実施の形態を示す。図３ａは、タグの横断面図を示し、図３ｂは、タグの平面図を示す。識別機能３０１を含むタグ３００は、ラベル３０２に接合される。タグとラベルが接合されると、接合されたユニットは、本発明に従う識別されように構成されるオブジェクト３０３を形成する。このオブジェクト３０３は、湾曲表面を有する価値のあるアイテム３０４に接合されるように構成される。また、タグ３００自体は、係合トラックを形成する。リーダ３１０は、少なくとも読み取り要素３１１と係合トラック３００と係合するように設計される係合要素３１２を備える。任意の位置トラッキング要素３１３も示される。係合要素３１２に直に隣接するリーダ３１０の表面は、識別機能が読み取られる時に係合中にその機械的安定性を増加するように湾曲される（図３ｃに示されるように）。
【０１４５】
図４は、本発明の更なる実施の形態を示す。ここで、識別機能４０１を含むタグ４００は、アイテムに埋め込まれることによって価値のあるアイテム４０４に取り付けられるように構成される（図に示されるように）。或いは、図４は、識別されるように構成されるオブジェクトを示し、そこでは、係合トラックがオブジェクトに形成されるように識別層が配置されている。係合トラック（この実施の形態では、タグ自体の又は識別層の一部である）は、Ｙ幅及びＺ高さを有する。ここで、寸法Ｚは、識別機能が読み取られることが出来るように係合要素（タグや識別機能が埋め込まれた後）と係合することが出来る係合トラックの高さとして測定される。また、本実施の形態において、寸法Ｚは、通常少なくとも約５０ミクロンメートルである。タグ４００を読み取るように構成されるリーダは、すでに示されているリーダと外観が同様であるので図示されない、即ち、それは、係合トラックと係合するのに十分な幅の係合要素を有する、即ち、係合要素は、少なくとも寸法Ｙと同じ幅である。
【０１４６】
図５は、図４に示されるもののようなタグが作られることができる方法を示す。タグのコンポーネントは、分解形態、即ち、コンポーネントが一緒に接合されてタグを形成すること先立つ状態で示される。ここで、矩形断面ストック材料５２１と５２２の二つの片が識別情報を含むフィルム材料５２３を挟む。例として、識別機能が磁性である場合、材料５２３は、ランダムに分布された粒子を含む非磁性マトリックス材料よりなる。識別機能は、リーダの読み取り要素により読み取り要素を材料の５２３の露出表面５２４に近接させることによって読み取られる。ストック５２１と５２２は、容易な接合、リーダの係合、及びシグネチャの読み取りを可能とする形状／断面を実際上有する。更に、ストック５２１と５２２は、用途に従って広範囲にわたる材料から作られることが出来る。例えば、プラスチックは、厚い壁のパイプ、自動車のバンパー又はプラスチック成型家具のアイテムのようなポリマーオブジェクトへの埋め込みに有用である。金属は、例えば、自動車キャスティング、金属ボックス及びシャシー、又は機械コンポーネントでの使用に適する。
【０１４７】
図６は、図１ｄ、図２及び図３に示されるもののようなタグやオブジェクトが作られることが出来る方法を示す。このタグは、”適応”タグとも呼ばれる。図６ａは、ロールツーロールセットアップにおけるプロセスの第１の部分を示す。ここで、周期的な貫通孔６０３がタグにおける適応層として働くフィルム材料６０１内に適応凹所としてカットされる（フィルムは、初めは、ロールフィルム６００である）。貫通孔カッティングは、例えば、レーザー６０２を使用して行われることが出来ることがわかった。ポリエチレンテレフタレート（ＰＥＴ）フィルムが使用される場合、二酸化炭素（ＣＯ２）レーザーが許容される高速で正確で一貫して形成された孔をカットできる。その後、フィルム６０４の形態のカバーフィルムがそのロール６０５から引き出されてフィルム６０１（適応層）に接合され、貫通孔の一方の開口を閉鎖する。次に、これらの貫通孔は、分散注射器６０８から散布された前駆体材料６０７で反対側から充填される。識別機能が、磁気的に読み取られるべき場合、例えば、前駆体材料６０７は、ランダムに分散された磁気粒子を含む非磁性ポリマー接着剤やインクであることができる。適切な接着剤やインクの成分の実例は、従来の硬化可能エポキシド組成物、（メタ）アクリレート組成物、又はポリシロキサン組成物含み、米国特許出願第２００５０２４５６３３号と第２００５０２４５６３４号に記述されるものを含む。硬化した形態では、このようなインクは、識別機能が中に安全に埋め込まれ且つ適応層が自己支持し、必要ならば、協調的層を支持する更なる層やベースなしに使用されることが出来ることを保障する機械的に安定で、対磨耗性で化学的に不活性マトリックスを生成する。前駆体材料６０７は、例えば、スキージーやブレード６０９を使用して孔の中に押し込まれる。前駆体充填孔は、参照番号６１０として示される。この段階で、前駆体が硬化され、それによって、タグ内に埋め込まれたランダムに分布された粒子の位置を固定する。前駆体に依存して、硬化が熱、赤外（ＩＲ）光、紫外（ＵＶ）光、又は他の硬化メカニズム（例えば、電子ビーム誘導クロスリンキング）によって開始される。図６ａに示される場合は、硬化要素（それは、例えば、加熱ランプやＵＶ光であることができる）。適切な場合、フィルムは、例えば、スライスブレード６１２を使用してトリミングされる。ここで、タグ材料が作られ、それは、用途に合うサイズのセクションにカットされる。この“適応層”タグの実例において、適応凹所は、約１０ｍｍの長さ、約０．２５ｍｍの幅、及び約０．５ｍｍの深さを有する。このように、凹所がランダムに分布された材料で充填されると、この適応凹所に形成される識別層は、非常に類似する二つの寸法（例えば、図１ａを参照すると、寸法ａとｃ）を有する髪の毛のような又はロッドのような形状を有する。このように、用語“機能層”は、このような髪の毛、糸（ｓｔｒａｎｄ）又はロッドのような構成を有する。
【０１４８】
図６ｂは、図６ｃに示されるプロセスを使用するタグ材料のセクションから作られるタグ６２０を示す。前駆体充填溝は、リーダによって読み取られるべき識別機能６２１を構成する。更に、タグは、フィルム６０４から作られるカバー層６２２を備え、この層は、環境条件（湿度、腐食流体等のような）並びに機械的磨耗や摩滅から識別機能を更に保護するように働く。カバー層／フィルムがポリマー材料から作られる場合、湿度や他の化学物質がカバー全体に拡散することを防止するために金属の薄層を有するこの層／フィルムを有することが有利である。カバー層の反対側のタグの表面は、その上に接着剤のフィルムを有し、それによってそれが表面に容易に接合されることが好ましい。このタグは、図１ａに示されるように、そのまま使用されることが出来、そこでは、タグは、接着剤コーティング面を価値のあるオブジェクトへ接触することによって価値のあるオブジェクトへ接合される。或いは、タグは、他のコンポーネント（単数又は複数）、例えば、ラベル６２３に関連して使用され、本発明に従うオブジェクトを形成する（このようなオブジェクトの例は、図２と図３に示される）。図６ｂに示される実施の形態において、タグは、裏返され、それによって接着剤コーティング面がラベルと接触し、それによって、タグがラベルに付着し、カバー層がタグの頂表面を形成し−接合ユニットが本発明に従うオブジェクトを形成する。
【０１４９】
識別機能が磁性粒子よりなる場合、シグネチャへの個別の粒子の寄与は、ホール６０３内の粒子の位置（ホール６０３の長さのみならず、粒子が表面からどの程度離れているか及びその空間的配向）によって影響が及ぼされる。これは、複雑さと識別機能の統計的変動を増加し、結果として、複雑さとシグネチャの“独自性”を増加する。
【０１５０】
磁気信号から引き出されるシグネチャの場合、カバー層／フィルム６０４は、磁界が読み取り要素によって容易に読み取られることが出来るように且つその磁界の野位置が明確に決定される（且つ読み取り要素への距離によって分散されない）ように可能な限り薄くあるべきである。高磁性粒子を使用する（ＮｄＦｅＢ合金から作られるマイクロスケース粒子のような）場合、２５から１００マイクロメートル厚のポリマーフィルムが有効である−ロールツーロールラミネーションプロセスにおいて機械的に安定であるに十分な厚さとシグネチャが検出されることが出来るに十分な薄さであることがわかった。カバーフィルムの最適厚みは、ａ）使用される磁性粒子のタイプ（例えば、それらの磁界強度と粒子のサイズ）、ｂ）検出メカニズム（例えば、磁気光学方法が使用されるべき場合、厚い透明フィルムが好ましいが、データ記憶テープに使用されるような標準の磁界センサや磁気読み取りヘッドが使用される場合、フィルムは、可能な限り薄く保たれるべきであるが、透明であることは必要ない）及びｃ）タグの使用中の環境条件（例えば、タグが長期間にわたって機能的に必要とされる機械的摩滅、腐食物質等に曝される場合、カバー層は適切に頑強であることが必要である）に依存する。最適な厚みは、実験的に容易に決定されることができる。
【０１５１】
穿孔や孔６０３の長さは、最終のタグ６０２の長さに調節されることが出来る。個別の孔の長さは、タグの長さよりも短いことが好ましく、それによって、タグは支持され且つ機械的に安定に保たれる。インクが粘性であり，孔が非常に短いか又は小さな直径を有する場合、円形の時、識別機能を形成するインクの充填プロセスは、問題となる。粘着性のエポキシベースのインクをスキージーするためには、孔同士間の０．５−１ミリメートルの間隔を有する１と１０ミリメートルの間の孔（適応凹所）長が、１０−１００ミリメートルの長さのタグにとって適切であることがわかった。
【０１５２】
前述の議論から、図６に示されるプロセスにおいて、一緒に接合されたフィルム６０１とフィルム６０４の組み合わせ厚みは、係合トラックに対して必要な高さを提供するように少なくとも５０マイクロメートルであるべきであることが明白である。また、光学インクの使用、例えば、蛍光粒子を含む透明インクに孔へのスキージーすることは、本発明のそのようなタグに含まれることは明白である。例えば、インクジェットやスプレーシステムを使用することによって孔６０３にインクを充填することが可能である。
【０１５３】
図７は、図１、図２、及び図３に示されるもののようなタグやオブジェクトが作られることが出来る更なる方法を示す。図７ａは、ロールツーロールセットアップにおけるプロセスの第１の部分を示す。ここで、前駆体接着剤又はインク７０７（図６に示される適応タグの製造のためのものと同じであることができる）が材料のフィルム７０１（タグ中のベースサブストレートとして働くフィルムは最初にロール形態７００にある）に適用される。前駆体接着剤やインクは分散注射器７０８や接着剤やインクを適用する他の適切な手段、例えば、インクジェットプリンタ、インタリオプリンタ等から分配される。また、一旦形成されたこのような識別層は、勿論制限されるわけではないが、約０．２５ｍｍの接着剤やインクの幅をゆする髪の毛のような形状を有することができる。識別機能が光学的に読み取られるべき場合、前駆体材料７０７は、例えば、ランダムに分布された蛍光又はりん光性粒子を含む透明ポリマー接着剤やインクであることができる。分散した後、前駆体インクが硬化される。前駆体に依存して、硬化は、単純な乾燥、過熱、紫外（ＵＶ）光、又は他の硬化メカニズム（電子ビーム誘導クロスリンキング）によって開始される。明瞭化のために、図７ａは、硬化手段を示していない。必要ならば、フィルムは、例えば、スライスブレード７１２を使用して適切なサイズにトリミングされる。タグ材料がここに作られ、その用途に適するサイズのセクションにカットされる。
【０１５４】
図７ｂは、図７ａに示されるプロセスを使用して作られるタグ材料のセクションから作られるタグ７２０を示す。硬化された前駆体は、リーダによって読み取られるべき識別機能７２１を構成する。前駆体インク７０７が分散される所の反対側にタグの表面は、それが表面に容易に接合されるようにその上に接着剤のフィルムを有する。このタグは、図１ａに示されるように、そのまま使用されることができ、そこでは、タグは、接着剤コーティング面を価値のあるオブジェクトへ接触させることによって価値のあるオブジェクトへ接合されている。或いは、タグは、他のコンポーネント（単数又は複数）、例えば、ラベル７２３と関連して使用され、本発明に従うオブジェクト（例えば、そのようなオブジェクトは図２と図３に示される）を形成できる。図７ｂに示される実施の形態において、タグの接着剤コーティング面がラベルと接触し、それによって、タグをラベルへ接着する−接合されたユニットが本発明に従うオブジェクトを形成する。
【０１５５】
これらの図面及び上記の議論を考察して、係合トラックを提供するためにフィルム７０１は、典型的には少なくとも５０マイクロメートル以上の厚みであるべきであることは明白である。更に、光学的に検出可能なシグネチャを作るトラックをインクジェット印刷する例が示されたが、磁気インクを印刷することが、このケースに適用されることができる。
【０１５６】
図７ｃは、図７ａに示されるプロセスを使用して作られるタグ材料のセクションから作られるタグ７２０を示す。硬化された前駆体は、リーダによって読み取られるべき識別機能７２１を構成する。ここで、タグは、更に、１Ｄバーコード７３０でマークされている。マーキングは、任意の望ましいマーキング、例えば、ホログラムのような光学マーキング、２Ｄバーコード、ロゴや他のアートワーク、シリアル番号、タイミングマーク、又は磁気インクのような磁気マーキング、磁気ストリップ（クレジットカードで使用されるような）であることが理解される。更に、チップベースの識別子は、（また）タグに取り付けられたり埋め込まれたりされることができる。適切なチップベースの識別子は、高周波識別（ＲＦＩＤ）チップ、やスマートカードで使用されるような接触ベースのＩＣチップを含む。また、マーキングは、秘密のものであってもよく、例えば、それは、人が探そうとしない限り、検出が困難である化学的又は分子的マーカーであってもよい。
【０１５７】
図８は、本発明の他の実施の形態を示す。図８ａは、識別されるように構成された識別タグやオブジェクトの横断面図を示す。このタグやオブジェクト８００は、識別層中に配置される識別機能８０１を含む。タグやオブジェクトに含まれる識別層の主表面（図８ａに示されるように）や最小寸法は、識別機能の読み取りのために露出される。更に、タグやオブジェクトは、係合トラック８０２を備える。本実施の形態において、係合トラックは、タグやオブジェクトの溝、チャネル、又はスロットである。係合トラックの深さは、寸法“Ｚ”で与えられ、その幅は、寸法”Ｙ”によって与えられる。図８ｂは、図８ａに示されるタグの平面図を示す。図８ｂに示されるように、識別機能（寸法“Ｘ”）は、係合トラックの全長に延びてもよい−以前に述べたように、これは必要ではない。タグの面８０３（単数又は複数）は、本発明に従うオブジェクトを形成するために接着剤でコーティングされてタグの価値のあるアイテム又は他のコンポーネントへの接合が容易にされる。
【０１５８】
他の例は、タグが熱接合のような方法を使用して価値のあるアイテム（又は他のコンポーネント）へ接合されることである。図８に示される実施の形態において、識別機能は、タグが、例えば、ポリエチレンやポリカーボネートのような熱可塑性ポリマーからできている場合、タグのかなり薄いセクション内に含まれ、面８０３は、タグを価値のあるアイテムへ熱接合するために使用され、識別機能を損傷したり破壊したりすることなく引き続いてタグを除去することは非常に困難である。このことは、本物のアイテムからタグを除去してそこに偽造品を置くことは非常に困難であるので、良好な改ざん防止機能をタグに提供する。
【０１５９】
図８ｃは、図８ａに示されるタグやオブジェクトを読み取るように構成されるリーダ８１０の横断面図を示す。リーダ８１０は、少なくとも読み取り要素８１１と係合トラック８０２を係合するように設計された係合要素８１２を備える。任意の位置トラッキング要素８１３もまた示される。この実施の形態において、係合要素８１２は、リーダの残りの部分から突出し、それによって、それは係合トラック８０２と係合させられる。また、この実施の形態において、係合距離は、典型的には、少なくとも５０マイクロメートルであり、その結果、係合要素８１２の高さ（寸法“Ｚ”によって与えられる）は、少なくとも５０マイクロメートルであり、係合トラック８０２の深さもまた、少なくとも５０マイクロメートルである。また、容易に係合するために、係合要素８１２の幅（寸法”Ｔ”で与えられる）は、係合トラックの幅（寸法”Ｙ”によって与えられる）未満又はそれと等しい。この実施の形態の幾つかの場合、幅“Ｙ”よりも大きな幅“Ｔ”を有することが有利であるが、これらの場合、係合トラック又は係合要素は、容易に弾性的に変形しなければならず、それによって、有意な係合が発生する。
【０１６０】
図９は、本発明の他の実施の形態を示す。図９ａは、識別されるように構成される識別タグ９００やオブジェクト９００の横断面図を示す。タグやオブジェクト９００は、識別層中に配置される識別機能９０１を含む。図９ａは、露出された最も薄い寸法を有する識別層の実例を示すが、図８に示されるように、識別層の主表面は、識別機能を読み取るために等しく使用されることができる。更に、タグは、係合トラック９０２を備える。この実施の形態において、係合トラックは、タグ中の凹所（溝、チャネル又はスロット）として設計される。係合トラックの深さは、寸法“Ｚ”によって与えられ、その幅は寸法”Ｙ”として与えられる。図８に示される実施の形態と異なり、本実施の形態は、識別機能が係合トラックの表面内又はその上にあることを必要としない−実際幾つかの例では、識別機能がトラックから遠くに離れていてもよいことが強調される。図９に示される実施の形態では、識別機能（又は識別層）は、タグやオブジェクト内に識別トラックを形成する凹所に対して横方向に位置される領域に配置される。図９ｂは、図９ａに示されるタグやオブジェクトの平面図を示す。図９ｂに示されるように、識別機能（寸法“Ｘ”）は、係合トラックの全長に延出することができ−先に示されたように、このことは、必要ではない。タグの面９０３（単数又は複数）は、本発明に従うオブジェクトを形成するために、接着剤層でコーティングされてタグの価値のあるアイテムや他のコンポーネントへの容易な接合を可能とする。他の例は、タグが熱接合のような方法を使用して価値のあるアイテム（又は他のコンポーネント）へ接合されることができるようにタグが構成される。
【０１６１】
図９ｃは、図９ａに示されるタグやオブジェクトを読み取るように構成されるリーダ９１０の横断面図を示す。リーダ９１０は、少なくとも読み取り要素９１１と係合トラック９０２と係合するように設計される係合要素９１２を備える。任意の位置トラッキング要素９１３もまた示される。この実施の形態において、係合要素９１２はリーダの残りの部分から突出し、それによって係合要素が係合トラック９０２と係合できる。また、係合距離は、少なくとも５０マイクロメートルであり、従って、係合要素９１２の高さ（寸法“Ｚ”によって与えられる）は、典型的には、少なくとも５０マイクロメートルであり、係合トラック９０２の深さは、典型的には、少なくとも５０マイクロメートルである。また、容易に係合するために、係合要素９１２の幅（寸法“Ｔ”によって与えられる）は、係合トラックの幅（寸法”Ｙ”によって与えられる）未満又はそれと等しくあるべきである。
【０１６２】
図１０は、本発明の更なる実施の形態を示す。図１０ａは、タグやオブジェクトの横断面図を示し、図１０ｂは、タグやオブジェクトの平面図を示す。タグ／オブジェクト１０００は、識別層として配置される識別機能１００１を含む。この場合、識別層の最も薄い寸法が露出されて、識別機能１００１を読み取るためのトラックを形成する。タグやオブジェクトは、更に、係合トラック１００２を備える。この実施の形態は、図８と図９に示される実施の形態に類似する。しかしながら、図１０は、識別機能１００１の位置決めの更なるバリエーションを示しており、そこでは、前記バリエーションは、サンドイッチ構造における識別機能を係合トラックの一方の側にラミネートすることによって生成されることができる。
【０１６３】
図１０ｃは、図１０ａに示されるタグやオブジェクトを読み取るように構成されるリーダ１０１０の横断面図を示す。リーダ１０１０は、少なくとも読み取り要素と係合トラック１００２と係合するように設計される係合要素１０１２とを備える。任意の位置トラッキング要素１０１３も示される。
【０１６４】
図１１は、発明の更なる実施の形態を示す。図１１ａは、識別されるように構成されるタグやオブジェクトの横断面図を示し、図１１ｂは、タグやオブジェクトの平面図を示す。タグ／オブジェクト１１００は、識別層に配置される識別機能１１０１を含む。前記識別層の最も薄い寸法が、識別機能を読み取るために露出される。タグ／オブジェクト１１００は、代わりに又は追加的に、主表面が識別機能を読み取るために露出される層中に配置される識別機能１００６を備えることができる。タグは、更に、係合トラック１１０２を備える。この実施の形態は、図８、図９及び図１０に示される実施の形態に類似している。しかしながら、図１１は、係合トラックが矩形横断面形状を有する必要はないこと強調している。むしろ、断面は、容易に機械的係合を可能とする任意の形状を有することができ−例えば、係合トラック１１０２は、三角形断面を有する突起として形成される。係合トラックの高さは、寸法”Ｚ”によって示され、その幅は、寸法”Ｙ”によって与えられる。識別機能の長さは、寸法“Ｘ”によって与えられる。
【０１６５】
図１１ｃは、図１１ａで示されるタグ／オブジェクトを読み取るように構成されるリーダ１１１０の横断面図を示す。リーダ１１１０は、少なくとも一つの読み取り要素１１１１と係合トラック１１０２と係合するように設計される係合要素１１１２を備える（簡略化のために、識別機能１１０６を読み取るように構成される読み取り要素は図１１ｃには示されない）。任意の位置トラッキング要素１１１３もまた示される。係合要素の深さは、寸法“Ｄ”によって与えられ、その幅は寸法”Ｔ”によって与えられる。“Ｚ”と”Ｄ”の両方は、典型的には、少なくとも５０マイクロメートルである。係合要素と係合トラックの両方は、矩形横断面形状を有し、それぞれの幅はそれらが測定される場所に依存して変化する。ここで、係合トラックのベースでそれらを測定するように適宜選択され、本実施の形態に示される係合要素によって係合される時、係合要素の開口に対応する位置にあり−その結果、その開口での幅として係合要素の幅を示すように選択された。寸法がどこで測定されようと、一旦係合されると、幅“Ｙ”と”Ｔ”は、係合中に対応する位置で測定されることは明白である。
【０１６６】
図１２は、本発明の更なる実施の形態を示す。図１２ａは、価値のあるオブジェクトに埋め込まれるように構成されるタグ１２００と価値のあるオブジェクトの平面図を示す。図１２ｂは、価値のあるオブジェクトに埋め込まれたタグの平面図を示す。タグ１２００は、識別機能１２０１を含む。タグは、価値のあるオブジェクト１２０４に埋め込まれており、更に、係合トラック１２０２が形成されるようにオブジェクト１２０４内に配置される。横断面において、係合トラックは、台形形状を有する。埋め込みプロセスは、適切な手段を使用してなされることができ、例えば、タグは、成型又はスタンピングプロセス中に価値のあるプラスチックや金属アイテム内に押し込まれることができる。価値のあるアイテムが熱によって柔らかくなる（例えば、金属と熱可塑性ポリマー）場合の代替の方法は、価値のあるアイテムがオブジェクトとタグの境界で溶融して二つの部品は接着するように価値のあるアイテムが形成された後、加熱されたタグを価値のあるアイテムに押し込むことである。更なる代替の方法は、タグが嵌るに適する溝やスロットを価値のあるアイテムが含むように製造され、次に、タグが接着剤を使用して価値のあるアイテムへ接着されることである。これら三つの代替の方法が実証しているように、価値のあるオブジェクトへタグを埋め込む多くの適切な方法があることである。図１２ａに示されるように、タグの係合トラックは、寸法“Ｚ”の深さと寸法“Ｙ”の幅を有する。識別機能の長さは、寸法“Ｘ”によって与えられる。
【０１６７】
図１２ｃは、図１２ａに示されるタグを読み取るように構成されるリーダ１２１０の横断面図である。リーダ１２１０は、少なくとも読み取り要素１２１１と係合トラック１２０２と係合するように設計される係合要素１２１２を備える。任意の位置トラッキング要素１２１３もまた示されている。係合要素の深さは、寸法”Ｄ”によって与えられ、その幅は、寸法”Ｔ”によって与えられる。また、本実施の形態において、“Ｚ”と“Ｄ”の両方は、典型的には、少なくとも５０マイクロメートルである。先に述べたように、一旦係合されると、幅“Ｙ”は、幅“Ｔ”未満又はそれと同じであり、そこでは、“Ｙ”と“Ｔ”は、係合中に対応する位置で測定される。
【０１６８】
図１３は、本発明の更なる実施の形態を示す。図１３ａは、価値のあるオブジェクトに埋め込まれるように構成されるタグの埋め込まれた状態とその価値のあるオブジェクトの横断面図を示す。図１３ｂは、価値のあるオブジェクトに埋め込まれたタグの平面図を示す。タグ１３００は、識別機能１３０１を含む。タグは、それが係合トラック１３０２を形成するように価値のあるオブジェクト１３０４に埋め込まれている。図１３ｂの平面図によって示されるように、凹所は、円形断面を持つことができ、そのことは、係合トラックが円筒形であることを意味する。前述のように、埋め込みは、任意の適切な手段を使用してなされることができる。図１３ａに示されるように、タグの係合トラックは、寸法“Ｚ”の深さと寸法“Ｙ”の幅を有する。識別機能の長さは、寸法“Ｘ”によって与えられる。
【０１６９】
図１３ｃは、図１３ａや図１３ｂに示されるタグを読み取るように構成されるリーダ１３１０の横断面図を示す。リーダ１３１０は、少なくとも読み取り要素１３１１と係合トラック１３０２と係合するように設計された係合要素１３１２を備える。係合要素の深さは、寸法“Ｄ”によって与えられ、その深さは、寸法“Ｔ”によって与えられ、係合要素は、円筒形状を有することができる。“Ｚ”と“Ｄ”の両方は、少なくとも５０マイクロメートルである。前述のように、一旦係合されると、幅“Ｙ”は、幅“Ｔ”未満か又はそれと同じであり、そこでは、“Ｙ”と“Ｔ”は、係合中に対応する位置で測定される。
【０１７０】
前述のように、この実施の形態は、係合トラックと係合要素の両方が円形であることを示す。係合要素は、係合トラックに挿入されるように設計される。一旦係合されると、係合要素は、読み取り要素が識別情報を走査できること確実にするようにねじられることができる。或いは、係合要素は、静止が保たれると共に読み取り要素は、識別情報の表面上で起動される。或いは、読み取り要素が、移動されることなく識別情報を含む全エリアから読み取ることができる（識別機能が光学的に読み取られるべき例では、２Ｄ画像（カメラで撮られるような）識別情報を読み取るのに十分である）。
【０１７１】
凹所内にタグを有するこのアプローチの利点は、タグがオブジェクトによって保護され、僅かなリアルエステートを占め、視覚的に検査されること（多分、コピーされるか又は複製されること）から妨げ、そしてこのフォーマットは、タグを改ざんすること非常に困難にする、例えば、タグと除去してそれを他のアイテムに取り付けることを非常に困難にする。
【０１７２】
図１４は、本発明の更なる実施の形態を示す。図１４ａは、タグの横断面図を示し、図１４ｂは、そのタグの一方の側の図を示す。タグ１４００は、識別機能１４０１を含む。タグは、更に、係合トラック１４０２を備える。この実施の形態において、係合トラックは、タグの長手方向の沿って延出する貫通孔として形成される矩形断面キャビティである。その結果、一方の側から見ると（図１４ｂに示されるように）、タグは中空に見える。識別機能は、それらが読み取りデバイスの係合要素に含まれる読み取り要素によって読み取られることができるようにタグ内に配置され、そこで、係合要素は、識別機能を読み取るためのキャビティ内に挿入されるように設計される。識別要素は、例えば、タグを組み立てる前のタグのベース層の表面に印刷されるバーコードであることができる。或いは、識別機能は、識別層に配置されたランダムに分布された粒子（例えば、磁性又は光学的活性粒子）であることができる。図１４ａと図１４ｂに示されるように、タグの係合トラックは、寸法“Ｚ”の深さを“Ｙ”と“Ｈ”の横断面寸法を有する。識別機能の長さは、寸法“Ｘ”によって与えられる。
【０１７３】
図１４ｃは、図１４ａに示されるタグを読み取るように構成されるリーダ１４１０の横断面図を示す。リーダ１４１０は、少なくとも読み取り要素１４１１と係合トラック１４０２と係合するように設計される係合要素１４１２を備える。バーコードが読み取られるべき場合、読み取りデバイスは、読み取られるバーコードのセクションを照明する光ファイバーを備えることができる。読み取り要素１４１１は、カメラや規定のバーコード読み取り要素のような光検出器であることができる。光ファイバーは、ランダムに分布された蛍光粒子が識別機能を形成する場合、読み取りデバイスに使用されることができる。この場合、光ファイバーは、蛍光粒子の励起波長の光を発することができ、読み取り要素１４１１は、発された蛍光光の波長で感知するフォトダイオードであることができる。磁性粒子が、識別機能を形成する場合、従来の磁気読み取り要素が読み取り要素として使用されることができる。係合要素の深さは、寸法“Ｄ”によって与えられ、その幅は、寸法“Ｔ”によって与えられる。また、本実施の形態において、“Ｚ”と“Ｄ”の両方は、典型的には少なくとも５０マイクロメートルである。図１４ｃに示されるように、係合要素は、長尺形状を有することができ、ハンドリングのために、ミリメートル又はセンチメートルの長さを有することができる。一旦係合すると、幅“Ｙ”と“Ｈ”は、幅“Ｔ”と“Ｊ”（図１４には示されていないが、“Ｊ”は、そのページ面内への係合要素の幅である）未満又はそれと等しい。この実施の形態において、係合要素は、係合トラック内に挿入されるように設計される。一旦係合されると、係合要素は、係合トラックから引き抜かれ、読み取り要素は、識別情報を走査することができる。読み取り要素による識別情報の走査は、多数の適切な手段、例えば、画像形成、係合要素が静止したまま読み取り要素の起動、係合（引き抜きではない）時の走査等を使用してなされることができる前述の実施の形態の幾つかを読むと明らかである。また、図１４ｃは、読み取り要素が走査中に識別情報との接触を維持することを保障するように位置決めされた任意のリーフスプリング１４１５を示す。
【０１７４】
図１４に示されるタグは、価値のあるアイテムの面のいずれかを介してそのアイテムに取り付けられるか又は埋め込まれることができる。図１４は、孔が矩形断面の貫通孔である実施の形態を示しているが、その孔は、適切な断面（円形、楕円形、四角形、三角形、又は多面の又は部分的に湾曲した形状）であることができ、ブラインド孔や他の適切な形状であることが理解される。また、対象となるオブジェクトは、識別機能をオブジェクトに配置し、オブジェクトに係合トラックを形成することによって識別されるように構成されるオブジェクトにされることができることが理解される。
【０１７５】
図１５は、本発明の更なる実施の形態を示し、−本実施の形態では、識別機能よりなるタグが価値のあるアイテム内に埋め込まれるように構成されるか、オブジェクト自体は、オブジェクトが識別されるように構成されるように識別機能が配置される識別層を含む。タグや識別機能は、係合トラックが形成されるようにオブジェクトに配置される。以下において、識別されるように構成されるオブジェクトに同じコメントが適用されるけれどもタグが参照される。図１５ａは、価値のあるアイテムに埋め込まれる前のタグ１５００を示す。図１５ｂは、価値のあるアイテム１５０４に一旦埋め込まれたタグを示す。タグ１５００は、識別機能１５０１を含む。係合トラック（本実施の形態では、タグ自体の一部である）は、Ｙ幅とＺ高さを有する。ここで、寸法Ｚは、識別機能が読み取られることができるために係合要素（タグが埋め込まれた後）と係合するために利用可能な係合トラックの高さとして測定される。識別機能の長さは、寸法“Ｘ”として与えられる。
【０１７６】
図１５ｃは、図１５ｂに示されるタグを読み取るように構成されるリーダ１５１０の横断面図を示す。リーダ１５１０は、少なくとも一つの読み取り要素１５１１と係合トラック１５０２と係合するように設計される係合要素１５１２を備える。任意の位置トラック要素１５１３もまた示される。係合要素の深さは、寸法“Ｄ”によって与えられ、その幅は、寸法“Ｔ”によって与えられる。“Ｚ”と“Ｄ”の両方は、典型的には少なくとも５０マイクロメートルである。タグは、可撓性ポリマーフィルムのような可撓性材料から製造されることができ、タグは、可撓性であることができることを意味する。
【０１７７】
タグは、読み取られない場合。本発明の更なる態様は、ストッパー、ダストキャップ、表面膜又はスプリング負荷カバーのようなカバーを提供して埃、ダスト、又は他の異物が凹所に入ることや環境に対する損傷、又は構造体や識別機能の腐食を防止することである。
【０１７８】
本発明の他の実施の形態において、リーダは、空気流を凹所に提供して凹所へ入るゴミを除去し排除することを助けるように更に変更される。これは、挿入前に行われる吹き飛ばし動作や挿入される時の凹所を真空清掃する吸い込み動作であることができる。
【０１７９】
図１６は、図１４に示されるもののようなタグやオブジェクトを作る一つの方法を示す。最初に、前駆体材料１６０１は、オブジェクト１６００のキャビティ内に充填される。例えば、オブジェクト１６００は、一片の金属自動車コンポーネント（例えば、キャストコンプレッサのフランジやオルタネータ）でもよいし、それは、衣服のアクセサリ（例えば、プラスチックボトム）でもよいし、それは識別のためにキャビティよりなるのに適する任意の他の価値のあるオブジェクト（又はタグ）であることができる。キャビティは、適切な方法で形成されることができる。例えば、キャビティは、既にあるもの（例えば、オブジェクトがチューブストックの一部であるか又は、中に鋳造又は鍛造された孔を有すコンポーネントの場合）であってもよいし、それは、オブジェクトに穴あけされてもよい。前駆体材料は、例えば、ランダムに分布された磁性粒子を含むエポキシ樹脂のようなポリマー樹脂であってもよく、そこでは、磁性粒子は、磁化されていない（これは、それらが前駆体内で凝集することを防止する）。図１６ａは、オブジェクトが前駆体材料で充填された後のオブジェクトの横断面図を示す。図１６ｂは、オブジェクトが前駆体材料で充填された後のオブジェクトの端面図を示す。前駆体が固まると（即ち、エポキシのような硬化可能ポリマーが硬化された−そのエポキシが熱硬化エポキシの場合、例えば、熱を使って）、第１のキャビティに平行に延出するが僅かにそれからオフセットする矩形スロット１６０２がオブジェクトを貫通してドリル形成される。図１６ｃは、この矩形スロットがドリル形成された後のオブジェクトの横断面図を示す。図１６ｄは、この矩形スロットがドリル形成された後のオブジェクトの端面図を示す。円形キャビティと矩形スロットが本実施の形態では示されているが、任意の適切なキャビティ／孔が係合トラックのために使用されることができる。一旦タグやオブジェクトが形成されると、磁性粒子は、タグを強力な磁界へ曝すことによって磁化され、それによって、識別機能を形成する。
【０１８０】
図１７は、キャビティを含む本発明の他のタグやオブジェクト並びにキャビティを含むそのようなタグやオブジェクトの作る方法を示す。また、タグやオブジェクトのこの実施の形態において、タグやオブジェクトの識別情報は、読み取り要素（単数又は複数）をキャビティに挿入することによって読み取られる。ここで、タグ１７００（即ち、図１７ｂにおけるその最終状態で示される）は、二つの片の材料１７０３と１７０４との間に識別層１７０１（即ち、識別情報、例えば、ランダムに分布された磁性又は光学粒子やファイバーのようなランダムに分布された材料を含む層）をラミネートすることによって形成される。その後、孔１７０２は、ラミネート構造体にドリルで形成される。この孔は、係合トラックを形成しかつ識別層の平面に平行に延出し、前記層を少なくとも一つの場所にカットする。図１７ｃは、タグ１７００を読み取るように構成される読み取りデバイス１７１０の横断面図である。読み取りデバイスは、その係合要素１７１２の各側に二つの読み取り要素１７１１を有する。係合要素１７１２は、係合トラック１７０２に嵌り、読み取り要素１７１１は、係合トラックによって露出される識別層の二つの側（即ち、孔が開けられるとき露出される識別層のエリア）を読み取る。識別されるように構成される識別タグやオブジェクトの本実施の形態において、識別層の最も薄い寸法が露出される。
【０１８１】
図１８は、キャビティを有するタグの他の実施の形態並びにキャビティを含むタグを作る対応する方法を示す。タグの識別情報は、読み取り要素（単数又は複数）をキャビティに挿入することによって読み取られる（図１４ｃに示されるリーダに類似するリーダを使用して）。図１８ａは、二つの片の材料１８０３と１８０４との間にラミネートされた識別層１８０１よりなるラミネート片１８０７を示す。次に、片１８０７は、図１７に関して記述されたものと類似の方法を使用して作られる。次に、片１８０７は、図１８ｂに示されるように、材料１８０８内に埋め込まれる。タグ（図１８ｃに示される）の形成は、材料１８０８に孔１８０２を開けることによって完了される。この場合に示される孔１８０２は、ラミネート片１８０７の平面に平行に延出する三角形断面の孔である。この孔は、ラミネート片をカットし、識別層のエリアを露出する。孔１８０２は、タグの係合トラックを形成する。任意の第２のセットの識別機能１８０９がタグ１８００に示されている−この場合、第２のセットの識別機能は、タグを識別するための追加の情報として使用されることができる１Ｄバーコードである。タグは、適切に形成された係合要素（係合要素が容易にキャビティに挿入され且つ読み取り要素を識別機能に関して正確に位置決めさせるようにその断面が形成される限り任意の断面の係合要素が許容されるが、この場合、三角形断面の係合要素）に係合トラックに挿入することによって読み取られる。係合要素は、それが係合トラックに挿入されるか又はそこから取り出される時に露出された識別機能を読み取ることができるように位置決めされた読み取り要素を含む。
【０１８２】
図１９は、キャビティを含む本発明の他のタグ並びにキャビティを含むそのようなタグを作る方法を示す。タグの識別情報は、読み取り要素をキャビティ内に挿入することによって読み取られる（図１４ｃに示されるリーダに類似するリーダを使用して）。図１９ａは、タグのアセンブリ完成前のタグのコンポーネントを示す。図１９ｂは、組み付けられた後のタグ１９００を示す。図１９ｃは、完成されたタグ１９００を示し、そこでは、トップ片は、種々のコンポーネントの組み立て位置が見えるように半透明に作られている。ここで、識別機能１９０１は、接触識別チップ（スマートカードに見られるように）や読み取られるために読み取り要素に近接することが必要な高周波識別（ＲＦＩＤ）チップ（オンチップアンテナを有するミニチュアＲＦＩＤ−例えば、Ｈｉｔａｃｈｉのマイクロチップ−読み取られるために読み取り要素に近接することを必要とする）を備える。識別機能１９０１、即ち、ＲＦＩＤチップや接触識別チップは、図１９ａに示されるように基板１９０３に取り付けられる。その後、トップ片１９０４は、基板の頂部に接合される。種々のコンポーネントは、図１９ｂと１９ｃに示されるように接合後の完成されたタグ１９００は、タグの識別トラックを備えるキャビティ１９０２を有するように設計される。識別機能１９０１は、それらがトラックからアクセスされることができるようにキャビティ内に配置される。読み取りデバイスは、係合要素が係合トラックに挿入されると、識別機能１９０１と位置合わせするように位置決めされる読み取り要素を含む係合要素を備える。この位置合わせは、識別機能の読み取りを容易にする。例えば、接触識別チップの場合、チップの読み取りは、チップの入力／出力パッド読み取りデバイスの対応する出力／入力パッドと位置合わせすることを必要とする−本発明は、この位置合わせが容易に且つ効果的に起こる事を可能とする。この種の構成は、他の識別機能、例えば、１Ｄや２Ｄバーコードと共に使用されることができ、そこでは、係合トラックは、バーコード読み取り要素が正確にバーコードに位置合わせされることを保障する。
【０１８３】
図２０は、本発明の更なる実施の形態を示す。ここで、タグ２０００（横断面で示される）は、トラックの少なくとも一つの側に位置される識別機能２００１を有する係合トラック２００２（この場合、矩形断面ブラインド孔）を備える。係合トラックは、リーダの係合要素を挿入するために使用される一つの開口端を有する。図２０に示されるように、タグが読み取られていない時、係合トラックは、ストッパー２００９で閉鎖されることができる。図１４、１６，１７，１８，１９及び２９に示されるように係合トラックをキャビティとして有する構成は、識別機能が磨耗と引き裂きに対して良好に保護される利点がある。係合トラックがストッパーによって閉鎖される場合（図２０で示されるように）、識別機能は、環境的ファクタに対してより一層良好に保護される。例えば、ストッパーは、タグにねじ止めされることができるキャップの形態を取り、それによって、ストッパーを固定し、ストッパーが抜け落ちることを防止する。また、ストッパーは、改ざん明示機能の何らかの形態を含むことが意図される。例えば、ストッパーがねじの頭の形態である場合、ストッパーは、ストッパーを開けるために、ユーザは、キャップの一部を壊す必要があるように設計される（こうするための方法は、文献で広く利用可能であり、実際、大部分のキャップ付瓶詰め商品は、現在この種の機能を含む）。このことは、読み取られたと思われる時よりも前に、キャップが開けられたか否か（及びタグが潜在的に読み取られたか改ざんされたか）を明確にすることを意味する。
【０１８４】
図２１ａと２１ｂは、本発明に従う更なるオブジェクトを示す。このオブジェクトは、識別タグを備え、そこでは、前記識別タグは、識別層を備え、そこでは、読み取り可能識別機能が、識別タグの識別層に配置される。識別タグは、係合トラックがオブジェクトと識別タグによってオブジェクト中に形成されるようにオブジェクトに配置される。係合トラックは、読み取りトラックを介して識別層に配置された識別機能を読み取る読み取りデバイスの一部と形状が実質的に相補的であり、それによって、係合トラックは、読み取りデバイスの識別機能との容易な位置合わせを可能とする。
【０１８５】
図２１ａは、オブジェクトを横断面図で示し、図２１ｂは、オブジェクトの平面図を示す。前述のように、本実施の形態では、オブジェクトは、価値のあるアイテム２１０４に埋め込まれたタグ２１００を備える。タグは、識別層に配置される識別機能２１０１を含む。係合トラック２１０２は、価値のあるアイテムとタグ自体の表面であるベースによって提供される横方向壁よりなる。
【０１８６】
図２１ｃは、図２１ａに示されるオブジェクトの識別機能を読み取るように構成されるリーダ２１１０の横断面図を示す。リーダは、オブジェクトのシグネチャを読み取るのに適する少なくとも一つ読み取り要素２１１１を備える。例えば、識別機能がランダムに分布された磁性粒子よりなる場合、読み取り要素もまた、本実施の形態では、例えば、磁気データ記憶テープ、ＶＣＲ、フロッピーディスク又はハードディスクにおいて使用される磁気読み取りヘッドのような磁気センサであることができ、識別機能がランダムに分散された発光粒子を含む場合、読み取り要素は、光学センサや光検出器であることができる。読み取り要素は、オブジェクトと識別タグによって形成される係合トラックと係合するように設計される突起２１１２の一エッジから既知の固定距離に位置される。
【０１８７】
また、係合要素が突起である本実施の形態では、係合要素の幅“Ｔ”が係合トラック“Ｙ”の幅と等しい又はそれよりも僅かに小さいように係合要素が設計され、それによって、係合要素は、係合トラックに係合することができる。幾つかの場合、幅“Ｙ”よりも大きな幅“Ｔ”を有すること有利であるが、これらの場合、係合トラック又は係合要素は、有意な機械的係合が起こることができるように変形可能である必要がある。もし必要ならば、リーダは、一つ又はそれより多くの位置トラッキング要素２１１３を含むことができる。例えば、シグネチャの読み取り中に、リーダがオブジェクトに関して移動されて（また、その逆）繰り返し読み取りを達成する場合、幾つかの状況において、オブジェクトとリーダとの間の相対変位を正確に追跡することが重要であり、更に、読み取りが開始し／終了するべき開始ポイント及び／又は終了ポイントを指すようにオブジェクト上に少なくともマーキングを有することが有利である。
【０１８８】
例えば、位置トラッキング要素は、コンピュータの光学マウスに使用されているもののような光学位置センサであることができる。その位置センサが読み取りの開始及び／又は終了ポイント（及び多分両者の間にある位置マーキング）を識別するために使用される場合、光学バーコードセンサが良好に働くことを発見した。位置を感知するために他のセンサが使用でき、例えば、センサは、位置を識別するために設計された磁気マーク／機能をトラッキングする磁気センサであることができる。更に、時には、二つ以上の位置センサの組み合わせ、例えば、読み取りの開始と終了ポイントを識別するためのバーコードセンサとマーキング同士間での移動距離をトラッキングするための位置センサ（コンピュータマウスで使用されるような）を使用すると有利である。
【０１８９】
図２２は、本発明の更なる実施の形態を示す。図２２ａは、オブジェクトの横断面図を示す。また、本実施の形態において、オブジェクトは、オブジェクトに含まれる識別タグと共に係合トラックを形成する。図２２ｂは、オブジェクト２２０４の平面図を示す。本実施の形態において、オブジェクト２２０４は、価値のあるアイテムに埋め込まれるタグ２２００よりなる。タグは、識別機能２２０１（最も薄い寸法が露出する識別層内に配置される）を含む。係合トラック２２０２は、価値のあるアイテムとタグ自体の表面であるベースによって提供される横方向壁よりなる。埋め込みプロセスは、適切な手段を使用してなされる、例えば、タグは、モールディングやスタンピングプロセス中にプラスチックや金属の価値のあるアイテムに押し込まれることができる。価値のあるアイテムが熱によって柔らかくなる（例えば、金属と熱可塑性ポリマー）場合の代替の方法は、価値のあるアイテムがオブジェクトとタグの境界で溶融して二つの部品は接着するように価値のあるアイテムが形成された後、加熱されたタグを価値のあるアイテムに押し込むことである。更なる代替の方法は、タグが嵌るに適する溝やスロットを価値のあるアイテムが含むように製造され、次に、タグが接着剤を使用して価値のあるアイテムへ接着されることである。これら三つの代替の方法が実証しているように、値のオブジェクトへタグを埋め込む多くの適切な方法があることである。図２２ａに示されるように、オブジェクトの係合トラックは、寸法“Ｚ”の深さと寸法“Ｙ”の幅を有する。識別機能の長さは、寸法“Ｘ”によって与えられる。
【０１９０】
図２２ｃは、図２２ａに示されるタグを読み取るように構成されるリーダ２２１０の横断面図を示す。リーダ２２１０は、少なくとも一つの読み取り要素２２１１と係合トラック２２０２と係合するように設計される係合要素２２１２を備える。任意の位置トラッキング要素２２１３もまた示されている。係合要素の深さは、寸法”Ｄ”によって与えられ、その幅は、寸法”Ｔ”によって与えられる。“Ｚ”と“Ｄ”の両方は、典型的には、本実施の形態において、同様に、少なくとも５０マイクロメートルである。一旦係合されると、先に述べた実施の形態の文脈において説明されたように、幅“Ｙ”は、幅“Ｔ”未満又はそれと同じであり、そこでは、“Ｙ”と“Ｔ”は、係合中に対応する位置で測定される。
【０１９１】
図２３は、本発明の更なる実施の形態を示す。図２３ａは、オブジェクトの横断面図を示す。オブジェクト２３００は、識別機能２３０１（典型的には識別層に配置される）を含む。更に、オブジェクトは、係合トラック２２０２を備える。本実施の形態において、係合トラックは、オブジェクトに溝、チャネル、又はスロットとして形成された凹所である。係合トラックの深さは、寸法“Ｚ”によって与えられ、その幅は、寸法“Ｙ”によって与えられる。図２３ｂは、図２３ａに示されるオブジェクトの平面図を示す。図２３ｂに示されるように、識別機能（寸法“Ｘ”）は、係合トラックの全長の延出する−以前にも述べたが、これは、必要なことではない。
【０１９２】
図２３ｃは、図２３ａに示されるオブジェクトを読み取るように構成されるリーダ２３１０の横断面図である。リーダ２３１０は、少なくとも一つの読み取り要素２３１１と係合トラック２３０２と係合するように設計された係合要素２３１２を備える。任意の位置トラッキング要素２３１３も示される。この実施の形態において、係合要素２３１２は、リーダから突出し、それによって、係合要素２３１２が係合トラック２３０２と係合できる。係合距離は、典型的には、少なくとも５０マイクロメートルであり、その結果、係合要素５１２の高さ（寸法“Ｚ”によって与えられる）は、通常、少なくとも５０マイクロメートルであり、係合トラック５０２の深さもまた、少なくとも５０マイクロメートルである。また、容易に係合するために、係合要素５１２の幅（寸法”Ｔ”で与えられる）は、係合トラックの幅（寸法”Ｙ”によって与えられる）未満又はそれと等しい。幾つかの場合、幅“Ｙ”よりも大きな幅“Ｔ”を有することが有利であるが、これらの場合、係合トラック又は係合要素は、容易に弾性的に変形しなければならず、それによって、有意な係合が発生する。
【０１９３】
図２４は、本発明の更なる実施の形態を示す。図２４ａは、オブジェクト２４００の横断面図を示す。オブジェクト２４００は、識別機能２４０１を含む領域２４０２を備える。オブジェクトは、更に、係合トラック２４０２を備える。本実施の形態において、係合トラックは、オブジェクトのリッジである。係合トラックの高さは、寸法“Ｚ”によって与えられ、その幅は、寸法“Ｙ”によって与えられる。図２４の実施の形態は、識別機能が係合トラックの表面内やその上にあることを必要としないことを強調しており−実際、幾つかの実施の形態において、識別機能は、トラックから離れていることができ、例えば、係合トラックの横の又は隣接する表面に配置されることができる。図２４ｂは、図２４ａに示されるオブジェクトの平面図を示す。図２４ｂに示すように、識別機能（寸法“Ｘ”）は、係合トラックの全長に延出することができる−以前に述べたように、これは、必要なことではない。
【０１９４】
図２４ｃは、図２４ａに示されるオブジェクトを読み取るように構成されるリーダ２４１０の横断面図を示す。リーダ２４１０は、少なくとも一つの読み取り要素２４１１と係合トラック２４０２と係合するように設計された係合要素２４１２を備える。任意の位置トラッキング要素２４１３もまた示される。本実施の形態において、係合要素２４１２はスロットであり、それによって、係合要素２４１２が係合トラック２４０２に係合することができる。係合距離は、通常、少なくとも５０マイクロメートルであり、その結果、係合要素２４１２の深さ（寸法“Ｚ”によって与えられる）は、通常、少なくとも５０マイクロメートルであり、係合トラック２４０２の高さもまた、少なくとも５０マイクロメートルである。また、容易に係合するために、係合要素６１２の幅（寸法”Ｔ”で与えられる）は、係合トラックの幅（寸法”Ｙ”によって与えられる）未満又はそれと等しい。
【０１９５】
図２５は、本発明の更なる実施の形態を示す。図２５ａは、オブジェクトの横断面図を示し、図２５ｂは、オブジェクトの一側の図を示す。オブジェクト２５００は、識別機能２５０１を含む領域２５０４を備える。オブジェクトは、更に、係合トラック２５０２を備える。本実施の形態において、係合トラックは、オブジェクトの長手に沿って延出する矩形断面貫通孔である。その結果、一つの側から見ると（図２５ｂに示されるように）、オブジェクトは、中空として現れる。図２５ａと図２５ｂに示されるように、オブジェクトの係合トラックは、寸法“Ｚ”の深さと“Ｙ”と“Ｈ”の横断面寸法を有する。識別機能の長さは、寸法“Ｘ”によって与えられる。オブジェクト２５００の識別機能は、図１４に示されるようにリーダで読み取られることができる。
【０１９６】
図２６は、本発明の更なる実施の形態を示し、本発明に従うオブジェクトの横断面図が示される。オブジェクトは、価値のあるアイテム２６０４に取り付けられるタグ２６００を備える。タグは、識別機能２６０１を含む。タグが、価値のあるアイテムに取り付けられてオブジェクトを形成すると、この組み合わせユニットは、係合トラック２６０２を形成する−この場合、は、タグと価値のあるアイテムとの間のキャビティである。キャビティの頂壁と側壁は、タグから形成され、その底壁は、価値のあるアイテムから形成される。オブジェクトは、図１４ｃに示されるものと類似の形態の適切なリーダを使用して読み取られることができる。
【０１９７】
図２７は、本発明の更なる実施の形態を示し、本発明に従うオブジェクトの横断面図が示される。オブジェクトは、価値のあるアイテム２７０４に取り付けられるタグ２７００を備える。価値のあるアイテムは、識別機能２７０１を含む。タグが、価値のあるアイテムに取り付けられてオブジェクトを形成すると、その組み合わせユニットは係合トラック２７０２を形成する−この場合、タグと価値のあるアイテムとの間にあるキャビティである。キャビティの頂壁と側壁は、タグから形成され、その底壁は、価値のあるアイテムから形成される。オブジェクトは、図１４ｃに示されるものと類似の形態の適切なリーダを使用して読み取られることができる。
【０１９８】
図２８は、本発明の更なる実施の形態を示す。図２８ａは、本発明に従うオブジェクト２８００を示す。オブジェクトは、識別層２８０１を二つのシート材料２８０３と２８０５との間にラミネートすることによって作られる。また、価値のあるオブジェクト２８０４は、ラミネート構造体に挟まれる。ラミネート後、キー孔形状のスロットがラミネート構造体を貫通するように開口され、パンチング又はカットされる。このキー孔は、丸いエントリ孔２８０８と係合トラック２８０２を備える。識別層は、係合トラック２８０２の側に沿って露出される。ここで、明細書中を通して、用語”露出される“は、”適切な読み取りデバイスを使用して有意に読み取られるようにアクセス可能である“ということを意味するが、それは、識別層（又は識別情報）が直接的に環境に露出されることを必ずしも意味するわけではない−例えば、構造体は、識別情報の”露出された“エリアをコートする保護層を備えることができる。保護層は、識別機能が適切な読み取りデバイスによって有意に読み取られることができることを可能とする場合、識別情報は、露出されていると考えられる。本発明の他の実施の形態に関して、識別機能は、任意のデバイス読み取り可能機能よりなることができる。例えば、識別層が、一片の紙や織物からなる場合、リーダは、トラックによって露出される紙や織物のファイバーの相対位置を識別するために使用されることができる。これらの種類の識別機能をマッピングする方法は、文献で周知であり、例えば、英国特許出願第ＧＢ２４１７７０７号は、レーザスペックルを使用してフィンガープリントとして紙のファイバーを使用して紙を独自に識別することを記述している（その出願は、紙のファイバーと他の材料を識別子として使用する他の手段も記述している）。
【０１９９】
図２８ｂは、図２８ａに示されるタグ２８００を読み取るように構成される読み取りデバイスの横断面図を示す。読み取りデバイスは、リーダの係合要素２８１２がタグの係合トラック２８０２に沿って移動される時に、識別機能を読み取ることができるように配置される少なくとも一つの読み取り要素（図では、二つが示される）を備える。本実施の形態において、係合要素は、それが横方向へ移動されて係合トラックに完全に係合する前に、エントリ孔２８０８に挿入され、それによって、読み取り要素（単数又は複数）を識別機能に位置合わせする。
【０２００】
図２８ａに示される構成は、織物と他の可撓性又は薄い値のオブジェクトに対して使用されるのに特に良好に適する。例えば、価値のあるアイテムが、一片の紙である場合、識別機能として、紙自体の繊維を使用することができる。これのことは、識別層２８０１が必要とされず、オブジェクトが識別層なしで存在できることを意味する。理由は、紙自体がオブジェクトを識別するために必要な識別層を形成するからである。
【０２０１】
次に、本発明方法のオブジェクトやタグで使用されることができる識別層の例とこのような識別層を作る方法の例が更に述べられる。
【０２０２】
図２９ａは、本発明のタグやオブジェクトで使用されることができる識別層２９００（このように、一層タグと呼ばれることもできる）の形成を示す。ここで、磁性又は磁化可能粒子２９０１が非磁性マトリックス材料２９０２（このマトリックス材料は、制限するわけではないが、ポリマーや金属であることができる）。このミックスは、ホッパー２９０３から下方のパイプ２９０４へ流れ、押し出し／圧延機構２９０５を使用して押し出される及び／又は圧延される。結果としての識別層の斜視図が図２９ｂに示される。この場合、識別層２９００（寸法ａ、ｂ、ｃを有する）が頂部又は底部に支持層を必要としないように十分に頑強であることができる。従って、この文脈において、識別層２９００は、層が中にキャビティを形成するのに十分な厚みと安定性を有する場合、図１６に例示されるように、本発明の”キャビティタグ“に変化されることができる。更に、層は、図１８におけるインサートとして使用されてもよい。凹所は、ここで述べられるように、層が、”凹所タグ“にされるように、層の中に形成されることができる。また、例えば、方向ｂに沿う層の最も薄い寸法は、識別機能を読み取るために使用されることができ、層２９００のｂ−ｃ平面における主平面は、識別機能を世も取るために使用されることができる。
【０２０３】
次に、図３０Ａ乃至図３０Ｈを参照して、識別されるように構成される識別タグやオブジェクトの実施の形態を製造するための方法中の図が記述される。
【０２０４】
図２０Ａ乃至図３０Ｄは、そのようなタグやオブジェクトを製造するために使用されることができるプロセスを示す。最初に、図３０Ａに示されるように、ニッケルフレーク３０００は、ポリマーラミネートシート３００１の糊を含む側にブラシでこすり付けられる。次に、図３０Ｂに示されるように、もう一つのラミネートシート３００２が重ねられ材料のスタックは、そのスタックを１１０℃でかつ最も低い事前設定速度で従来のオフィス固定ラミネーターを通過させることによって一緒にラミネートされる。そうすることで、タグやオブジェクト３０１０（図３０Ｂと３０Ｆに未アセンブル状態で示される）が得られる。適切な場合、次に、図３０Ｃに示されるように、エッジ横断面は、識別層の読み取りトラック３００３を含む滑らかな表面が露出されることを確実とするために研磨される。次に、読み取りトラック３００３を露出する主表面又はエッジが、図３０Ｄに示されるように、フィンガープリント／シグネチャ３００４を提供するために、磁界センサを使用して読み取られることができ、そこでは、粒子は、フィンガープリント／シグネチャにおけるピークと一致する磁界におけるピークを引き起こす。適切な磁界センサは、誘導ヘッド、ＡＭＲヘッド、ＧＭＲヘッド及び磁気光学カー効果検出器を含む。図３０Ｆ乃至図３０Ｈに示される、識別するように構成される識別タグやオブジェクトの実施の形態を製造するプロセスは、識別層の平面に配置される長尺状のニッケルフレーク、ファイバー又はウイスカーが使用されることを除いて、図３０Ａ乃至図３０Ｄのものと同一である。ニッケルフレークの異なるサイズ、形状及び配置のために、トラックを読み取ることから得られるフィンガープリント３００４は、勿論、図３０Ｄにおけるものとは異なっている。長尺形状は、トラックから検出される磁気信号が、実質的に、面外磁気信号であり、信号の検出をより容易にし（従って、フィンガープリントがより容易に読み取られる）そしてタグを偽造するのをより難しくするという更なる利点を与える。次に、例えば、図３０に示される構造体３０１０は、値のオブジェクトに含まれてオブジェクト内に係合トラックを形成することができる（例えば、図４を参照する）か、それがオブジェクトと共に係合を形成する用にオブジェクトに含まれることができる（例えば、図２１と図２２を参照する）か、図１７に示されるようにキャビティタグにされることができるか、又は図１８に示されるようにタグやオブジェクトに含まれることができる。
【０２０５】
本発明は、好適な実施の形態に関して記述されたが、多くのバリエーション及び変更が、以下の請求項に述べられる本発明の精神と範囲から離れることなく、行われることができる。
【図１ａ】
2009537030.tif 000003
【図１ｂ】
2009537030.tif 000004
【図１ｃ】
2009537030.tif 000005
【図１ｄ−１ｅ】
2009537030.tif 000006
【図２】
2009537030.tif 000007
【図３】
2009537030.tif 000008
【図４】
2009537030.tif 000009
【図５】
2009537030.tif 000010
【図６】
2009537030.tif 000011
【図７】
2009537030.tif 000012
【図８】
2009537030.tif 000013
【図９】
2009537030.tif 000014
【図１０】
2009537030.tif 000015
【図１１】
2009537030.tif 000016
【図１２】
2009537030.tif 000017
【図１３】
2009537030.tif 000018
【図１４】
2009537030.tif 000019
【図１５】
2009537030.tif 000020
【図１６】
2009537030.tif 000021
【図１７】
2009537030.tif 000022
【図１８】
2009537030.tif 000023
【図１９】
2009537030.tif 000024
【図２０】
2009537030.tif 000025
【図２１】
2009537030.tif 000026
【図２２】
2009537030.tif 000027
【図２３】
2009537030.tif 000028
【図２４】
2009537030.tif 000029
【図２５】
2009537030.tif 000030
【図２６】
2009537030.tif 000031
【図２７】
2009537030.tif 000032
【図２８】
2009537030.tif 000033
【図２９】
2009537030.tif 000034
【図３０】
2009537030.tif 000035
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
オブジェクトを識別するための識別タグであって、前記オブジェクトへ前記識別タグが取り付けられることができ、
前記識別タグは、適応層を備え、
前記タグは、それが識別されるべきオブジェクトへ取り付け可能であるように構成され、
前記適応層は、少なくとも一つの適応凹所を備え、
前記適応凹書は、カット又はカッティングマークであり、
前記適応凹所は、少なくとも部分的にランダムに分布された材料を備え、
前記少なくとも部分的にランダムに分布された材料は、固化されたマトリックス材料に埋め込まれ、
前記少なくとも部分的にランダムに分布された材料は、前記オブジェクトを識別するための読み取り可能識別機能を形成することを特徴とする識別タグ。
【請求項２】
前記適応層の少なくとも一つ表面は、少なくとも部分的に接着性があるか又は熱接合を受けるのに少なくとも部分的に適することを特徴とする請求項１に記載の識別タグ。
【請求項３】
前記適応層は、ポリマー材料、金属、セラミック又は自然発生有機材料からなる群から選択された材料よりなることを特徴とする請求項１又は２に記載の識別タグ。
【請求項４】
前記ポリマー材料は、ポリスチレン、ポリエチレン、ポリプロピレン、ポリエチレンテレフタレート、ポリカーボネート、ポリエーテルスルホン、エポキシ樹脂、ポリスチレン、ポリウレタン、ポリアクリレート、ポリイミド、及びポリシリコンからなる群から選択されることを特徴とする請求項３に記載の識別タグ。
【請求項５】
前記ランダムに分布された材料は、複数のランダムに分布された粒子よりなることを特徴とする請求項１乃至４項の内の一項に記載の識別タグ。
【請求項６】
前記ランダムに分布された粒子は、複数のランダムに分布された磁性又は磁化可能粒子、複数に分布された導電性及び／又は半導電性粒子、複数のランダムに分布された光活性粒子又は光学的に区別可能な粒子又は前記粒子の混合物からなることを特徴とする請求項５に記載の識別タグ。
【請求項７】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項６に記載の識別タグ。
【請求項８】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物、及びそれらの組み合わせからなる群から選択されることを特徴とする請求項７に記載の識別タグ。
【請求項９】
前記光活性粒子は、染料粒子、染料コーティング粒子、発光粒子、量子ドット粒子、光輝性粒子、偏光クリスタル、キラル分子、液晶、複屈折粒子、及びそれらの混合物よりなる群から選択される粒子よりなることを特徴とする請求項６乃至８のいずれか一項に記載の識別タグ。
【請求項１０】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択される粒子よりなることを特徴とする請求項６乃至９のいずれか一項に記載の識別タグ。
【請求項１１】
前記導電性粒子は、金属粒子、カーボンブラック粒子、グラファイト粒子、金属コーティング粒子、ボイド又はバブル及び連続する材料内の変化する導電性のドメイン及びそれらの混合物から選択される材料よりなることを特徴とする請求項６乃至１０のいずれか一項に記載の識別タグ。
【請求項１２】
前記導電性粒子は、（ポリ）シリコン、ガリウム砒素、窒化ガリウム、白金シリサイド、窒化珪素、及びシリコンクロム（ＳｉＣｒ）よりなることを特徴とする請求項６乃至１１のいずれか一項に記載の識別タグ。
【請求項１３】
平均粒子は、約１０ナノメートルと約５００マイクロメートルとの間の最も大きな寸法を有することを特徴とする請求項６乃至１２のいずれか一項に記載の識別タグ。
【請求項１４】
前記タグは、前記適応層の頂部に配置されるカバー層を備えることを特徴とする請求項１乃至１３のいずれか一項に記載の識別タグ。
【請求項１５】
前記少なくとも一つの適応凹所は、本質的に適応層の長手方向へ配置されることを特徴とする請求項１乃至１４のいずれか一項に記載の識別タグ。
【請求項１６】
前記少なくとも一つの適応凹所は、本質的に適応層の横断面方向へ配置されることを特徴とする請求項１乃至１４のいずれか一項に記載の識別タグ。
【請求項１７】
前記少なくとも一つの適応凹所は連続することを特徴とする請求項１乃至１６のいずれか一項に記載の識別タグ。
【請求項１８】
前記少なくとも一つの適応凹所は穿孔されることを特徴とする請求項１乃至１６のいずれか一項に記載の識別タグ。
【請求項１９】
請求項１乃至１８のいずれか一項で定義される識別タグが取り付けられたことを特徴とするオブジェクト。
【請求項２０】
前記識別タグは、オブジェクト（の外表面）に、前記タグが前記オブジェクト上に係合トラックを形成するように取り付けられ、前記係合トラックは、識別層に配置される識別機能を読み取る読み取りデバイスの一部と形状が本質的に相補的であり、それによって、係合トラックは、識別機能に関して前記読み取りデバイスの容易な位置合わせを可能とすることを特徴とする請求項１９に記載のオブジェクト。
【請求項２１】
オブジェクトを識別するための識別タグであって、前記オブジェクトへ前記識別タグが取り付けられることができ、前記識別タグは、キャビティを備え、
読み取り可能識別機能は、前記タグ内に、識別機能を読み取るためのキャビティ内に挿入される読み取りデバイスの一部によって前記識別機能が読み取られることができるように配置され、
前記キャビティは、係合トラックが前記タグ内に形成されるように設計され、
前記係合トラックは、前記タグ内に配置される前記識別機能を読み取る読み取りデバイスの一部に対して形状が本質的に相補的であり、前記係合トラックによって、前記識別機能に対して前記読み取りデバイスの前記一部の容易な位置合わせが可能となることを特徴とする識別タグ。
【請求項２２】
前記識別機能は、チップ、磁気ストリップ、シリアル番号、又は光学マーキングに配置されることを特徴とする請求項２１に記載の識別タグ。
【請求項２３】
前記チップは、高周波タグ識別（ＲＦＩＤ）チップ又は接触ベースのチップであることを特徴とする請求項２２に記載の識別タグ。
【請求項２４】
前記光学マーキングは、バーコード又はホログラムであることを特徴とする請求項２１に記載の識別タグ。
【請求項２５】
ベース層を備え、前記チップは、前記ベース層中に配置されるか又はその上に取り付けられるか、又は前記光学マーキングは、前記ベース層中に又は上に配置されることを特徴とする請求項２２乃至２４のいずれか一項に記載の識別タグ。
【請求項２６】
頂部層を更に備えることを特徴とする請求項２５に記載の識別タグ。
【請求項２７】
前記頂部層又は前記ベース層は、前記頂部層を前記底部層に取り付けることによって前記キャビティが形成されるように設計されることを特徴とする請求項２６に記載の識別タグ。
【請求項２８】
前記タグは、識別層を備え、
前記読み取り可能識別機能は、前記識別層に配置され、
前記識別機能は、前記識別層に含まれる少なくとも部分的にランダムに分布された材料によって形成され、
前記識別層は、前記タグ内に、前記識別機能を読み取るために前記キャビティ内に挿入される読み取りデバイスの一部によって前記識別機能が読み取られることができるように配置され、前記係合トラックによって、前記識別機能に対して前記読み取りデバイスの読み取りヘッドの前記一部の容易な位置合わせが可能となることを特徴とする請求項２１乃至２７いずれか一項に記載の識別タグ。
【請求項２９】
前記ランダムに分布された材料は、複数のランダムに分布された粒子よりなることを特徴とする請求項２８に記載の識別タグ。
【請求項３０】
前記ランダムに分布された粒子は、複数のランダムに分布された磁性又は磁化可能粒子、複数のランダムに分布された導電性及び／又は半導電性粒子、複数のランダムに分布された光活性粒子又は光学的に区別可能な粒子又は前記粒子の混合物からなることを特徴とする請求項２９に記載の識別タグ。
【請求項３１】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項３０に記載の識別タグ。
【請求項３２】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物及びそれらの組み合わせからなる群から選択されることを特徴とする請求項３１に記載の識別タグ。
【請求項３３】
前記光活性粒子は、染料粒子、染料コーティング粒子、発光粒子、量子ドット粒子、光輝性粒子、偏光クリスタル、キラル分子、液晶、複屈折粒子、ボイド又はバブル及び連続する材料内の変化する光学特性及びそれらの混合物よりなる群から選択される粒子よりなることを特徴とする請求項３０乃至３２のいずれか一項に記載の識別タグ。
【請求項３４】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択された粒子よりなることを特徴とする請求項３０乃至３３のいずれか一項に記載の識別タグ。
【請求項３５】
前記導電性粒子は、金属粒子、カーボンブラック粒子、グラファイト粒子、金属コーティング粒子、ボイド又はバブル及び連続する材料内の変化する導電性のドメイン及びそれらの混合物から選択される材料よりなることを特徴とする請求項３０乃至３４のいずれか一項に記載の識別タグ。
【請求項３６】
前記導電性粒子は、（ポリ）シリコン、ガリウム砒素、窒化ガリウム、白金シリサイド、窒化珪素、シリコンクロム（ＳｉＣｒ）及びそれらの混合物よりなることを特徴とする請求項３０乃至３５のいずれか一項に記載の識別タグ。
【請求項３７】
平均粒子は、約１０ナノメートルと約５００マイクロメートルとの間の最も大きな寸法を有することを特徴とする請求項３０乃至３６のいずれか一項に記載の識別タグ。
【請求項３８】
前記タグは、層構造体よりなり、前記識別層は、ベース層と頂部層との間に配置されることを特徴とする請求項２８乃至３７のいずれか一項に記載の識別タグ。
【請求項３９】
前記キャビティは、前記識別層の少なくとも一部が、前記識別機能を読み取るために露出されるように形成されることを特徴とする請求項３８に記載の識別タグ。
【請求項４０】
前記キャビティは、規則正しい形状を有することを特徴とする請求項２１乃至３９のいずれか一項に記載の識別タグ。
【請求項４１】
前記キャビティは、実質的に円形横断形状又は多角形横断形状を有することを特徴とする請求項４０に記載の識別タグ。
【請求項４２】
前記実質的に円形状は、円形又は楕円形であることを特徴とする請求項４２に記載の識別タグ。
【請求項４３】
前記多角形は、実質的に三角形、四角形、矩形、五角形、六角形、又は八角形であることを特徴とする請求項４２に記載の識別タグ。
【請求項４４】
前記キャビティは、一つの開口又は二つの開口よりなることを特徴とする請求項２１乃至４２のいずれか一項に記載の識別タグ。
【請求項４５】
前記層構造体は、前記ベース層と前記頂部層との間に配置される少なくとも一つの更なる識別層を備えることを特徴とする請求項２８乃至４４のいずれか一項に記載の識別タグ。
【請求項４６】
前記層構造体は、前記識別層と前記更なる識別層との間に配置される少なくとも一つの中間層を備えることを特徴とする請求項４５に記載の識別タグ。
【請求項４７】
前記タグは、それが識別されるべきオブジェクトに取り付け可能であるように構成されることを特徴とする請求項２１乃至４６のいずれか一項に記載の識別タグ。
【請求項４８】
前記識別されるべきオブジェクトに取り付け可能であるために、前記タグの少なくとも一つの外表面が少なくとも部分的に接着性であるか又は熱接合を受けるのに少なくとも部分的に適することを特徴とする請求項４７に記載の識別タグ。
【請求項４９】
前記ベース層は、ポリマー材料、金属、セラミック、又は自然に生じる有機材料からなる群から選択される材料よりなることを特徴とする請求項２１乃至４８の一項に記載の識別タグ。
【請求項５０】
請求項２１乃至４９のいずれか一項で定義される識別タグが取り付けられたことを特徴とするオブジェクト。
【請求項５１】
識別されるように構成されるオブジェクトであって、前記オブジェクトは、キャビティを備え、
読み取り可能識別機能は、前記オブジェクト内に、識別機能を読み取るためのキャビティ内に挿入される読み取りデバイスの一部によって前記識別機能が読み取られることができるように配置され、
前記キャビティは、係合トラックが前記オブジェクトに形成されるように設計され、
前記係合トラックは、前記オブジェクト内に配置される前記識別機能を読み取る読み取りデバイスの前記一部に対して形状が本質的に相補的であり、前記係合トラックによって、前記識別機能に対して前記読み取りデバイスの前記一部の容易な位置合わせが可能となることを特徴とするオブジェクト。
【請求項５２】
前記識別機能は、チップ、磁気ストリップ、シリアル番号、又は光学マーキングに配置されることを特徴とする請求項５１に記載のオブジェクト。
【請求項５３】
前記チップは、高周波タグ識別（ＲＦＩＤ）チップ又は接触ベースのチップであることを特徴とする請求項５２に記載のオブジェクト。
【請求項５４】
前記光学マーキングは、バーコード又はホログラムであることを特徴とする請求項５２に記載のオブジェクト。
【請求項５５】
ベース層を備え、前記チップは、前記ベース層中に配置されるか又はその上に取り付けられるか、又は前記光学マーキングは、前記ベース層中に又は上に配置されることを特徴とする請求項５１乃至５４のいずれか一項に記載のオブジェクト。
【請求項５６】
頂部層を更に備えることを特徴とする請求項５５に記載のオブジェクト。
【請求項５７】
前記頂部層又は前記ベース層は、前記頂部層を前記底部層に取り付けることによって前記キャビティが形成されるように設計されることを特徴とする請求項５６に記載のオブジェクト。
【請求項５８】
前記オブジェクトは、識別層を備え、
前記読み取り可能識別機能は、前記識別層内に配置され、
前記識別機能は、前記識別層に含まれる少なくとも部分的にランダムに分布された材料によって形成され、
前記識別層は、前記タグ内に、前記識別機能を読み取るために前記キャビティ内に挿入される読み取りデバイスの前記一部によって前記識別機能が読み取られることができるように配置されることを特徴とする請求項５１乃至５７のいずれか一項に記載のオブジェクト。
【請求項５９】
前記ランダムに分布された材料は、複数のランダムに分布された粒子よりなることを特徴とする請求項５８に記載のオブジェクト。
【請求項６０】
前記ランダムに分布された粒子は、複数のランダムに分布された磁性又は磁化可能粒子、複数に分布された導電性及び／又は半導電性粒子、複数のランダムに分布された光活性又は光学的に区別可能な粒子又は前記粒子の混合物からなることを特徴とする請求項５９に記載のオブジェクト。
【請求項６１】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項６０に記載のオブジェクト。
【請求項６２】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物及びそれらの組み合わせからなる群から選択されることを特徴とする請求項６１に記載のオブジェクト。
【請求項６３】
前記光活性粒子は、染料粒子、染料コーティング粒子、発光粒子、量子ドット粒子、光輝性粒子、偏光クリスタル、キラル分子、液晶、複屈折粒子、ボイド又はバブル、及び連続する材料内の変化する光学特性のドメイン及びそれらの混合物よりなる群から選択される粒子よりなることを特徴とする請求項６０乃至６２のいずれか一項に記載のオブジェクト。
【請求項６４】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択された粒子よりなることを特徴とする請求項６０乃至６３のいずれか一項に記載のオブジェクト。
【請求項６５】
前記導電性粒子は、金属粒子、カーボンブラック粒子、グラファイト粒子、金属コーティング粒子、ボイド又はバブル及び連続する材料内の変化する導電性のドメイン及びそれらの混合物から選択される材料よりなることを特徴とする請求項６０乃至６４のいずれか一項に記載のオブジェクト。
【請求項６６】
前記導電性粒子は、（ポリ）シリコン、ガリウム砒素、窒化ガリウム、白金シリサイド、窒化珪素、シリコンクロム（ＳｉＣｒ）、及びそれらの混合物から選択された材料よりなることを特徴とする請求項６０乃至６６のいずれか一項に記載のオブジェクト。
【請求項６７】
平均粒子は、約１０ナノメートルと約５００マイクロメートルとの間の最も大きな寸法を有することを特徴とする請求項６０乃至６６のいずれか一項に記載のオブジェクト。
【請求項６８】
前記キャビティは、前記識別層の少なくとも一部が前記識別機能を読み取るために露出されるように形成されることを特徴とする請求項５８乃至６７のいずれか一項に記載のオブジェクト。
【請求項６９】
前記キャビティは、規則正しい形状を有することを特徴とする請求項５１乃至６８のいずれか一項に記載のオブジェクト。
【請求項７０】
前記キャビティは、実質的に円形横断形状又は多角形横断形状を有することを特徴とする請求項６９に記載のオブジェクト。
【請求項７１】
前記実質的に円形状は、円形又は楕円形であることを特徴とする請求項７０に記載のオブジェクト。
【請求項７２】
前記多角形は、実質的に三角形、四角形、矩形、五角形、六角形、又は八角形であることを特徴とする請求項７１に記載のオブジェクト。
【請求項７３】
前記キャビティは、一つの開口又は二つの開口よりなることを特徴とする請求項５１乃至７２のいずれか一項に記載のオブジェクト。
【請求項７４】
前記オブジェクトは、エンジニアリングコンポーネントであることを特徴とする請求項５１乃至７４のいずれか一項に記載のオブジェクト。
【請求項７５】
前記エンジニアリングコンポーネントは、金属、金属合金、セラミック、ポリマー材料、ファイバーグラス又はカーボンファイバーから作られる請求項７４に記載のオブジェクト。
【請求項７６】
オブジェクトを識別するための識別タグであって、前記オブジェクトへ前記識別タグが取り付けられることができ、前記識別タグは、識別層を備え、
読み取り可能識別機能が前記識別層に配置され、前記識別機能は、前記識別層に含まれるランダムに分布された材料によって少なくとも部分的に形成され、
前記識別層は、前記識別タグに、係合トラックが前記タグ内に形成されるように配置され、前記係合トラックは、前記識別層に配置される前記識別機能を読み取るように読み取りデバイスの一部に形状が実質的に相補的であり、前記係合トラックによって、前記識別機能に対して前記読み取りデバイスの前記一部の容易な位置合わせが可能となることを特徴とする識別タグ。
【請求項７７】
前記係合トラックは、前記タグ中に凹所として形成され、前記識別層は、前記凹所内に配置されることを特徴とする請求項７６に記載の識別タグ。
【請求項７８】
前記識別層は、前記凹所の頂部又は底部壁内に又はその上に配置されることを特徴とする請求項７７に記載の識別タグ。
【請求項７９】
前記識別層は、前記凹所の横壁に又は内に配置されることを特徴とする請求項７７に記載の識別タグ。
【請求項８０】
前記係合トラックは、少なくとも５０マイクロメートルの、少なくとも１５０マイクロメートルの、少なくとも２００マイクロメートルの、又は少なくとも２５０マイクロメートルの深さを有することを特徴とする請求項７７乃至７９のいずれか一項に記載の識別タグ。
【請求項８１】
前記係合トラックは、前記タグの突起として形成され、前記識別層は、前記タグの前記突起内に配置されることを特徴とする請求項７６に記載の識別タグ。
【請求項８２】
前記識別層は、前記突起の頂壁内に又は上に配置されることを特徴とする請求項８１に記載の識別タグ。
【請求項８３】
前記識別層は、前記突起の横壁内に又は上に配置されることを特徴とする請求項８２に記載の識別タグ。
【請求項８４】
前記係合トラックは、少なくとも５０マイクロメートルの、少なくとも１５０マイクロメートルの、少なくとも２００マイクロメートルの、又は少なくとも２５０マイクロメートルの高さを有することを特徴とする請求項８１乃至８３のいずれか一項に記載の識別タグ。
【請求項８５】
前記識別層は、前記凹所又は前記突起に対して横方向に位置される領域中の前記タグに配置されることを特徴とする請求項７７乃至８５のいずれか一項に記載の識別タグ。
【請求項８６】
前記識別層の主表面は、前記識別機能を読み取るために露出されることを特徴とする請求項７６乃至８５のいずれか一項に記載の識別タグ。
【請求項８７】
前記識別層の最も薄い寸法は、前記識別機能を読み取るために露出されることを特徴とする請求項７６乃至８５のいずれか一項に記載の識別タグ。
【請求項８８】
前記係合トラックは、規則的な形状を有することを特徴とする請求項７６乃至８７のいずれか一項に記載の識別タグ。
【請求項８９】
前記係合トラックは、実質的に円形横断形状又は多角形横断形状を有することを特徴とする請求項８８に記載の識別タグ。
【請求項９０】
前記実質的に円形状は、円形又は楕円形であることを特徴とする請求項８９に記載の識別タグ。
【請求項９１】
前記多角形は、実質的に三角形、四角形、矩形、五角形、六角形、又は八角形であることを特徴とする請求項８９に記載の識別タグ。
【請求項９２】
前記タグは、前記識別機能を読み取るプロセス中に前記リーダの読み取り部分の位置合わせを更に容易にする位置合わせマーキングを備えることを特徴とする請求項７６乃至９１のいずれか一項に記載の識別タグ。
【請求項９３】
前記ランダムに分布された材料は、複数のランダムに分布された粒子よりなる請求項７６乃至９２のいずれか一項に記載の識別タグ。
【請求項９４】
前記ランダムに分布された粒子は、複数のランダムに分布された磁性又は磁化可能粒子、複数に分布された導電性及び／又は半導電性粒子、複数のランダムに分布された光活性粒子又は光学的に区別可能な粒子又は前記粒子の混合物からなることを特徴とする請求項９３に記載の識別タグ。
【請求項９５】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項９４に記載の識別タグ。
【請求項９６】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物及びそれらの組み合わせからなる群から選択されることを特徴とする請求項９５に記載の識別タグ。
【請求項９７】
前記光活性粒子は、染料粒子、染料コーティング粒子、発光粒子、量子ドット粒子、光輝性粒子、偏光クリスタル、キラル分子、液晶、複屈折粒子、ボイド又はバブル、及び連続する材料内の変化する光学特性のドメイン及びそれらの混合物よりなる群から選択される粒子よりなることを特徴とする請求項９４乃至９６のいずれか一項に記載の識別タグ。
【請求項９８】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択される粒子よりなることを特徴とする請求項９４乃至９７のいずれか一項に記載の識別タグ。
【請求項９９】
前記導電性粒子は、金属粒子、カーボンブラック粒子、グラファイト粒子、金属コーティング粒子、ボイド又はバブル及び連続する材料内の変化する導電性のドメイン及びそれらの混合物よりなる群から選択される材料よりなることを特徴とする請求項９４乃至９８のいずれか一項に記載の識別タグ。
【請求項１００】
前記導電性粒子は、（ポリ）シリコン、ガリウム砒素、窒化ガリウム、白金シリサイド、窒化珪素、及びシリコンクロム（ＳｉＣｒ）よりなることを特徴とする請求項９４乃至９９のいずれか一項に記載の識別タグ。
【請求項１０１】
平均粒子は、約１０ナノメートルと約５００マイクロメートルとの間の最も大きな寸法を有することを特徴とする請求項９４乃至１００のいずれか一項に記載の識別タグ。
【請求項１０２】
請求項７６乃至１０１のいずれか一項に記載の識別タグを取り付けたオブジェクト。
【請求項１０３】
識別されるように構成されたオブジェクトであって、前記オブジェクトは、識別層を備え、
読み取り可能識別機能が前記識別層に配置され、前記識別機能は、前記識別層に含まれるランダムに分布された材料によって少なくとも部分的に形成され、
前記識別層は、前記オブジェクトに、係合トラックが前記オブジェクト内に形成されるように配置され、前記係合トラックは、前記識別層に配置される前記識別機能を読み取る読み取りデバイスの一部に形状が実質的に相補的であり、前記係合トラックによって、前記識別機能に対して前記読み取りデバイスの前記一部の容易な位置合わせが可能となることを特徴とするオブジェクト。
【請求項１０４】
前記係合トラックは、前記タグ中に凹所として形成され、前記識別層は、前記凹所内に配置されることを特徴とする請求項１０３に記載のオブジェクト。
【請求項１０５】
前記識別層は、前記オブジェクトの前記凹所内又は前記凹所の底壁上に配置されることを特徴とする請求項１０４に記載のオブジェクト。
【請求項１０６】
前記識別層は、前記凹所に又は前記凹所の横壁内に配置されることを特徴とする請求項１０５に記載のオブジェクト。
【請求項１０７】
前記係合トラックは、少なくとも５０マイクロメートルの、少なくとも１５０マイクロメートルの、少なくとも２００マイクロメートルの、又は少なくとも２５０マイクロメートルの深さを有することを特徴とする請求項１０４乃至１０６のいずれか一項に記載のオブジェクト。
【請求項１０８】
前記係合トラックは、前記オブジェクトの突起として形成され、前記識別層は、前記オブジェクトの前記突起内に配置されることを特徴とする請求項１０３に記載のオブジェクト。
【請求項１０９】
前記識別層は、前記突起の頂壁内に又は上に配置されることを特徴とする請求項１０８に記載のオブジェクト。
【請求項１１０】
前記識別層は、前記突起の横壁内に又は上に配置されることを特徴とする請求項１０９に記載のオブジェクト。
【請求項１１１】
前記係合トラックは、少なくとも５０マイクロメートルの、少なくとも１５０マイクロメートルの、少なくとも２００マイクロメートルの、又は少なくとも２５０マイクロメートルの高さを有することを特徴とする請求項１０８乃至１１１のいずれか一項に記載のオブジェクト。
【請求項１１２】
前記識別層は、前記凹所又は前記突起に対して横方向に位置される領域中の前記タグに配置されることを特徴とする請求項１０４乃至１１１のいずれか一項に記載のオブジェクト。
【請求項１１３】
前記識別層の主表面は、前記識別機能を読み取るために露出されることを特徴とする請求項１０３乃至１１２のいずれか一項に記載のオブジェクト。
【請求項１１４】
前記識別層の最も薄い寸法は、前記識別機能を読み取るために露出されることを特徴とする請求項１０３乃至１１２のいずれか一項に記載のオブジェクト。
【請求項１１５】
前記係合トラックは、規則的な形状を有することを特徴とする請求項１０３乃至１１４のいずれか一項に記載のオブジェクト。
【請求項１１６】
前記係合トラックは、実質的に円形横断形状又は多角形横断形状を有することを特徴とする請求項１１５に記載のオブジェクト。
【請求項１１７】
前記実質的に円形状は、円形又は楕円形であることを特徴とする請求項１１６に記載のオブジェクト。
【請求項１１８】
前記多角形は、実質的に三角形、四角形、矩形、五角形、六角形、又は八角形であることを特徴とする請求項１１７に記載のオブジェクト。
【請求項１１９】
前記オブジェクトは、前記識別機能を読み取るプロセス中に前記リーダの読み取り部分の位置合わせを更に容易にする位置合わせマーキングを備えることを特徴とする請求項１０３乃至１１８のいずれか一項に記載のオブジェクト。
【請求項１２０】
前記ランダムに分布された材料は、複数のランダムに分布された粒子よりなることを特徴とする請求項１３４乃至１１９のいずれか一項に記載のオブジェクト。
【請求項１２１】
前記ランダムに分布された粒子は、複数のランダムに分布された磁性又は磁化可能粒子、複数に分布された導電性及び／又は半導電性粒子、複数のランダムに分布された光活性粒子又は光学的に区別可能な粒子又は前記粒子の混合物からなることを特徴とする請求項１２０に記載のオブジェクト。
【請求項１２２】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項１２１に記載のオブジェクト。
【請求項１２３】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物及びそれらの組み合わせからなる群から選択されることを特徴とする請求項１２２に記載のオブジェクト。
【請求項１２４】
前記光活性粒子は、染料粒子、染料コーティング粒子、発光粒子、量子ドット粒子、光輝性粒子、偏光クリスタル、キラル分子、液晶、複屈折粒子、ボイド又はバブル、及び連続する材料内の変化する光学特性のドメイン及びそれらの混合物よりなる群から選択される粒子よりなることを特徴とする請求項１２１乃至１２３のいずれか一項に記載のオブジェクト。
【請求項１２５】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択される粒子よりなることを特徴とする請求項１２１乃至１２４のいずれか一項に記載の識別タグ。
【請求項１２６】
前記導電性粒子は、金属粒子、カーボンブラック粒子、グラファイト粒子、金属コーティング粒子、ボイド又はバブル及び連続する材料内の変化する導電性のドメイン及びそれらの混合物よりなる群から選択される材料よりなることを特徴とする請求項１２１至１２５の一項に記載のオブジェクト。
【請求項１２７】
前記導電性粒子は、（ポリ）シリコン、ガリウム砒素、窒化ガリウム、白金シリサイド、窒化珪素、及びシリコンクロム（ＳｉＣｒ）よりなることを特徴とする請求項１２１乃至１２６のいずれか一項に記載のオブジェクト。
【請求項１２８】
平均粒子は、約１０ナノメートルと約５００マイクロメートルとの間の最も大きな寸法を有することを特徴とする請求項１２１乃至１２７のいずれか一項に記載のオブジェクト。
【請求項１２９】
識別タグを備えるオブジェクトであって、前記識別タグオブジェクトは、識別層を備え、
読み取り可能識別機能が前記識別タグの前記識別層に配置され、前記識別機能は、前記識別層に含まれるランダムに分布された材料によって少なくとも部分的に形成され、
前記識別タグは、前記オブジェクトに、係合トラックが前記オブジェクトと前記識別タグによって形成されるように配置され、前記係合トラックは、前記読み取りトラックを介して前記識別層に配置される前記識別機能を読み取る読み取りデバイスの一部に対して形状が実質的に相補的であり、前記係合トラックによって、前記識別機能に対して前記読み取りデバイスの前記一部の容易な位置合わせが可能となることを特徴とするオブジェクト。
【請求項１３０】
前記係合トラックは、前記オブジェクトの凹所として形成され、前記識別タグは、前記凹所内に配置され、且つ前記タグは、前記係合トラックの少なくとも一表面を形成すること特徴とする請求項１２９に記載のオブジェクト。
【請求項１３１】
前記識別タグは、前記オブジェクトの前記凹所の底壁上に配置されること特徴とする請求項１３０に記載のオブジェクト。
【請求項１３２】
前記識別タグは、前記凹所の横壁上に配置されること特徴とする請求項１３１に記載のオブジェクト。
【請求項１３３】
前記係合トラックは、少なくとも５０マイクロメートルの、少なくとも１５０マイクロメートルの、少なくとも２００マイクロメートルの、又は少なくとも２５０マイクロメートルの深さを有することを特徴とする請求項１２９乃至１３２のいずれか一項に記載のオブジェクト。
【請求項１３４】
前記係合トラックは、前記オブジェクトの突起として形成され、前記識別タグは、前記オブジェクトの前記突起内に配置され、前記識別タグは、前記係合トラックの少なくとも一表面を形成すること特徴とする請求項１２９に記載のオブジェクト。
【請求項１３５】
前記識別層は、前記突起の頂壁上に配置されること特徴とする請求項１３４に記載のオブジェクト。
【請求項１３６】
前記識別層は、前記突起の横壁上に配置されること特徴とする請求項１３５に記載のオブジェクト。
【請求項１３７】
前記係合トラックは、少なくとも５０マイクロメートルの、少なくとも１５０マイクロメートルの、少なくとも２００マイクロメートルの、又は少なくとも２５０マイクロメートルの高さを有することを特徴とする請求項１３４乃至１３６のいずれか一項に記載のオブジェクト。
【請求項１３８】
前記識別層は、前記凹所又は前記突起に対して横方向に位置される領域中のオブジェクトに配置されることを特徴とする請求項１２９乃至１３７のいずれか一項に記載のオブジェクト。
【請求項１３９】
前記識別層の主表面は、前記識別機能を読み取るために露出されることを特徴とする請求項１２９乃至１３８のいずれか一項に記載のオブジェクト。
【請求項１４０】
前記識別層の最も薄い寸法は、前記識別機能を読み取るために露出されることを特徴とする請求項１２９乃至１３８のいずれか一項に記載のオブジェクト。
【請求項１４１】
前記係合トラックは、規則的な形状を有することを特徴とする請求項１２９乃至１４０のいずれか一項に記載のオブジェクト。
【請求項１４２】
前記係合トラックは、実質的に円形横断形状又は多角形横断形状を有することを特徴とする請求項１４１に記載のオブジェクト。
【請求項１４３】
前記実質的に円形状は、円形又は楕円形であることを特徴とする請求項１４２に記載のオブジェクト。
【請求項１４４】
前記多角形は、実質的に三角形、四角形、矩形、五角形、六角形、又は八角形であることを特徴とする請求項１４２に記載のオブジェクト。
【請求項１４５】
前記オブジェクトは、前記識別機能を読み取るプロセス中に前記リーダの読み取り部分の位置合わせ又はその読み取り部分の相対位置の測定を更に容易にする位置合わせマーキングを備えることを特徴とする請求項１２９乃至１４４のいずれか一項に記載のオブジェクト。
【請求項１４６】
前記識別層は、ランダムに分布された材料よりなることを特徴とする請求項１２９乃至１４５のいずれか一項に記載のオブジェクト。
【請求項１４７】
前記ランダムに分布された材料は、複数のランダムに分布された粒子よりなることを特徴とする請求項１４６に記載のオブジェクト。
【請求項１４８】
前記ランダムに分布された粒子は、複数のランダムに分布された磁性又は磁化可能粒子、複数に分布された導電性及び／又は半導電性粒子、複数のランダムに分布された光活性粒子又は光学的に区別可能な粒子又は前記粒子の混合物からなることを特徴とする請求項１４７に記載のオブジェクト。
【請求項１４９】
前記磁性粒子は、フェリ磁性体、反強磁性体、強磁性体、又は連続する材料（可変磁性を引き起こすボイドを含む）内の変化する磁性のドメイン、及びそれらの組み合わせよりなることを特徴とする請求項１４８に記載のオブジェクト。
【請求項１５０】
前記強磁性体は、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物及びそれらの組み合わせからなる群から選択されるなることを特徴とする請求項１４９に記載のオブジェクト。
【請求項１５１】
前記光活性粒子は、染料粒子、染料コーティング粒子、発光粒子、量子ドット粒子、光輝性粒子、偏光クリスタル、キラル分子、液晶、複屈折粒子、ボイド又はバブル、及び連続する材料内の変化する光学特性のドメイン及びそれらの混合物よりなる群から選択される粒子よりなることを特徴とする請求項１４８乃至１５０のいずれか一項に記載のオブジェクト。
【請求項１５２】
前記光学的に区別可能な粒子は、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択された粒子よりなることを特徴とする請求項１４８乃至１５１のいずれか一項に記載のオブジェクト。
【請求項１５３】
前記導電性粒子は、金属粒子、カーボンブラック粒子、グラファイト粒子、金属コーティング粒子、ボイド又はバブル及び連続する材料内の変化する導電性のドメイン及びそれらの混合物よりなる群から選択される材料よりなることを特徴とする請求項１４８乃至１５２のいずれか一項に記載のオブジェクト。
【請求項１５４】
前記導電性粒子は、（ポリ）シリコン、ガリウム砒素、窒化ガリウム、白金シリサイド、窒化珪素、及びシリコンクロム（ＳｉＣｒ）よりなることを特徴とする請求項１４８乃至１５３のいずれか一項に記載のオブジェクト。
【請求項１５５】
平均粒子は、約１０ナノメートルと約５００マイクロメートルとの間の最も大きな寸法を有することを特徴とする請求項１４７乃至１５４のいずれか一項に記載のオブジェクト。
【請求項１５６】
識別タグを取り付けたオブジェクトであって、前記識別タグオブジェクトは、識別層を備え、
読み取り可能識別機能は、前記識別層に配置され、前記識別機能は、前記識別層に含まれるランダムに分布された材料によって少なくとも部分的に形成され、
前記識別層は、前記読み取り可能識別機能の少なくとも幾つかが前記識別層の最も薄い寸法から有意に読み取られるに過ぎないように露出されないという条件で、
前記識別タグは、前記オブジェクトの外表面に、前記タグが前記オブジェクト上に係合トラックを形成するように配置され、前記係合トラックは、前記読み取りトラックを介して前記識別層に配置される前記識別機能を読み取る読み取りデバイスの一部に対して形状が実質的に相補的であり、前記係合トラックによって、前記識別機能に関して前記読み取りデバイスの前記一部の容易な位置合わせが可能となることを特徴とするオブジェクト。
【請求項１５７】
前記オブジェクトは、前記識別層の主表面が前記識別機能を読み取るために露出されるように配置されることを特徴とする請求項１５６に記載のオブジェクト。
【請求項１５８】
前記係合トラックは、少なくとも５０マイクロメートルの、少なくとも１５０マイクロメートルの、少なくとも２００マイクロメートルの、又は少なくとも２５０マイクロメートルの高さを有することを特徴とする請求項１５６乃至１５７のいずれか一項に記載のオブジェクト。
【請求項１５９】
前記ランダムに分布された材料は、複数のランダムに分布された粒子よりなることを特徴とする請求項１５７乃至１５８のいずれか一項に記載のオブジェクト。
【請求項１６０】
前記ランダムに分布された粒子は、複数のランダムに分布された磁性又は磁化可能粒子、複数に分布された導電性及び／又は半導電性粒子、複数のランダムに分布された光活性粒子又は前記粒子の混合物からなることを特徴とする請求項１５８に記載のオブジェクト。
【請求項１６１】
オブジェクトを識別するための識別タグを生成するための方法であって、前記オブジェクトへ前記識別タグが取り付けられることができ、前記方法は、
適切な材料の適応層を提供し、前記適応層は、前記適応層にカットされる少なくとも一つの適応凹所を備え、
少なくとも部分的に固化可能マトリックス材料に分散される少なくとも部分的にランダムに分散された材料で前記少なくとも一つの適応凹所を充填し、充填後に、前記分散された材料が前記適応凹所内にランダムに分布され、それによって、前記オブジェクトを識別するための読み取り可能識別機能を形成することを特徴とする方法。
【請求項１６２】
前記適応層は、前記少なくとも一つの適応凹所を前記適切な材料のフィルム内に形成することによって生成されることを特徴とする請求項１６１に記載の方法。
【請求項１６３】
前記適応凹所を形成するカットは、機械的手段又はレーザを使用することによって前記適切な材料のフィルムに形成されることを特徴とする請求項１６２に記載の方法。
【請求項１６４】
前記機械的手段は、ナイフ、ブレード又はパンチャーであることを特徴とする請求項１６３に記載の方法。
【請求項１６５】
前記材料が粒子よりなることを特徴とする請求項１６０乃至１６４のいずれか一項に記載の方法。
【請求項１６６】
前記粒子は、複数の磁性又は磁化可能粒子、複数の導電性及び／又は半導電性粒子、複数の光活性粒子及び／又は光学的に区別可能粒子又は前記粒子の混合物よりなることを特徴とする請求項１６５に記載の方法。
【請求項１６７】
前記固化可能マトリックス材料ポリマー組成物は、赤外（ＩＲ）又は紫外（ＵＶ）光手段によって硬化可能なポリマー前駆体コンパウンドよりなる液体組成物であることを特徴とする請求項１６５乃至１６６のいずれか一項に記載の方法。
【請求項１６８】
前記ポリマー前駆体コンパウンドは、ポリスチレン、エポキシ樹脂、ポリアルキレン、ポリイミド、ポリベンゾオキサゾール（polybenzoxazoles）、ポリアクリレート、ポリエーテル、ポリベンゾオキサヨール（polybenzoxayoles）、ポリチオアヨール（polythioayoles）、エポシキド、（メタ）アクリレート、及びポリシロキサンよりなる群から選択されることを特徴とする請求項１６５に記載の方法。
【請求項１６９】
前記液体組成物は、プリンティング、スクイージング、又はスプレーイングによって前記適応凹所内に分散されることを特徴とする請求項１６５乃至１６８のいずれか一項に記載の方法。
【請求項１７０】
前記液体組成物は、前記組成物を前記適応凹所内に分散した後固化され、それによって、前記粒子をマトリックス内にランダム分布方法で埋め込むことを特徴とする請求項１６９に記載の方法。
【請求項１７１】
前記適応凹所は、カバー層又は支持層を前記適応層に取り付ける前に生成されることを特徴とする請求項１６１乃至１７０のいずれか一項に記載の方法。
【請求項１７２】
オブジェクトを識別するための識別タグを生成するための方法であって、前記オブジェクトへ前記識別タグが取り付けられることができ、前記識別タグは、キャビティを備え、
前記方法は、読み取り可能識別機能を前記識別機能が前記キャビティ内に挿入されるべき読み取りデバイスの一部によって読み取られることができるように前記タグ内に配置し、
係合トラックが前記タグ内の前記キャビティによって形成されるように前記キャビティを形成し、前記係合トラックは、前記タグ内に配置される前記識別機能を読み取る読み取りデバイスの前記一部に対して形状が実質的に相補的であることを特徴とする方法。
【請求項１７３】
オブジェクトを識別するための識別タグを生成するための方法であって、前記オブジェクトへ前記識別タグが取り付けられることができ、前記識別タグは、識別層を備え、読み取り可能識別機能が前記識別層に配置され、前記識別機能は、前記識別層に含まれるランダムに分布された材料によって少なくとも部分的に形成され、
前記方法は、係合トラックが前記タグ内に形成されるように且つ前記係合トラックが前記識別層に配置される識別機能を読み取る読み取りデバイスの一部に対して形状が実質的に相補的であるように前記識別タグ内に前記識別層を配置することよりなることを特徴とする方法。
【請求項１７４】
識別されるように構成されるオブジェクトを生成する方法であって、前記オブジェクトは、キャビティを備え、
前記方法は、読み取り可能識別機能を前記識別機能が前記キャビティ内に挿入されるべき読み取りデバイスの一部によって読み取られるように前記オブジェクト内に配置し、且つ
係合トラックが前記オブジェクト内の前記キャビティによって形成されるように前記キャビティを形成し、前記係合トラックは、前記オブジェクト内に配置される前記識別機能を読み取る読み取りデバイスの前記一部に対して形状が実質的に相補的であることを特徴とする方法。
【請求項１７５】
識別されるように構成されるオブジェクトを生成する方法であって、前記オブジェクトは、識別層を備え、読み取り可能識別機能が前記識別層内に配置され、前記識別機能は、前記識別層に含まれるランダムに分布された材料によって少なくとも部分的に形成され、
前記方法は、係合トラックが前記オブジェクト内に形成されるように且つ前記係合トラックが前記識別層に配置される識別機能を読み取る読み取りデバイスの一部に対して形状が実質的に相補的であるように前記識別オブジェクト内に前記識別層を配置することよりなることを特徴とする方法。
【請求項１７６】
識別されるように構成される識別機能又はオブジェクトに配置される識別機能（複数）を読み取るための読み取りデバイスであって、前記識別タグ又はオブジェクトは、前記タグ又は前記オブジェクト内にキャビティ又は凹所として形成される係合トラックを備え、前記係合トラックは、前記識別機能を読み取るために使用され、
前記読み取りデバイスは、
識別されるように構成される前記識別タグ又はオブジェクト内に配置される前記識別機能を読み取るため構成される読み取り要素を備え、前記読み取り要素は、前記読み取りデバイスの係合要素内に配置され、前記係合要素は、前記識別タグ又はオブジェクトの前記係合トラックに対して形状が実質的に相補的であることを特徴とする読み取りデバイス。
【請求項１７７】
前記係合要素は、前記係合トラックと係合するための突起を備え、この突起は、規則正しい形状を有することを特徴とする請求項１７６に記載の読み取りデバイス。
【請求項１７８】
前記突起は、半円形横断面形状又は多角形横断面形状を有することを特徴とする請求項１７７に記載の読み取りデバイス。
【請求項１７９】
前記多角形は、実質的に三角形、四角形、矩形、五角形、六角形、又は八角形であることを特徴とする請求項１７８に記載の読み取りデバイス。
【請求項１８０】
前記突起は、少なくとも５０マイクロメートルの、少なくとも１５０マイクロメートルの、少なくとも２００マイクロメートルの、又は少なくとも２５０マイクロメートルの高さを有することを特徴とする請求項１７７乃至１７９のいずれか一項に記載の読み取りデバイス。
【請求項１８１】
識別されるように構成される識別機能又はオブジェクトに配置される識別機能（複数）を読み取るための読み取りデバイスであって、前記識別タグ又はオブジェクトは、前記タグ又は前記オブジェクト内に突起として形成される係合トラックを備え、前記係合トラックは、前記識別機能を読み取るために使用され、
前記読み取りデバイスは、
前記タグ又はオブジェクト内に配置される前記識別機能を読み取るため構成される読み取り要素を備え、前記読み取り要素は、前記識別タグ又はオブジェクトの前記係合トラックに対して形状が実質的に相補的である非Ｕ字形状係合要素内に配置されることを特徴とする読み取りデバイス。
【請求項１８２】
前記係合要素は、前記係合トラックと係合するための凹所よりなり、この凹所は、断面が実質的に三角形、四角形、台形、半円形、五角形、六角形、八角形、又は曲線形であることを特徴とする請求項１７９に記載の読み取りデバイス。
【請求項１８３】
識別されるように構成される識別機能又はオブジェクトに配置される識別機能（複数）を読み取るための読み取りデバイスであって、前記識別タグ又はオブジェクトは、前記タグ又は前記オブジェクト内に突起として形成される係合トラックを備え、前記係合トラックは、前記識別機能を読み取るために使用され、
前記読み取りデバイスは、
前記識別タグ又はオブジェクトの前記係合トラックに対して形状が実質的に相補的である凹所を有する係合要素を備え、前記係合要素は、前記凹所の横領域に、前記識別タグ内に配置される前記識別機能を読み取るために構成される読み取り要素を備えることを特徴とする読み取りデバイス。
【請求項１８４】
前記係合要素は、前記係合トラックと係合するための凹所を備えると共に、この凹所は、実質的にＵ形状、三角形、四角形、台形、半円形、五角形、六角形、八角形、又は曲線形であることを特徴とする請求項１８３に記載の読み取りデバイス。
【請求項１８５】
前記凹所は、少なくとも５０マイクロメートルの、少なくとも１５０マイクロメートルの、少なくとも２００マイクロメートルの、又は少なくとも２５０マイクロメートルの深さを有することを特徴とする請求項１８３又は１８４に記載の読み取りデバイス。
【請求項１８６】
前記読み取り要素は、前記タグ又はオブジェクトに前記識別機能を形成するランダムに分布された材料から情報を読み取るように構成されることを特徴とする請求項１７６乃至１８５のいずれか一項に記載の読み取りデバイス。
【請求項１８７】
前記読み取り要素は、前記タグ又はオブジェクトに前記識別機能を形成する複数のランダムに分布された粒子から情報を読み取るように構成されることを特徴とする請求項１８６に記載の読み取りデバイス。
【請求項１８８】
前記読み取り要素は、前記タグ又はオブジェクトの識別層に含まれる複数のランダムに分布された磁性粒子から情報を読み取るように構成されることを特徴とする請求項１８７に記載の読み取りデバイス。
【請求項１８９】
前記読み取り要素は、前記タグ又はオブジェクトの識別層に含まれる複数のランダムに分布された導電性及び／又は半導電性粒子から電気又は電磁情報を読み取るように構成されることを特徴とする請求項１８７又は１８８に記載の読み取りデバイス。
【請求項１９０】
前記読み取り要素は、前記タグ又はオブジェクトの識別層に含まれる複数のランダムに分布された光活性粒子から発される光子を検出するように構成されることを特徴とする請求項１８７乃至１８９のいずれか一項に記載の読み取りデバイス。
【請求項１９１】
前記読み取り要素は、前記タグ又はオブジェクトの識別層に含まれる複数のランダムに分布された光学的に区別可能な粒子から反射される又はそれによって偏向される光子を検出するように構成されることを特徴とする請求項１８７乃至１９０のいずれか一項に記載の読み取りデバイス。
【請求項１９２】
トラッキング要素を更に備え、前記トラッキング要素は、前記識別機能を読み取るプロセス中に読み取られるべき前記識別機能に相対する前記読み取り要素の位置合わせや運動を容易にする又は測定するように構成されることを特徴とする請求項１７６乃至１９１のいずれか一項に記載の読み取りデバイス。
【請求項１９３】
前記トラッキング要素は、前記読み取り要素を光学的に位置決めするために構成されることを特徴とする請求項１９２に記載の読み取りデバイス。
【請求項１９４】
前記トラッキング要素は、読み取られるべき識別機能に対して、前記読み取り要素の相対位置を光学的に測定するために構成されることを特徴とする請求項１９３に記載の読み取りデバイス。
【請求項１９５】
前記トラッキング要素は、前記読み取り要素を電磁的に位置決めするために構成されることを特徴とする請求項１９２又は１９３に記載の読み取りデバイス。
【請求項１９６】
前記トラッキング要素は、読み取られるべき前記識別機能に対して、前記読み取り要素の相対位置を電磁的に測定するために構成されることを特徴とする請求項１９５に記載の読み取りデバイス。
【請求項１９７】
前記読み取り要素によって読み取られる前記機能からフィンガープリント及び／又はシグネチャを処理するように構成される処理手段を有することを特徴とする請求項１７６乃至１９６のいずれか一項に記載の読み取りデバイス。
【請求項１９８】
前記処理手段は、
−前記読み取り要素によって読み取られた機能からの前記フィンガープリント及び／又はシグネチャを事前格納された基準シグネチャと比較し、
−もし識別タグ又はオブジェクトから読み取られた前記フィンガープリント及び／又はシグネチャが前記事前格納された基準シグネチャから予め決定された閾値未満だけ異なる場合、前記識別タグ又は前記オブジェクトを有効であると識別するように構成されることを特徴とする請求項１９７に記載の読み取りデバイス。
【請求項１９９】
前記読み取りデバイスは、前記読み取りデバイスに対して遠くのデータ記憶媒体に配置される事前格納された基準シグネチャを受信するように構成されることを特徴とする請求項１９８に記載の読み取りデバイス。
【請求項２００】
前記読み取りデバイスは、前記タグ又は前記タグが取り付けられる前記オブジェクトに配置される事前格納された基準シグネチャを受信するように構成されることを特徴とする請求項１９８に記載の読み取りデバイス。
【請求項２０１】
前記処理手段は、最近読み取られたフィンガープリント／シグネチャからの情報を使用して、前記事前格納された基準シグネチャを再書き込み又は付加することによって前記事前格納された基準シグネチャを更新するように更に構成されることを特徴とする請求項１９８乃至２００のいずれか一項に記載の読み取りデバイス。
【請求項２０２】
オブジェクトを識別するための識別システムであって、識別タグが取り付けられることができるオブジェクトを識別するための請求項１乃至１８、請求項２１乃至４９、又は請求項７６乃至１０１のいずれか一項に従う識別タグと、
前記識別タグにコード化された情報を読み取るための請求項１７６乃至２０１のいずれか一項に記載の読み取りデバイスと、を備えることを特徴とする識別システム。
【請求項２０３】
前記識別タグの基準読み取りから得られる基準シグネチャが格納されるデータ記憶媒体を更に備えることを特徴とする請求項２０２に記載の識別システム。
【請求項２０４】
オブジェクトを識別するための識別システムであって、
請求項５１乃至７５、又は請求項１０２乃至１６１のいずれか一項に従う識別されるように構成されるオブジェクトと
前記識別タグに配置される識別情報を読み取るための請求項１７６乃至２０１のいずれか一項に従う読み取りデバイスと、を備えることを特徴とする識別システム。
【請求項２０５】
識別されるように構成されるオブジェクトの基準読み取りから得られる基準シグネチャが格納されるデータ記憶媒体を更に備えることを特徴とする請求項２０４に記載の識別システム。
【請求項２０６】
前記事前格納された基準シグネチャのための前記データ記憶媒体は、前記読み取りデバイスに関して遠くにあるデータ記憶媒体であることを特徴とする請求項２０２又は請求項２０４に記載の識別システム。
【請求項２０７】
前記読み取りに関して遠くにあるデータ処理デバイスを更に備え、前記デバイスは、前記事前格納された基準シグネチャに前記読み取られたシグネチャをマッチングするために前記データ処理を実行するように構成されることを特徴とする請求項２０２又は請求項２０４に記載の識別システム。
【請求項２０８】
前記事前格納された基準シグネチャのための前記データ記憶媒体は、前記オブジェクトに取り付けられる前記タグに配置されることを特徴とする請求項２０７に記載の識別システム。
【請求項２０９】
前記事前格納された基準シグネチャのための前記データ記憶媒体は、前記オブジェクトに配置されることを特徴とする請求項２０７に記載の識別システム。
【請求項２１０】
前記データ記憶媒体は、磁気ストリップ、メモリチップ、メディアディスク、ハードディスク、スマートカード、ＲＡＭモジュール、磁気テープ、又は２Ｄバーコードやビットマップのような従来の光学手段であることを特徴とする請求項２０８又は請求項２０９に記載の識別システム。
【請求項２１１】
請求項２１乃至４９、又は請求項７６乃至１０１のいずれか一項に定義される識別タグにおける識別機能を読み取るための方法であって、読み取り可能識別機能が前記識別タグ中に配置され、前記識別タグは、係合トラックを有し、前記方法は、
前記タグを読み取るデバイスに接触させ、前記読み取りデバイスは、前記識別タグに配置される前記識別機能を読み取るために構成される読み取り要素を備え、前記読み取り要素は、前記読み取りデバイスの係合要素内に配置され、前記係合要素は、前記識別タグの前記係合トラックに対して形状が実質的に相補的であることを特徴とする方法。
【請求項２１２】
請求項２０、５１乃至７５、又は請求項１０２乃至１６０のいずれか一項に定義される識別されるべきオブジェクトにおける識別機能を読み取るための方法であって、読み取り可能識別機能が前記オブジェクトに又は前記オブジェクトへ取り付けられる又はそれに含まれる識別タグに配置され、前記オブジェクトは、係合トラックを有し、前記方法は、
前記オブジェクトを読み取りデバイスに接触させ、前記読み取りデバイスは、前記オブジェクト又は前記識別タグに配置される前記識別機能を読み取りために構成される読み取り要素を備え、前記読み取り要素は、前記読み取りデバイスの係合要素内に配置され、前記係合要素は、前記オブジェクトの前記係合トラックに対して形状が実質的に相補的であることを特徴とする方法。
【請求項２１３】
前記読み取りデバイスの前記係合要素が前記タグ又は前記オブジェクトの前記係合トラックと係合するように前記タグ又は前記オブジェクトを前記読み取りデバイスに接触させ、それによって、前記識別機能を配置し、前記識別機能に対して前記読み取りデバイスを位置合わせすることを備えることを特徴とする請求項２１１又は請求項２１２に記載の方法。
【請求項２１４】
前記係合要素に関して前記係合要素を移動し、それによって、前記識別機能を読み取ることを更に備えることを特徴とする請求項２１３に記載の方法。
【請求項２１５】
前記識別機能は、チップ内、磁気ストリップ内、シリアル番号、光学マーキング及び／又はランダムに分布された材料内に配置されることを特徴とする請求項２１１乃至２１４のいずれか一項に記載の方法。
【請求項２１６】
前記ランダムに分布された材料は、複数のファイバー又は粒子よりなることを特徴とする請求項２１５に記載の方法。
【請求項２１７】
読み取りは、前記識別機能から少なくとも一つの信号を読み取ることよりなることを特徴とする請求項２１１乃至２１５のいずれか一項に記載の方法。
【請求項２１８】
少なくとも一つのシグネチャは、前記読み取られた信号から引き出されることを特徴とする請求項２１７に記載の方法。
【請求項２１９】
前記シグネチャは格納され、それによって、事前格納基準シグネチャとなることを特徴とする請求項２１８に記載の方法。
【請求項２２０】
一つより多くの基準シグネチャが前記オブジェクトに対して格納されることを特徴とする請求項２１９に記載の方法。
【請求項２２１】
前記一つより多くの事前格納された基準シグネチャは、少なくとも二つの異なる読み取りデバイスを使用して前記オブジェクトを読み取ることから引き出されることを特徴とする請求項２２０に記載の方法。
【請求項２２２】
前記読み取りデバイス（複数）は、それらの間に固有の又は意図的に設計された違いを有し、前記違いは、前記読み取りに、従って関連するシグネチャに影響を及ぼすことを特徴とする請求項２２１に記載の方法。
【請求項２２３】
引き続いて読み取られたシグネチャは、前記オブジェクトに関連する又は複数のオブジェクトの集まりに関連する事前格納された基準シグネチャの全てと比較されることを特徴とする請求項２１９乃至２２２のいずれか一項に記載の方法。
【請求項２２４】
引き続いて読み取られたシグネチャは、データベースに存在する事前格納された基準シグネチャの全てと比較されることを特徴とする請求項２１９乃至２２２のいずれか一項に記載の方法。
【請求項２２５】
シリアル化された識別情報は、前記少なくとも二セットの識別機能の内の一つのセットとして使用され、処理ユニットは、前記読み取りデバイスが前記シリアル化された識別情報を十分に、完全に、又は正確に読み取らなかった場合、前記読み取られた信号の一部（単数又は複数）から欠落したデータ又はコンポーネントを再生するように構成されることを特徴とする請求項２１２乃至２２４のいずれか一項に記載の方法。
【請求項２２６】
前記読み取られた信号の一部（単数又は複数）の欠落したデータやコンポーネントは、別個にキー入力された又は走査された補充情報に基づいて再生又は推定され、前記補充情報は、十分ではない又は正確ではない機能情報に関連することを特徴とする請求項２２５に記載の方法。
【請求項２２７】
前記再生されたデータ又はコンポーネントは、前記オブジェクトを識別するためにシグネチャを形成するために使用されることを特徴とする請求項２２６に記載の方法。
【請求項２２８】
シリアル化された識別情報は、前記少なくとも二セットの識別機能の内の一つのセットとして使用され、前記シリアル化された識別情報は、前記データベースに事前格納された基準シグネチャを格納する及びそれから検索するための主キーとして使用されることを特徴とする請求項２１２乃至２２７のいずれか一項に記載の方法。
【請求項２２９】
前記シリアル化された情報は、前記オブジェクトに割り当てられるバーコード、シリアル番号、２進又は１６進情報、又は英数字コードであることを特徴とする請求項２２８に記載の方法。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
オブジェクトを識別するための識別タグであって、前記オブジェクトへ前記識別タグが取り付けられることができ、
前記識別タグは、適応層を備え、
前記タグは、それが識別されるべきオブジェクトへ取り付け可能であるように構成され、
前記適応層は、少なくとも一つの適応凹所を備え、
前記適応凹書は、カット又はカッティングマークであり、
前記適応凹所は、少なくとも部分的にランダムに分布された材料を備え、
前記少なくとも部分的にランダムに分布された材料は、固化されたマトリックス材料に埋め込まれ、
前記少なくとも部分的にランダムに分布された材料は、前記オブジェクトを識別するための読み取り可能識別機能を形成することを特徴とする識別タグ。
【請求項２】
前記適応層の少なくとも一つ表面は、少なくとも部分的に接着性があるか又は熱接合を受けるのに少なくとも部分的に適することを特徴とする請求項１に記載の識別タグ。
【請求項３】
前記適応層は、ポリマー材料、金属、セラミック又は自然発生有機材料からなる群から選択された材料よりなり、前記ポリマー材料は、好ましくは、ポリスチレン、ポリエチレン、ポリプロピレン、ポリエチレンテレフタレート、ポリカーボネート、ポリエーテルスルホン、エポキシ樹脂、ポリスチレン、ポリウレタン、ポリアクリレート、ポリイミド、及びポリシリコンからなる群から選択されることを特徴とする請求項１又は２に記載の識別タグ。
【請求項４】
前記タグは、前記適応層の頂部に配置されるカバー層を備えることを特徴とする請求項１乃至３のいずれか一項に記載の識別タグ。
【請求項５】
前記少なくとも一つの適応凹所は、本質的に適応層の長手方向へ配置されるか、又は本質的に適応層の横断面方向へ配置されることを特徴とする請求項１乃至４のいずれか一項に記載の識別タグ。
【請求項６】
前記少なくとも一つの適応凹所は連続するか、又は、前記少なくとも一つの適応凹所は穿孔されることを特徴とする請求項１乃至５のいずれか一項に記載の識別タグ。
【請求項７】
オブジェクトを識別するための識別タグであって、前記オブジェクトへ前記識別タグが取り付けられることができ、前記識別タグは、キャビティを備え、
読み取り可能識別機能は、前記タグ内に、識別機能を読み取るためのキャビティ内に挿入される読み取りデバイスの一部によって前記識別機能が読み取られることができるように配置され、
前記キャビティは、係合トラックが前記タグ内に形成されるように設計され、
前記係合トラックは、前記タグ内に配置される前記識別機能を読み取る読み取りデバイスの一部に対して形状が本質的に相補的であり、前記係合トラックによって、前記識別機能に対して前記読み取りデバイスの前記一部の容易な位置合わせが可能となることを特徴とする識別タグ。
【請求項８】
前記タグは、識別層を備え、
前記読み取り可能識別機能は、前記識別層に配置され、
前記識別機能は、前記識別層に含まれる少なくとも部分的にランダムに分布された材料によって形成され、
前記識別層は、前記タグ内に、前記識別機能を読み取るために前記キャビティ内に挿入される読み取りデバイスの一部によって前記識別機能が読み取られることができるように配置され、前記係合トラックによって、前記識別機能に対して前記読み取りデバイスの読み取りヘッドの前記一部の容易な位置合わせが可能となることを特徴とする請求項７に記載の識別タグ。
【請求項９】
前記タグは、層構造体よりなり、前記識別層は、ベース層と頂部層との間に配置されることを特徴とする請求項８に記載の識別タグ。
【請求項１０】
前記層構造体は、前記ベース層と前記頂部層との間に配置される少なくとも一つの更なる識別層を備え、好ましくは、前記層構造体は、前記識別層と前記更なる識別層との間に配置される少なくとも一つの中間層を備えることを特徴とする請求項８又は９に記載の識別タグ。
【請求項１１】
前記タグは、それが識別されるべきオブジェクトに取り付け可能であるように構成され、好ましくは、前記識別されるべきオブジェクトに取り付け可能であるために、前記タグの少なくとも一つの外表面が少なくとも部分的に接着性であるか又は熱接合を受けるのに少なくとも部分的に適することを特徴とする請求項７乃至１０のいずれか一項に記載の識別タグ。
【請求項１２】
オブジェクトを識別するための識別タグであって、前記オブジェクトへ前記識別タグが取り付けられることができ、前記識別タグは、識別層を備え、
読み取り可能識別機能が前記識別層に配置され、前記識別機能は、前記識別層に含まれるランダムに分布された材料によって少なくとも部分的に形成され、
前記識別層は、前記識別タグに、係合トラックが前記タグ内に形成されるように配置され、前記係合トラックは、前記識別層に配置される前記識別機能を読み取るように読み取りデバイスの一部に形状が実質的に相補的であり、前記係合トラックによって、前記識別機能に対して前記読み取りデバイスの前記一部の容易な位置合わせが可能となることを特徴とする識別タグ。
【請求項１３】
前記係合トラックは、前記タグ中に凹所として形成され、前記識別層は、前記凹所内に配置されることを特徴とする請求項１２に記載の識別タグ。
【請求項１４】
前記識別層は、前記凹所の頂部、底部壁内、その上、前記凹所の横壁及びその内のいずれかに配置されることを特徴とする請求項１３に記載の識別タグ。
【請求項１５】
前記識別層は、前記凹所又は前記突起に対して横方向に位置される領域中の前記タグに配置されることを特徴とする請求項１３又は１４に記載の識別タグ。
【請求項１６】
前記タグは、前記識別機能を読み取るプロセス中に前記リーダの読み取り部分の位置合わせを更に容易にする位置合わせマーキングを備えることを特徴とする請求項１２乃至１５のいずれか一項に記載の識別タグ。
【請求項１７】
識別されるように構成されたオブジェクトであって、前記オブジェクトは、識別層を備え、
読み取り可能識別機能が前記識別層に配置され、前記識別機能は、前記識別層に含まれるランダムに分布された材料によって少なくとも部分的に形成され、
前記識別層は、前記オブジェクトに、係合トラックが前記オブジェクト内に形成されるように配置され、前記係合トラックは、前記識別層に配置される前記識別機能を読み取る読み取りデバイスの一部に形状が実質的に相補的であり、前記係合トラックによって、前記識別機能に対して前記読み取りデバイスの前記一部の容易な位置合わせが可能となることを特徴とするオブジェクト。
【請求項１８】
前記ランダムに分布された材料は、複数のランダムに分布された粒子よりなり、好ましくは、前記ランダムに分布された粒子は、複数のランダムに分布された磁性又は磁化可能粒子、複数に分布された導電性及び／又は半導電性粒子、複数のランダムに分布された光活性粒子又は光学的に区別可能な粒子又は前記粒子の混合物からなることを特徴とする請求項１乃至３、１０、１２乃至１６のいずれか一項に記載の識別タグ又は請求項１７に記載のオブジェクト。
【請求項１９】
前記磁性粒子は、フェリ磁性体、反強磁性体、強磁性体、又は連続する材料（可変磁性を引き起こすボイドを含む）内の変化する磁性のドメイン、及びそれらの組み合わせよりなり、前記強磁性体は、好ましくは、ＭｎＢｉ、ＣｒＴｅ、ＥｕＯ、ＣｒＯ２、ＭｎＡｓ、Ｆｅ、Ｎｉ、Ｃｏ、Ｇｄ、Ｄｙ、対応する合金及びＦｅ、Ｎｉ、Ｃｏ、Ｓｍ、Ｇｄ、Ｄｙの酸化物及びそれらの組み合わせからなる群から選択されることを特徴とする請求項１８に記載の識別タグ又はオブジェクト。
【請求項２０】
前記光活性粒子は、染料粒子、染料コーティング粒子、発光粒子、量子ドット粒子、光輝性粒子、偏光クリスタル、キラル分子、液晶、複屈折粒子、ボイド又はバブル、及び連続する材料内の変化する光学特性のドメイン及びそれらの混合物よりなる群から選択される粒子よりなり、前記光学的に区別可能な粒子は、好ましくは、金属粒子、セラミック粒子、ポリマー粒子、紙内のファイバーのような自然に発生する粒子、ボイド又はバブル及び連続する材料内の変化する光学特性のドメイン及びそれらの混合物よりなる群から選択される粒子よりなることを特徴とする請求項１９に記載の識別タグ又はオブジェクト。
【請求項２１】
前記導電性粒子は、金属粒子、カーボンブラック粒子、グラファイト粒子、金属コーティング粒子、ボイド又はバブル及び連続する材料内の変化する導電性のドメイン及びそれらの混合物よりなる群から選択される材料よりなり、前記導電性粒子は、好ましくは、（ポリ）シリコン、ガリウム砒素、窒化ガリウム、白金シリサイド、窒化珪素、及びシリコンクロム（ＳｉＣｒ）よりなることを特徴とする請求項１９又は２０に記載の識別タグ又はオブジェクト。
【請求項２２】
前記識別機能は、チップ、磁気ストリップ、シリアル番号、又は光学マーキングに配置され、前記光学マーキングは、バーコード又はホログラムであり、前記チップは、好ましくは、高周波タグ識別（ＲＦＩＤ）チップ又は接触ベースのチップであることを特徴とする請求項７に記載の識別タグ。
【請求項２３】
ベース層を備え、前記チップは、前記ベース層中に配置されるか又はその上に取り付けられるか、又は前記光学マーキングは、前記ベース層中に又は上に配置され、好ましくは、頂部層を更に備え、前記頂部層又は前記ベース層は、前記頂部層を前記底部層に取り付けることによって前記キャビティが形成されるように設計されることを特徴とする請求項２２に記載の識別タグ。
【請求項２４】
オブジェクトを識別するための識別タグを生成するための方法であって、前記オブジェクトへ前記識別タグが取り付けられることができ、前記方法は、
適切な材料の適応層を提供し、前記適応層は、前記適応層にカットされる少なくとも一つの適応凹所を備え、
少なくとも部分的に固化可能マトリックス材料に分散される少なくとも部分的にランダムに分散された材料で前記少なくとも一つの適応凹所を充填し、充填後に、前記分散された材料が前記適応凹所内にランダムに分布され、それによって、前記オブジェクトを識別するための読み取り可能識別機能を形成し、前記適応層は、好ましくは、前記少なくとも一つの適応凹所を前記適切な材料のフィルム内に形成することによって生成され、前記適応凹所を形成するカットは、機械的手段又はレーザを使用することによって前記適切な材料のフィルムに形成され、前記機械的手段は、好ましくは、ナイフ、ブレード又はパンチャーであることを特徴とする方法。
【請求項２５】
前記材料が粒子よりなり、前記粒子は、好ましくは、複数の磁性又は磁化可能粒子、複数の導電性及び／又は半導電性粒子、複数の光活性粒子及び／又は光学的に区別可能粒子又は前記粒子の混合物よりなり、前記固化可能マトリックス材料ポリマー組成物は、好ましくは、赤外（ＩＲ）又は紫外（ＵＶ）光手段によって硬化可能なポリマー前駆体コンパウンドよりなる液体組成物であり、前記ポリマー前駆体コンパウンドは、好ましくは、ポリスチレン、エポキシ樹脂、ポリアルキレン、ポリイミド、ポリベンゾオキサゾール（polybenzoxazoles）、ポリアクリレート、ポリエーテル、ポリベンゾオキサヨール（polybenzoxayoles）、ポリチオアヨール（polythioayoles）、エポシキド、（メタ）アクリレート、及びポリシロキサンよりなる群から選択されることを特徴とする請求項２４に記載の方法。
【請求項２６】
前記液体組成物は、プリンティング、スクイージング、又はスプレーイングによって前記適応凹所内に分散され、前記液体組成物は、好ましくは、前記組成物を前記適応凹所内に分散した後固化され、それによって、前記粒子をマトリックス内にランダム分布方法で埋め込むことを特徴とする請求項２５に記載の方法。
【請求項２７】
前記適応凹所は、カバー層又は支持層を前記適応層に取り付ける前に生成されることを特徴とする請求項２４乃至２６のいずれか一項に記載の方法。
【請求項２８】
オブジェクトを識別するための識別タグを生成するための方法であって、前記オブジェクトへ前記識別タグが取り付けられることができ、前記識別タグは、キャビティを備え、
前記方法は、読み取り可能識別機能を前記識別機能が前記キャビティ内に挿入されるべき読み取りデバイスの一部によって読み取られることができるように前記タグ内に配置し、
係合トラックが前記タグ内の前記キャビティによって形成されるように前記キャビティを形成し、前記係合トラックは、前記タグ内に配置される前記識別機能を読み取る読み取りデバイスの前記一部に対して形状が実質的に相補的であることを特徴とする方法。
【請求項２９】
オブジェクトを識別するための識別タグを生成するための方法であって、前記オブジェクトへ前記識別タグが取り付けられることができ、前記識別タグは、識別層を備え、読み取り可能識別機能が前記識別層に配置され、前記識別機能は、前記識別層に含まれるランダムに分布された材料によって少なくとも部分的に形成され、
前記方法は、係合トラックが前記タグ内に形成されるように且つ前記係合トラックが前記識別層に配置される識別機能を読み取る読み取りデバイスの一部に対して形状が実質的に相補的であるように前記識別タグ内に前記識別層を配置することよりなることを特徴とする方法。
【請求項３０】
識別されるように構成されるオブジェクトを生成する方法であって、前記オブジェクトは、キャビティを備え、
前記方法は、読み取り可能識別機能を前記識別機能が前記キャビティ内に挿入されるべき読み取りデバイスの一部によって読み取られるように前記オブジェクト内に配置し、且つ
係合トラックが前記オブジェクト内の前記キャビティによって形成されるように前記キャビティを形成し、前記係合トラックは、前記オブジェクト内に配置される前記識別機能を読み取る読み取りデバイスの前記一部に対して形状が実質的に相補的であることを特徴とする方法。
【請求項３１】
識別されるように構成される識別機能又はオブジェクトに配置される識別機能（複数）を読み取るための読み取りデバイスであって、前記識別タグ又はオブジェクトは、前記タグ又は前記オブジェクト内にキャビティ又は凹所として形成される係合トラックを備え、前記係合トラックは、前記識別機能を読み取るために使用され、
前記読み取りデバイスは、
識別されるように構成される前記識別タグ又はオブジェクト内に配置される前記識別機能を読み取るため構成される読み取り要素を備え、前記読み取り要素は、前記読み取りデバイスの係合要素内に配置され、前記係合要素は、前記識別タグ又はオブジェクトの前記係合トラックに対して形状が実質的に相補的であることを特徴とする読み取りデバイス。
【請求項３２】
前記係合要素は、前記係合トラックと係合するための突起を備え、この突起は、規則正しい形状を有するか、又は半円形横断面形状又は多角形横断面形状を有することを特徴とする請求項３１に記載の読み取りデバイス。
【請求項３３】
識別されるように構成される識別機能又はオブジェクトに配置される識別機能（複数）を読み取るための読み取りデバイスであって、前記識別タグ又はオブジェクトは、前記タグ又は前記オブジェクト内に突起として形成される係合トラックを備え、前記係合トラックは、前記識別機能を読み取るために使用され、
前記読み取りデバイスは、
前記タグ又はオブジェクト内に配置される前記識別機能を読み取るため構成される読み取り要素を備え、前記読み取り要素は、前記識別タグ又はオブジェクトの前記係合トラックに対して形状が実質的に相補的である非Ｕ字形状係合要素内に配置されることを特徴とする読み取りデバイス。
【請求項３４】
前記係合要素は、前記係合トラックと係合するための凹所よりなり、この凹所は、断面が実質的に三角形、四角形、台形、半円形、五角形、六角形、八角形、又は曲線形であることを特徴とする請求項３２に記載の読み取りデバイス。
【請求項３５】
識別されるように構成される識別機能又はオブジェクトに配置される識別機能（複数）を読み取るための読み取りデバイスであって、前記識別タグ又はオブジェクトは、前記タグ又は前記オブジェクト内に突起として形成される係合トラックを備え、前記係合トラックは、前記識別機能を読み取るために使用され、
前記読み取りデバイスは、
前記識別タグ又はオブジェクトの前記係合トラックに対して形状が実質的に相補的である凹所を有する係合要素を備え、前記係合要素は、前記凹所の横領域に、前記識別タグ内に配置される前記識別機能を読み取るために構成される読み取り要素を備えることを特徴とする読み取りデバイス。
【請求項３６】
前記係合要素は、前記係合トラックと係合するための凹所を備えると共に、この凹所は、実質的にＵ形状、三角形、四角形、台形、半円形、五角形、六角形、八角形、又は曲線形であることを特徴とする請求項３５に記載の読み取りデバイス。
【請求項３７】
前記読み取り要素は、前記タグ又はオブジェクトに前記識別機能を形成するランダムに分布された材料から情報を読み取るように構成され、前記読み取り要素は、好ましくは、前記タグ又はオブジェクトに前記識別機能を形成する複数のランダムに分布された粒子から情報を読み取るように構成されることを特徴とする請求項３１乃至３６のいずれか一項に記載の読み取りデバイス。
【請求項３８】
前記読み取り要素は、前記タグ又はオブジェクトの識別層に含まれる複数のランダムに分布された磁性粒子から情報を読み取るように構成され、及び／又は、前記読み取り要素は、前記タグ又はオブジェクトの識別層に含まれる複数のランダムに分布された導電性及び／又は半導電性粒子から電気又は電磁情報を読み取るように構成され、及び／又は、前記読み取り要素は、前記タグ又はオブジェクトの識別層に含まれる複数のランダムに分布された光活性粒子から発される光子を検出するように構成され、及び／又は、前記読み取り要素は、前記タグ又はオブジェクトの識別層に含まれる複数のランダムに分布された光学的に区別可能な粒子から反射される又はそれによって偏向される光子を検出するように構成されることを特徴とする請求項３７に記載の読み取りデバイス。
【請求項３９】
トラッキング要素を更に備え、前記トラッキング要素は、前記識別機能を読み取るプロセス中に読み取られるべき前記識別機能に相対する前記読み取り要素の位置合わせや運動を容易にする又は測定するように構成されか、前記読み取り要素を光学的に位置決めするために構成されるか、読み取られるべき識別機能に対して、前記読み取り要素の相対位置を光学的に測定するために構成されるか、前記読み取り要素を電磁的に位置決めするために構成されるか、読み取られるべき前記識別機能に対して、前記読み取り要素の相対位置を電磁的に測定するために構成されることを特徴とする請求項３８に記載の読み取りデバイス。
【請求項４０】
前記読み取り要素によって読み取られる前記機能からフィンガープリント及び／又はシグネチャを処理するように構成される処理手段を有し、
前記処理手段は、好ましくは、
−前記読み取り要素によって読み取られた機能からの前記フィンガープリント及び／又はシグネチャを事前格納された基準シグネチャと比較し、
−もし識別タグ又はオブジェクトから読み取られた前記フィンガープリント及び／又はシグネチャが前記事前格納された基準シグネチャから予め決定された閾値未満だけ異なる場合、前記識別タグ又は前記オブジェクトを有効であると識別するように構成されることを特徴とする請求項３１乃至３９のいずれか一項に記載の読み取りデバイス。
【請求項４１】
前記読み取りデバイスは、前記読み取りデバイスに対して遠くのデータ記憶媒体に配置される事前格納された基準シグネチャを受信するように構成されるか、又は、前記読み取りデバイスは、好ましくは、前記タグ又は前記タグが取り付けられる前記オブジェクトに配置される事前格納された基準シグネチャを受信するように構成され、前記処理手段は、好ましくは、最近読み取られたフィンガープリント／シグネチャからの情報を使用して、前記事前格納された基準シグネチャを再書き込み又は付加することによって前記事前格納された基準シグネチャを更新するように構成されることを特徴とする請求項４０に記載の読み取りデバイス。
【請求項４２】
オブジェクトを識別するための識別システムであって、
識別タグが取り付けられることができるオブジェクトを識別するための請求項１乃至１６のいずれか一項に従う識別タグ又は請求項１７乃至請求項２１のいずれか一項に従って識別されるように構成されたオブジェクトと、
前記識別タグにコード化された情報を読み取るための請求項３１乃至４１のいずれか一項に記載の読み取りデバイスと、
必要に応じて、前記識別タグの基準読み取りから得られる基準シグネチャが格納されるデータ記憶媒体と、前記読み取りに関して遠くにあるデータ処理デバイスであって、前記事前格納された基準シグネチャに前記読み取られたシグネチャをマッチングするために前記データ処理を実行するように構成されるデータ処理デバイスと、
を備え、
前記事前格納された基準シグネチャのための前記データ記憶媒体は、前記読み取りデバイスに関して遠くにあるデータ記憶媒体であり、前記事前格納された基準シグネチャのための前記データ記憶媒体は、好ましくは、前記オブジェクトに取り付けられる前記タグに配置されるか又は前記オブジェクトに配置され、前記データ記憶媒体は、好ましくは、磁気ストリップ、メモリチップ、メディアディスク、ハードディスク、スマートカード、ＲＡＭモジュール、磁気テープ、又は２Ｄバーコードやビットマップのような従来の光学手段であることを特徴とする識別システム。
【請求項４３】
請求項７乃至１６のいずれか一項に定義される識別タグにおける識別機能を読み取るための方法であって、読み取り可能識別機能が前記識別タグ中に配置され、前記識別タグは、係合トラックを有し、前記方法は、
前記タグを読み取るデバイスに接触させ、前記読み取りデバイスは、前記識別タグに配置される前記識別機能を読み取るために構成される読み取り要素を備え、前記読み取り要素は、前記読み取りデバイスの係合要素内に配置され、前記係合要素は、前記識別タグの前記係合トラックに対して形状が実質的に相補的であり、
必要に応じて、前記読み取りデバイスの前記係合要素が前記タグの前記係合トラックと係合するように前記タグを前記読み取りデバイスに接触させ、それによって、前記識別機能を配置し、前記識別機能に対して前記読み取りデバイスを位置合わせし、
前記識別機能は、好ましくは、チップ内、磁気ストリップ内、シリアル番号、光学マーキングであり、及び／又は、好ましくは、ランダムに分布された複数のファイバー又は粒子よりなる材料内に配置されることを特徴とする方法。
【請求項４４】
請求項１７乃至２１のいずれか一項に定義される識別されるべきオブジェクトにおける識別機能を読み取るための方法であって、読み取り可能識別機能が前記オブジェクトに又は前記オブジェクトへ取り付けられる又はそれに含まれる識別タグに配置され、前記オブジェクトは、係合トラックを有し、前記方法は、
前記オブジェクトを読み取りデバイスに接触させ、前記読み取りデバイスは、前記オブジェクト又は前記識別タグに配置される前記識別機能を読み取りために構成される読み取り要素を備え、前記読み取り要素は、前記読み取りデバイスの係合要素内に配置され、前記係合要素は、前記オブジェクトの前記係合トラックに対して形状が実質的に相補的であり、
必要に応じて、前記読み取りデバイスの前記係合要素が前記オブジェクトの前記係合トラックと係合するように前記オブジェクトを前記読み取りデバイスに接触させ、それによって、前記識別機能を配置し、前記識別機能に対して前記読み取りデバイスを位置合わせし、
前記識別機能は、好ましくは、チップ内、磁気ストリップ内、シリアル番号、光学マーキングであり、及び／又は、好ましくは、ランダムに分布された複数のファイバー又は粒子よりなる材料内に配置されることを特徴とする方法。
【請求項４５】
識別されるべきオブジェクトにおける識別機能を読み取るための方法であって、読み取り可能識別機能が前記オブジェクトに又は前記オブジェクトへ取り付けられる又はそれに含まれる識別タグに配置され、前記オブジェクトは、係合トラックを有し、前記方法は、
前記オブジェクトを読み取りデバイスに接触させ、前記読み取りデバイスは、前記オブジェクト又は前記識別タグに配置される前記識別機能を読み取りために構成される読み取り要素を備え、前記読み取り要素は、前記読み取りデバイスの係合要素内に配置され、前記係合要素は、前記オブジェクトの前記係合トラックに対して形状が実質的に相補的であり、
必要に応じて、前記読み取りデバイスの前記係合要素が前記タグ又は前記オブジェクトの前記係合トラックと係合するように前記タグ又は前記オブジェクトを前記読み取りデバイスに接触させ、それによって、前記識別機能を配置し、前記識別機能に対して前記読み取りデバイスを位置合わせすることを特徴とする方法。
【請求項４６】
読み取りは、前記識別機能から少なくとも一つの信号を読み取ることよりなり、少なくとも一つのシグネチャは、前記読み取られた信号から引き出され、前記シグネチャは、好ましくは、格納され、それによって、事前格納基準シグネチャとなり、一つより多くの基準シグネチャが好ましくは前記オブジェクトに対して格納され、前記一つより多くの事前格納された基準シグネチャは、好ましくは、少なくとも二つの異なる読み取りデバイスを使用して前記オブジェクトを読み取ることから引き出されることを特徴とする請求項４５に記載の方法。
【請求項４７】
引き続いて読み取られたシグネチャは、前記オブジェクトに関連する又は複数のオブジェクトの集まりに関連する事前格納された基準シグネチャの全てと比較されるか、又はデータベースに存在する事前格納された基準シグネチャの全てと比較されることを特徴とする請求項４６に記載の方法。
【請求項４８】
シリアル化された識別情報は、前記少なくとも二セットの識別機能の内の一つのセットとして使用され、処理ユニットは、前記読み取りデバイスが前記シリアル化された識別情報を十分に、完全に、又は正確に読み取らなかった場合、前記読み取られた信号の一部（単数又は複数）から欠落したデータ又はコンポーネントを再生するように構成され、
前記読み取られた信号の一部（単数又は複数）の欠落したデータやコンポーネントは、好ましくは、別個にキー入力された又は走査された補充情報に基づいて再生又は推定され、前記補充情報は、十分ではない又は正確ではない機能情報に関連し、
前記再生されたデータ又はコンポーネントは、好ましくは、前記オブジェクトを識別するためにシグネチャを形成するために使用されることを特徴とする請求項４５乃至４７のいずれか一項に記載の方法。
【請求項４９】
シリアル化された識別情報は、前記少なくとも二セットの識別機能の内の一つのセットとして使用され、前記シリアル化された識別情報は、前記データベースに事前格納された基準シグネチャを格納する及びそれから検索するための主キーとして使用され、
前記シリアル化された情報は、前記オブジェクトに割り当てられるバーコード、シリアル番号、２進又は１６進情報、又は英数字コードであることを特徴とする請求項４５乃至４８のいずれか一項に記載の方法。
【請求項５０】
請求項１乃至６のいずれか一項で定義される識別タグが取り付けられたオブジェクトであって、前記識別タグは、オブジェクト（の外表面）に、前記タグが前記オブジェクト上に係合トラックを形成するように取り付けられ、前記係合トラックは、識別層に配置される識別機能を読み取る読み取りデバイスの一部と形状が本質的に相補的であり、それによって、係合トラックは、識別機能に関して前記読み取りデバイスの容易な位置合わせを可能とすることを特徴とするオブジェクト。
【請求項５１】
識別されるように構成されるオブジェクトであって、前記オブジェクトは、キャビティを備え、
読み取り可能識別機能は、前記オブジェクト内に、識別機能を読み取るためのキャビティ内に挿入される読み取りデバイスの一部によって前記識別機能が読み取られることができるように配置され、
前記キャビティは、係合トラックが前記オブジェクトに形成されるように設計され、
前記係合トラックは、前記オブジェクト内に配置される前記識別機能を読み取る読み取りデバイスの前記一部に対して形状が本質的に相補的であり、前記係合トラックによって、前記識別機能に対して前記読み取りデバイスの前記一部の容易な位置合わせが可能となることを特徴とするオブジェクト。
【請求項５２】
前記オブジェクトは、識別層を備え、
前記読み取り可能識別機能は、前記識別層内に配置され、
前記識別機能は、前記識別層に含まれる少なくとも部分的にランダムに分布された材料によって形成され、
前記識別層は、前記タグ内に、前記識別機能を読み取るために前記キャビティ内に挿入される読み取りデバイスの前記一部によって前記識別機能が読み取られることができるように配置されることを特徴とする請求項５１に記載のオブジェクト。
【請求項５３】
前記キャビティは、前記識別層の少なくとも一部が前記識別機能を読み取るために露出されるように形成され、好ましくは、規則正しい形状を有しており、好ましくは、実質的に円形横断形状又は多角形横断形状を有することを特徴とする請求項５２に記載のオブジェクト。
【請求項５４】
識別タグを備えるオブジェクトであって、前記識別タグオブジェクトは、識別層を備え、
読み取り可能識別機能が前記識別タグの前記識別層に配置され、前記識別機能は、前記識別層に含まれるランダムに分布された材料によって少なくとも部分的に形成され、
前記識別タグは、前記オブジェクトに、係合トラックが前記オブジェクトと前記識別タグによって形成されるように配置され、前記係合トラックは、前記読み取りトラックを介して前記識別層に配置される前記識別機能を読み取る読み取りデバイスの一部に対して形状が実質的に相補的であり、前記係合トラックによって、前記識別機能に対して前記読み取りデバイスの前記一部の容易な位置合わせが可能となることを特徴とするオブジェクト。
【請求項５５】
前記係合トラックは、前記オブジェクトの凹所として形成され、前記識別タグは、前記凹所内に配置され、且つ前記タグは、前記係合トラックの少なくとも一表面を形成すること特徴とする請求項５４に記載のオブジェクト。
【請求項５６】
識別タグを取り付けたオブジェクトであって、前記識別タグオブジェクトは、識別層を備え、
読み取り可能識別機能は、前記識別層に配置され、前記識別機能は、前記識別層に含まれるランダムに分布された材料によって少なくとも部分的に形成され、
前記識別層は、前記読み取り可能識別機能の少なくとも幾つかが前記識別層の最も薄い寸法から有意に読み取られるに過ぎないように露出されないという条件で、
前記識別タグは、前記オブジェクトの外表面に、前記タグが前記オブジェクト上に係合トラックを形成するように配置され、前記係合トラックは、前記読み取りトラックを介して前記識別層に配置される前記識別機能を読み取る読み取りデバイスの一部に対して形状が実質的に相補的であり、前記係合トラックによって、前記識別機能に関して前記読み取りデバイスの前記一部の容易な位置合わせが可能となることを特徴とするオブジェクト。
【請求項５７】
前記係合トラックは、前記タグ中に凹所として形成され、前記識別層は、前記凹所内に配置されることを特徴とする請求項１７又は５６に記載のオブジェクト。
【請求項５８】
前記識別層は、前記オブジェクトの前記凹所内又は前記凹所の底壁上に配置されか、又は前記凹所に又は前記凹所の横壁内に配置されることを特徴とする請求項１７又は５７に記載のオブジェクト。
【請求項５９】
前記係合トラックは、前記オブジェクトの突起として形成され、前記識別層は、前記オブジェクトの前記突起内に配置されることを特徴とする請求項１７、５７及び５８のいずれか一項に記載のオブジェクト。
【請求項６０】
前記オブジェクトは、前記識別機能を読み取るプロセス中に前記リーダの読み取り部分の位置合わせを更に容易にする位置合わせマーキングを備えることを特徴とする請求項１７並びに請求項５７乃至５９のいずれか一項に記載のオブジェクト。
【請求項６１】
請求項２２又は２３に定義される識別タグにおける識別機能を読み取るための方法であって、読み取り可能識別機能が前記識別タグ中に配置され、前記識別タグは、係合トラックを有し、前記方法は、
前記識別タグを読み取りデバイスに接触させ、前記読み取りデバイスは、前記識別タグに配置される前記識別機能を読み取りために構成される読み取り要素を備え、前記読み取り要素は、前記読み取りデバイスの係合要素内に配置され、前記係合要素は、前記識別タグの前記係合トラックに対して形状が実質的に相補的であり、
必要に応じて、前記読み取りデバイスの前記係合要素が前記識別タグの前記係合トラックと係合するように前記識別タグを前記読み取りデバイスに接触させ、それによって、前記識別機能を配置し、前記識別機能に対して前記読み取りデバイスを位置合わせし、
前記識別機能は、チップ内、磁気ストリップ内、シリアル番号、光学マーキング及び／又はランダムに分布された複数のファイバー又は粒子よりなる材料内に配置されることを特徴とする方法。
【国際調査報告】
2009537030.tif 000036
2009537030.tif 000037
2009537030.tif 000038